(57)【特許請求の範囲】
【請求項１】
空気流を発生させる電動送風機を内蔵し、高湿度空気の吹出口を形成した本体と、
水蒸気又は水の微粒子を電気的エネルギーで発生させる気化手段と、
使用者が運転条件を入力する操作部と、
前記操作部の入力結果を表示する表示部と、
保湿運転の開始前及び保湿運転終了後に、使用者の肌の水分量のデータを情報通信端末機器から取得できる無線通信入出力部と、
前記無線通信入出力部から取得した肌の水分量のデータを記憶する記憶部と、
前記操作部の入力と前記記憶部からの肌の水分量のデータとに従って前記電動送風機と前記気化手段とを制御する制御装置と、
使用者によって閉じられ、閉じられた場合に前記制御装置に対して電源が供給される主電源スイッチと、を備え、
前記制御装置は、保湿運転の終了後で前記主電源スイッチが開放される前に、使用者に前記肌の水分量のデータの取得を促す報知を行うことを特徴とする保湿用空気供給機。
【請求項２】
使用者の肌の水分量を計測する計測部を更に備えたことを特徴とする請求項１に記載の保湿用空気供給機。
【請求項３】
前記表示部には、表示画面を有しており、当該表示画面は、前記操作部の機能を有したタッチ式操作画面であり、
前記表示画面には、使用者の肌の水分量のデータを入力するためのキーが表示されることを特徴とする請求項１に記載の保湿用空気供給機。
【請求項４】
前記本体は、前記無線通信入出力部としてＮＦＣ入出力部を備え、
前記制御装置は、前記ＮＦＣ入出力部から使用者の肌の水分量のデータを取得することを特徴とする請求項１に記載の保湿用空気供給機。
【請求項５】
前記本体は、前記制御装置に電源を供給する主電源スイッチの操作部を更に有し、
前記ＮＦＣ入出力部は、前記本体の外郭ケースに備え、
前記操作部により前記主電源スイッチを閉じた場合、前記制御装置は、前記ＮＦＣ入出力部の位置に対応して設置してある光源を発光させて当該ＮＦＣ入出力部の存在を明示することを特徴とする請求項４に記載の保湿用空気供給機。
【請求項６】
前記表示部は、表示画面を有しており、当該表示画面は、前記操作部の機能を有したタッチ式操作画面であり、
保湿運転の開始前に、過去の肌の水分量のデータを取得して、当該データに従って前記電動送風機と前記気化手段とを制御するかどうかの確認を使用者へ求めるための確認操作キーを更に有し、
前記確認操作キーは、保湿運転の開始前に前記表示画面に表示されるアイコンであることを特徴とする請求項１に記載の保湿用空気供給機。
【請求項７】
前記ＮＦＣ入出力部を介して、前記情報通信端末機器と所定の通信状態を確立した場合、前記情報通信端末機器に対して前記記憶部に保存してある肌の水分量のデータの読み出しを許可することを特徴とする請求項４に記載の保湿用空気供給機。
【請求項８】
前記制御装置は、単位時間あたりの高湿度空気の放出量を少なくとも２段階に制御する機能を有し、
使用者の肌の水分量の情報を取得可能な肌情報部が保湿運転の開始前に取得した肌の水分量が、所定値よりも低い場合、前記制御装置は、高湿度空気の放出量を高く設定することを特徴とする請求項１に記載の保湿用空気供給機。
【請求項９】
使用者の生体情報を受信して睡眠時間情報を取得する睡眠判定部を更に有し、
前記記憶部は、少なくとも過去２回分の保湿運転時に、計測部と睡眠判定部で取得した前記肌の水分量のデータと睡眠時間情報とを時系列に記憶し、
前記制御装置は前記操作部の操作に応じて、前記表示部において、
（１）過去の保湿運転時に取得した前記肌の水分量のデータ及び睡眠時間情報、又はそれら両者の経時的変化を表示し、
（２）保湿運転の時間又は強弱度の少なくとも何れか一方に関するアドバイス情報を表示する、ことを特徴とする請求項１に記載の保湿用空気供給機。
【請求項１０】
使用者の生体情報を受信して睡眠時間情報を取得する睡眠判定部を更に有し、
前記記憶部は、少なくとも過去１回分の保湿運転時に、前記計測部と睡眠判定部で取得した前記肌の水分量のデータと睡眠時間情報とを記憶し、
前記電動送風機に通電を開始して保湿運転が実質的に開始される前の段階で、前記制御装置は、前記表示部において自動的に、
（１）過去の保湿運転時に取得した前記肌の水分量のデータ及び睡眠時間情報を表示し、
（２）これから開始する保湿運転の時間又は強弱度の少なくとも何れか一方につきアドバイス情報又は推奨情報を表示する、
ことを特徴とする請求項２に記載の保湿用空気供給機。
【請求項１１】
使用者の生体情報を受信して睡眠時間情報を取得する睡眠判定部を更に有し、
前記記憶部は、少なくとも過去２回分の肌の水分量のデータと前記睡眠時間情報とを時系列に記憶し、
前記電動送風機に通電を開始して保湿運転が実質的に開始される前の段階で、前記制御装置は、前記表示部において、過去の保湿運転時に取得した前記肌の水分量のデータ及び睡眠時間情報を表示する際に、少なくとも前記肌の水分量のデータは経時的変化が分かるようにグラフ形式で表示することを特徴とする請求項１に記載の保湿用空気供給機。
【請求項１２】
空気流を発生させる電動送風機を内蔵し、高湿度空気の吹出口を形成した本体と、
水蒸気又は水の微粒子を電気的エネルギーで発生させる気化手段と、
使用者が運転条件を入力する操作部と、
前記操作部の入力結果を表示する表示部と、
情報通信端末機器に記憶させた肌の水分量のデータを受信するための入出力部と、
前記入出力部から取得した肌の水分量のデータを保存する記憶部と、
前記操作部からの入力情報と前記記憶部の肌の水分量のデータとに従って、前記電動送風機と前記気化手段とを制御する制御装置と、を備え、
前記制御装置は、保湿運転の開始前に、最新の肌の水分量のデータが前記記憶部に記憶されていない場合、前記入出力部を介して前記情報通信端末機器に記憶させた肌の水分量のデータを、前記記憶部に格納することを前記表示部で推奨することを特徴とする保湿用空気供給機。
【請求項１３】
使用者の肌の水分量を計測する計測部を更に備えたことを特徴とする請求項１２に記載の保湿用空気供給機。
【請求項１４】
前記表示部には、表示画面を有しており、当該表示画面は、前記操作部の機能を有したタッチ式操作画面であり、
前記表示画面には、使用者の肌の水分量のデータを入力するためのキーが表示されることを特徴とする請求項１２に記載の保湿用空気供給機。
【請求項１５】
前記本体には、前記入出力部としてＮＦＣ入出力部を備え、
前記計測部は、前記ＮＦＣ入出力部から使用者の肌の水分量のデータを取得することを特徴とする請求項１３に記載の保湿用空気供給機。
【請求項１６】
前記本体には、前記制御装置に電源を供給する主電源スイッチの操作部を更に有し、
前記ＮＦＣ入出力部は、前記本体の外郭ケースに備え、
前記操作部により前記主電源スイッチを閉じた場合、前記制御装置は、前記ＮＦＣ入出力部の位置に対応して設置してある光源を発光させて当該ＮＦＣ入出力部の存在を明示することを特徴とする請求項１５に記載の保湿用空気供給機。
【請求項１７】
前記表示部は、表示画面を有しており、当該表示画面は、前記操作部の機能を有したタッチ式操作画面であり、
保湿運転の開始前に、過去の肌の水分量のデータを取得して、当該データに従って前記電動送風機と前記気化手段とを制御するかどうかの確認を使用者へ求めるための確認操作キーを更に有し、
前記確認操作キーは、保湿運転の開始前に前記表示画面に表示されるアイコンであることを特徴とする請求項１２に記載の保湿用空気供給機。
【請求項１８】
空気流を発生させる電動送風機を内蔵し、高湿度空気の吹出口を形成した本体と、
水蒸気又は水の微粒子を電気的エネルギーで発生させる気化手段と、
使用者が運転条件を入力する操作部と、
前記操作部の入力結果を表示する表示部と、
保湿運転の開始前に使用者の肌の水分量の情報を取得可能な肌情報部と、
情報通信端末機器が計測したデータに基づき外部の情報サーバーから取得した肌の水分量のデータを近距離無線通信で読み込ませるための無線通信入出力部と、
使用者の睡眠時間を計測できる睡眠判定部と、
前記無線通信入出力部から取得した肌の水分量のデータを保存する記憶部と、
前記操作部からの入力情報と前記記憶部の肌の水分量のデータとに従って、前記電動送風機と前記気化手段とを制御する制御装置と、を備え、
前記制御装置は、前記情報通信端末機器から取得した肌の水分量のデータを優先して利用し、その肌の水分量のデータに応じて前記電動送風機と気化手段の運転条件を制御することを特徴とする保湿用空気供給機。
【請求項１９】
使用者の肌の水分量を計測する計測部を更に備えたことを特徴とする請求項１８に記載の保湿用空気供給機。
【請求項２０】
前記表示部には、表示画面を有しており、当該表示画面は、前記操作部の機能を有したタッチ式操作画面であり、
前記表示画面には、使用者の肌の水分量のデータを入力するためのキーが表示されることを特徴とする請求項１８に記載の保湿用空気供給機。
【請求項２１】
前記本体には、前記無線通信入出力部としてＮＦＣ入出力部を備え、
前記計測部は、前記ＮＦＣ入出力部から使用者の肌の水分量のデータを取得することを特徴とする請求項１９に記載の保湿用空気供給機。
【請求項２２】
前記本体には、前記制御装置に電源を供給する主電源スイッチの操作部を更に有し、
前記ＮＦＣ入出力部は、前記本体の外郭ケースに備え、
前記操作部により前記主電源スイッチを閉じた場合、前記制御装置は、前記ＮＦＣ入出力部の位置に対応して設置してある光源を発光させて当該ＮＦＣ入出力部の存在を明示することを特徴とする請求項２１に記載の保湿用空気供給機。
【請求項２３】
前記表示部には、表示画面を有しており、当該表示画面は、前記操作部の機能を有したタッチ式操作画面であり、
保湿運転の開始前に、過去の肌の水分量のデータを取得して、当該データに従って前記電動送風機と前記気化手段とを制御するかどうかの確認を使用者へ求めるための確認操作キーは、操作画面に表示されるアイコンであることを特徴とする請求項１８に記載の保湿用空気供給機。
【請求項２４】
空気流を発生させる電動送風機を内蔵し、高湿度空気の吹出口を形成した本体と、
水蒸気又は水の微粒子を電気的エネルギーで発生させる気化手段と、
使用者が運転条件を入力する操作部と、
前記操作部の入力結果を表示する表示画面と、
保湿運転を１回終えた後の使用者の肌の水分量の情報を取得する肌情報部と、
情報通信端末機器が計測して外部の情報サーバーから取得した肌の水分量のデータを前記情報通信端末機器から直接読み込ませるための入出力部と、
使用者の睡眠時間情報を取得し、前記肌情報部と情報通信端末機器とからそれぞれ取得した肌の水分量の情報とともに記憶する記憶部と、
前記操作部と前記記憶部からの情報に従って前記電動送風機と前記気化手段とを制御する制御装置と、を備え、
前記制御装置は、前記記憶部に記憶した複数回分の肌の水分量の中で、所定量以上の肌の水分量が取得された運転時期に対応した「第１の睡眠時間」を抽出する機能を有し、
前記操作部には、保湿運転の開始前の段階で、前記「第１の睡眠時間」の情報を表示することを指令する推奨睡眠時間確認キーを具備したことを特徴とする保湿用空気供給機。
【請求項２５】
空気流を発生させる電動送風機を内蔵し、高湿度空気の吹出口を形成した本体と、
水蒸気又は水の微粒子を電気的エネルギーで発生させる気化手段と、
使用者が運転条件を入力する操作部と、
前記操作部の入力結果を表示する表示画面と、
保湿運転を１回終えた後の使用者の肌の水分量の情報を取得する肌情報部と、
情報通信端末機器が計測して外部の情報サーバーから取得した肌の水分量のデータを前記情報通信端末機器から直接読み込ませるための入出力部と、
使用者の睡眠時間情報を取得し、前記肌情報部及び前記情報通信端末機器からそれぞれ取得した肌の水分量の情報とともに記憶する記憶部と、
前記操作部と前記記憶部からの情報に従って前記電動送風機と前記気化手段とを制御する制御装置と、を備え、
前記制御装置は、前記記憶部に記憶した複数回分の肌の水分量の中で、所定量以上の肌の水分量で、かつ睡眠時間が所定値よりも長い「第２の睡眠時間」の組合せとなる情報を抽出する機能を有し、
前記操作部には、保湿運転の開始前の段階で、前記「第２の睡眠時間」の情報を、保湿運転の推奨時間として表示することを指令する「推奨睡眠時間」確認キーを具備したことを特徴とする保湿用空気供給機。
【請求項２６】
保湿用空気供給機を含む複数の家電機器と個々に通信を行い、それら家電機器を個々に制御して家庭内の総電力量を制御する電力指令装置（統合管理装置）と、
前記保湿用空気供給機と近距離無線通信するＮＦＣ通信部を備えた情報通信端末機器と、
前記情報通信端末機器から送信される肌の計測データを分析して肌の水分量のデータを当該情報通信端末機器へ提供する情報サーバーと、
を備え、
前記電力指令装置には、就寝者からの生体情報を受信して睡眠状態を判定する睡眠判定部で取得した睡眠時間データを記憶する記憶装置と、この記憶装置に記憶してある睡眠時間データを前記情報通信端末機器へ移送できる入出力部と、を有し、
前記保湿用空気供給機には、前記情報通信端末機器から読み込まれた肌の水分量のデータと前記睡眠時間データとに応じて保湿運転の時間又は保湿能力の少なくとも何れか一方を制御する制御装置を備えたことを特徴とする家電機器の運転管理システム。
【請求項２７】
使用者の肌の水分量を計測する計測部を更に備えたことを特徴とする請求項２６に記載の家電機器の運転管理システム。
【請求項２８】
前記保湿用空気供給機には表示画面を有しており、当該表示画面は、タッチ式操作画面であり、
前記表示画面には、使用者の肌の水分量のデータを入力するためのキーが表示されることを特徴とする請求項２６に記載の家電機器の運転管理システム。
【請求項２９】
前記保湿用空気供給機の本体には、前記入出力部としてＮＦＣ入出力部を備え、
前記保湿用空気供給機は、前記ＮＦＣ入出力部から使用者の肌の水分量のデータを取得することを特徴とする請求項２６に記載の家電機器の運転管理システム。
【請求項３０】
前記保湿用空気供給機の本体には、前記制御装置に電源を供給する主電源スイッチの操作部を更に有し、
前記ＮＦＣ入出力部は、前記本体の外郭ケースに備え、
前記操作部により前記主電源スイッチを閉じた場合、前記制御装置は、前記ＮＦＣ入出力部の位置に対応して設置してある光源を発光させて当該ＮＦＣ入出力部の存在を明示することを特徴とする請求項２９に記載の家電機器の運転管理システム。
【発明の詳細な説明】
【技術分野】
【０００１】
本発明は、個人の顔等の特定領域を加湿する保湿用空気供給機、家電機器の運転管理システム及び保湿用空気供給機の運転管理システムに関する。
【背景技術】
【０００２】
従来、人の肌の弾力性を向上させるため、美容機関や一般家庭向け分野において、発生させた蒸気を顔などの肌に向けて供給する加湿機が種々提案されている。
例えば、従来の個人向け加湿機としては、容器状の本体ケースの内部に、貯水容器（タンク）と、送風機とを備え、前記貯水容器から供給された水を加湿空気として前記送風機によって本体ケースの外部に吹きだす構成が提案されている（例えば、特許文献１参照）。
またさらに加湿空気の風速と吹きだし温度の調節が容易に行えるように、本体ケースの上面に形成した吹出口に、風向調節手段を設けるとともに、前記吹出口には筒状のノズルを着脱自在に設けたものが提案されている（例えば、特許文献２参照）。
【０００３】
加湿機は、肌に蒸気を当てることにより肌表面に付着している油分、老廃物、化粧などを洗い落とし、肌に潤いを与える効果がある。そこで更に、帯電粒子発生器を搭載して肌の周囲に帯電粒子（イオン）を照射し、肌の保湿性を高める加湿機も提案されている（特許文献３参照）。
【０００４】
一方、肌の水分量を含めた肌状態を測定する装置が色々提供されている。その中には肌の水分量測定手段で測定した肌水分量データを自動的に測定日時とともに時系列的に保存し、被測定者である利用者自身でそれら測定結果のデータを記録する手間が省けるようにした肌の水分量測定装置が提案されている（特許文献４参照）。
【０００５】
さらに、肌水分量等の肌情報に基づいた運転を行うことができる空気調和機を提供するため、肌情報を検出する肌情報検出部及び肌情報を送信する赤外線送信部を備えたリモートコントローラと、取り込んだ空気の空気調和を行うため送風を行う室内機と、リモートコントローラからの肌情報信号を受信する赤外線受信部と、少なくとも前記赤外線受信部で受信した肌情報信号に基づいて室内機の運転制御を行う制御部とを備えたリモートコントローラ及び空気調和機が提案されている（特許文献５参照）
【先行技術文献】
【特許文献】
【０００６】
【特許文献１】特開２０１４−２０７０７号公報（第１頁、図２）
【特許文献２】特開２０１３−３６６８９号公報（第１頁、図２）
【特許文献３】特開２０１４−６４７５８号公報（第１頁、図３）
【特許文献４】特許第４６０９１７１号公報（第１頁、図１）
【特許文献５】特開２００５−２４１１８１号公報（第１頁、図３）
【発明の概要】
【発明が解決しようとする課題】
【０００７】
しかしながら、このように従来においては、保湿用空気供給機では、肌の水分量の把握やその利用が重要であることを示唆し、また肌の水分量の測定装置も提案されているが、実際の保湿用空気供給機をどのような構成で実現し、又は運転するかについては有望な提案が為されておらず、保湿用空気供給機の使用者の不満に応える構成には、なっていなかった。
また良質な睡眠時に湿度の高い空気を使用者の顔の周囲に供給することが効果的であると言われているが、睡眠時間と肌の水分量の情報を有効に活用した、実用的な保湿用空気供給機の提案も無かった。
【０００８】
本発明の課題は、肌の水分量を計測した結果を保湿運転に連携させることで、実用的な保湿用空気供給機を提供し、使用者の利便性を向上させることにある。
【課題を解決するための手段】
【０００９】
第１の発明になる保湿用空気供給機は、
空気流を発生させる電動送風機を内蔵し、高湿度空気の吹出口を形成した本体と、
水蒸気又は水の微粒子を電気的エネルギーで発生させる気化手段と、
使用者が運転条件を入力する操作部と、
前記操作部の入力結果を表示する表示画面と、
保湿運転の開始前及び保湿運転終了後に、使用者の肌の水分量のデータを情報通信端末機器から取得できる無線通信入出力部と、
前記無線通信入出力部から取得した肌の水分量のデータを記憶する記憶部と、
前記操作部の入力と前記記憶部からの肌の水分量のデータに従って前記電動送風機と前記気化手段とを制御する制御装置と、
使用者によって閉じられ、閉じられた場合に前記制御装置に対して電源が供給される主電源スイッチと、を備え、
前記制御装置は、保湿運転の終了後で前記主電源スイッチが開放される前に、使用者に前記肌の水分量のデータの取得を促す報知を行うことを特徴とするものである。
【００１０】
この第１の発明の保湿用空気供給機によれば、保湿運転終了後に、使用者が肌の水分量の計測を忘れることがないように、その都度自動的に注意喚起され、利便性を向上させることができる。しかも、使用者が情報通信端末機器で取得した肌の水分量データを次回以降の保湿運転の条件設定に利用することができ、保湿用空気供給機の使い勝手を向上させることが期待できる。
【００１１】
第２の発明になる保湿用空気供給機は、
空気流を発生させる電動送風機を内蔵し、高湿度空気の吹出口を形成した本体と、
水蒸気又は水の微粒子を電気的エネルギーで発生させる気化手段と、
使用者が運転条件を入力する操作部と、
前記操作部の入力結果を表示する表示部と、
情報通信端末機器に記憶させた肌の水分量のデータを受信するための入出力部と、
前記入出力部から取得した肌の水分量のデータを保存する記憶部と、
前記操作部からの入力情報と前記記憶部の肌の水分量のデータとに従って、前記電動送風機と前記気化手段とを制御する制御装置と、を備え、
前記制御装置は、保湿運転の開始前に、最新の肌の水分量のデータが前記記憶部に記憶されていない場合、前記入出力部を介して前記情報通信端末機器に記憶させた肌の水分量のデータを、前記記憶部に格納することを前記表示部で推奨することを特徴とするものである。
【００１２】
この第２の発明の保湿用空気供給機によれば、保湿運転の開始にあたり、最新の水分量のデータを利用して効果的な保湿運転をすることが表示部で推奨されるので、使用者が肌の水分量のデータ取得を忘れても、保湿運転開始前に注意喚起できる。
【００１３】
第３の発明になる保湿用空気供給機は、
空気流を発生させる電動送風機を内蔵し、高湿度空気の吹出口を形成した本体と、
水蒸気又は水の微粒子を電気的エネルギーで発生させる気化手段と、
使用者が運転条件を入力する操作部と、
前記操作部の入力結果を表示する表示部と、
保湿運転の開始前に使用者の肌の水分量の情報を取得可能な肌情報部と、
情報通信端末機器が計測したデータに基づき外部の情報サーバーから取得した肌の水分量のデータを近距離無線通信で読み込ませるための無線通信入出力部と、
使用者の睡眠時間を計測できる睡眠判定部と、
前記無線通信入出力部から取得した肌の水分量のデータを保存する記憶部と、
前記操作部からの入力情報と前記記憶部の肌の水分量のデータとに従って、前記電動送風機と前記気化手段とを制御する制御装置と、を備え、
前記制御装置は、前記情報通信端末機器から取得した肌の水分量のデータを優先して利用し、その肌の水分量のデータに応じて前記電動送風機と気化手段との運転条件を制御することを特徴とするものである。
【００１４】
この第３の発明の保湿用空気供給機によれば、保湿運転の開始にあたり、情報サーバーで解析されたデータが優先されて運転条件の決定に利用されるので、使用者が情報通信端末機器で肌の状態を計測して外部の情報サーバーから肌の水分量データを取得すれば、そのデータを読み込ませることで外部の情報サーバーの高度な解析結果を利用して保湿運転に反映でき、利便性が向上する。
【００１５】
第４の発明になる保湿用空気供給機は、
空気流を発生させる電動送風機を内蔵し、高湿度空気の吹出口を形成した本体と、
水蒸気又は水の微粒子を電気的エネルギーで発生させる気化手段と、
使用者が運転条件を入力する操作部と、
前記操作部の入力結果を表示する表示画面と、
保湿運転を１回終えた後の使用者の肌の水分量の情報を取得する肌情報部と、
情報通信端末機器が計測して外部の情報サーバーから取得した肌の水分量のデータを前記情報通信端末機器から直接読み込ませるための入出力部と、
使用者の睡眠時間情報を取得し、前記肌情報部と情報通信端末機器とからそれぞれ取得した肌の水分量の情報とともに記憶する記憶部と、
前記操作部と前記記憶部からの情報に従って前記電動送風機と前記気化手段とを制御する制御装置と、を備え、
前記制御装置は、前記記憶部に記憶した複数回分の肌の水分量の中で、所定量以上の肌の水分量が取得された運転時期に対応した「第１の睡眠時間」を抽出する機能を有し、
前記操作部には、保湿運転の開始前の段階で、前記「第１の睡眠時間」の情報を表示することを指令する推奨睡眠時間確認キーを具備したことを特徴とするものである。
【００１６】
この第４の発明の保湿用空気供給機によれば、過去の肌の水分量と睡眠時間の記憶データの中から、肌の水分量が推奨基準を満たした日の睡眠時間を表示させることができるため、保湿運転の時間を設定する際に、参考にでき、利便性が向上することを期待できる。
また使用者が情報通信端末機器で肌の状態を計測して外部の情報サーバーから肌の水分量データを取得し、そのデータを読み込ませることで外部の情報サーバーの高度な解析結果を利用して保湿運転に反映できるので、利便性が向上する。
【００１７】
第５の発明になる保湿用空気供給機は、
空気流を発生させる電動送風機を内蔵し、高湿度空気の吹出口を形成した本体と、
水蒸気又は水の微粒子を電気的エネルギーで発生させる気化手段と、
使用者が運転条件を入力する操作部と、
前記操作部の入力結果を表示する表示画面と、
保湿運転を１回終えた後の使用者の肌の水分量の情報を取得する肌情報部と、
情報通信端末機器が計測して外部の情報サーバーから取得した肌の水分量のデータを前記情報通信端末機器から直接読み込ませるための入出力部と、
使用者の睡眠時間情報を取得し、前記肌情報部及び前記情報通信端末機器からそれぞれ取得した肌の水分量の情報とともに記憶する記憶部と、
前記操作部と前記記憶部からの情報に従って前記電動送風機と前記気化手段とを制御する制御装置と、を備え、
前記制御装置は、前記記憶部に記憶した複数回分の肌の水分量の中で、所定量以上の肌の水分量で、かつ睡眠時間が所定値よりも長い「第２の睡眠時間」の組合せとなる情報を抽出する機能を有し、
前記操作部には、保湿運転の開始前の段階で、前記「第２の睡眠時間」の情報を、保湿運転の推奨時間として表示することを指令する「推奨睡眠時間」確認キーを具備したことを特徴とするものである。
【００１８】
この第５の発明の保湿用空気供給機によれば、過去の肌の水分量と睡眠時間の記憶データの中から、肌の水分量の良かった日で、しかも睡眠時間が長かった日の組み合わせからピックアップした「推奨睡眠時間」を表示させることができるため、保湿運転の時間を設定する際に、参考にでき、利便性が大幅に向上することを期待できる。
また使用者が情報通信端末機器で肌の状態を計測して外部の情報サーバーから肌の水分量データを取得し、そのデータを読み込ませることで外部の情報サーバーの高度な解析結果を利用した保湿運転を実行できるので、利便性が向上する。
【００１９】
第６の発明になる家電機器の運転管理システムは、
保湿用空気供給機を含む複数の家電機器と個々に通信を行い、それら家電機器を個々に制御して家庭内の総電力量を制御する電力指令装置（又は統合管理装置）と、
保湿用空気供給機と近距離無線通信するＮＦＣ通信部を備えた情報通信端末機器と、
前記情報通信端末機器から送信される肌の計測データを分析して肌の水分量のデータを当該情報通信端末機器へ提供する情報サーバーと、
を備え、
前記電力指令装置には、就寝者からの生体情報を受信して睡眠状態を判定する睡眠判定部で取得した睡眠時間データを記憶する記憶装置と、この記憶装置に記憶してある睡眠時間データを前記情報通信端末機器へ移送できる入出力部と、を有し、
前記保湿用空気供給機には、前記情報通信端末機器から読み込まれた肌の水分量のデータと前記睡眠時間データとに応じて保湿運転の時間又は保湿能力の少なくとも何れか一方を制御する制御装置を備えたことを特徴とするものである。
【００２０】
この第６の発明の家電機器の運転管理システムによれば、家電機器を集中制御する電力指令装置（又は統合管理装置）を利用して、効果的な保湿運転を行わせることができる。すなわち、情報通信端末機器を利用して、前記電力指令装置で取得している睡眠時間データと、情報サーバーから取得した肌の水分量のデータとを、保湿用空気供給機へ提供するから、保湿用空気供給機では、睡眠時間のデータと肌の水分量のデータとに基づいて保湿運転時間や保湿能力を決めることができ、使用者が睡眠している間に効果的に保湿運転を行える。このため、家庭内の総電力量を制御する電力指令装置又は統合管理装置について、その利用価値を向上させることも期待できる。
【発明の効果】
【００２３】
この発明によれば、保湿用空気供給機において、肌の水分量の情報を有効に活用し、使用者にこれらの情報も開示できるので、利便性が高く、効果的に運転できる保湿用空気供給機を提供することができる。
またこの発明によれば、効果的な運転を行わせることができる家電機器の運転管理システムを提供でき、さらに１つの情報通信端末機器の情報伝達機能を活用して、家庭の内外でも肌の水分量の計測結果を参考にした保湿運転が可能となる保湿用空気供給機の運転管理システムを提供できる。
【図面の簡単な説明】
【００２４】
【図１】本発明の実施の形態１に係る保湿用空気供給機を適用した１つの家庭の概要図。
【図２】本発明の実施の形態１に係る保湿用空気供給機を適用した１つの家庭の外部通信構成を示す概念図。
【図３】本発明の実施の形態１に係る保湿用空気供給機を使用した１つの家庭の電力指令装置の構成を示すブロック図。
【図４】本発明の実施の形態１に係る保湿用空気供給機の縦断面図。
【図５】本発明の実施の形態１に係る保湿用空気供給機に使用する情報通信端末機器の内部構成を示すブロック図。
【図６】本発明の実施の形態１に係る保湿用空気供給機の内部構成を示すブロック図。
【図７】本発明の実施の形態１に係る統合管理装置（電力指令装置）と保湿用空気供給機の制御動作を示す説明図。
【図８】本発明の実施の形態１に係る情報通信端末機器と保湿用空気供給機の制御動作を示す説明図１。
【図９】本発明の実施の形態１に係る情報通信端末機器と保湿用空気供給機の制御動作を示す説明図２。
【図１０】本発明の実施の形態１に係る保湿用空気供給機の制御動作を示すフローチャート図１。
【図１１】本発明の実施の形態１で使用した情報通信端末機器の制御動作を示すフローチャート図１。
【図１２】図５の情報通信端末機器の正面図１。
【図１３】図５の情報通信端末機器の正面図２。
【図１４】本発明の実施の形態１における統合管理装置（電力指令装置）の制御部の動作を示すフローチャート図。
【図１５】図５の情報通信端末機器の正面図３。
【図１６】図５の情報通信端末機器の正面図４。
【図１７】図１の保湿用空気供給機の操作部と表示画面を示す正面図１。
【図１８】図１の保湿用空気供給機の操作部と表示画面を示す正面図２。
【図１９】本発明の実施の形態１に係る保湿用空気供給機の保湿運転と、統合管理装置（電力指令装置）との間の各種指令信号、報知信号の発信・受信を時系列で示す説明図。
【図２０】本発明の実施の形態１における保湿用空気供給機の制御装置の動作を示すフローチャート図。
【図２１】図２０の動作ステップを更に詳細に示したフローチャート図１。
【図２２】図２０の動作ステップを更に詳細に示したフローチャート図２。
【図２３】図１の保湿用空気供給機の操作部と表示画面を示す正面図３。
【図２４】図１の保湿用空気供給機の操作部と表示画面を示す正面図４。
【図２５】図１の保湿用空気供給機の操作部と表示画面を示す正面図５。
【図２６】図１の保湿用空気供給機の操作部と表示画面を示す正面図６。
【図２７】図１の保湿用空気供給機の操作部と表示画面を示す正面図７。
【図２８】図１の保湿用空気供給機の操作部と表示画面を示す正面図８。
【図２９】図１の保湿用空気供給機の記憶部に格納される各種データの種類を示した説明図。
【図３０】図１の保湿用空気供給機の操作部と表示画面を示す正面図９。
【図３１】図２０の動作ステップを更に詳細に示したフローチャート図３。
【図３２】本発明の実施の形態２における電力指令装置と通信アダプター及び家電機器の構成を示すブロック図。
【図３３】図３２の保湿用空気供給機の操作部と表示画面を示す正面図１。
【図３４】図３２の保湿用空気供給機の操作部と表示画面を示す正面図２。
【図３５】図３２の保湿用空気供給機の操作部と表示画面を示す正面図３。
【図３６】図３２の保湿用空気供給機の操作部と表示画面を示す正面図４。
【図３７】本発明の実施の形態３に係る保湿用空気供給機の内部構成を示すブロック図。
【図３８】本発明の実施の形態３における保湿用空気供給機の制御装置の動作を示すフローチャート図。
【図３９】本発明の実施の形態４における保湿用空気供給機の運転管理システムを示すブロック図。
【図４０】図３９のシステムに利用される業務用の保湿空気供給機の構成を示すブロック図。
【図４１】本発明の実施の形態５に関する、情報通信端末機器と肌状態計測用カメラとの内部構成を示すブロック図である。
【発明を実施するための形態】
【００２５】
実施の形態１．
以下、図１〜図３１を参照して、実施の形態１を説明する。
図１は、本発明の実施の形態１に係る保湿用空気供給機を適用した１つの家庭の概要図。図２は、図１の保湿用空気供給機を適用した１つの家庭の外部通信構成を示す概念図。図３は、図１の保湿用空気供給機を使用した１つの家庭の電力指令装置の構成を示すブロック図。図４は、図１の保湿用空気供給機の縦断面図。図５は、図１の保湿用空気供給機に使用する情報通信端末機器の内部構成を示すブロック図。図６は、図１の保湿用空気供給機の内部構成を示すブロック図。図７は、本発明の実施の形態１に係る統合管理装置（電力指令装置）と保湿用空気供給機の制御動作を示す説明図。図８は、情報通信端末機器と保湿用空気供給機の制御動作を示す説明図１。図９は、情報通信端末機器と保湿用空気供給機の制御動作を示す説明図２。図１０は、図１の保湿用空気供給機の制御動作を示すフローチャート図１。図１１は、本発明の実施の形態１で使用した情報通信端末機器の制御動作を示すフローチャート図１。図１２は、図５の情報通信端末機器の正面図１。図１３は、図５の情報通信端末機器の正面図２。図１４は、本発明の実施の形態１における統合管理装置（電力指令装置）の制御部の動作を示すフローチャート図。図１５は、図５の情報通信端末機器の正面図３。図１６は、図５の情報通信端末機器の正面図４。図１７は、図１の保湿用空気供給機の操作部と表示画面を示す正面図１。図１８は、図１の保湿用空気供給機の操作部と表示画面を示す正面図２。図１９は、図１の保湿用空気供給機の保湿運転と、統合管理装置（電力指令装置）との間の各種指令信号、報知信号の発信・受信を時系列で示す説明図。図２０は、図１の保湿用空気供給機の制御装置の動作を示すフローチャート図。図２１は、図２０の動作ステップを更に詳細に示したフローチャート図１。図２２は、図２０の動作ステップを更に詳細に示したフローチャート図２。図２３は、保湿用空気供給機の操作部と表示画面を示す正面図３。図２４は、図１の保湿用空気供給機の操作部と表示画面を示す正面図４。図２５は、図１の保湿用空気供給機の操作部と表示画面を示す正面図５。図２６は、図１の保湿用空気供給機の操作部と表示画面を示す正面図６。図２７は、図１の保湿用空気供給機の操作部と表示画面を示す正面図７。図２８は、図１の保湿用空気供給機の操作部と表示画面を示す正面図８。図２９は、図１の保湿用空気供給機の記憶部に格納される各種データの種類を示した説明図。図３０は、図１の保湿用空気供給機の操作部と表示画面を示す正面図９。図３１は、図２０の動作ステップを更に詳細に示したフローチャート図３である。
【００２６】
（定義）
本発明で「家電機器」ＥＥとは、主に家庭で使用されることを想定して設計された電気機器をいい、後述する保湿用空気供給機２０やキッチン内家電機器ＫＰ、テレビジョンの受像機２等の映像機器、空気調和機３、空気清浄機や空気脱臭機等の空気処理機、電気ストーブ等の暖房機器、電気掃除機、電気洗濯機（乾燥機能付きを含む）、お風呂に使用される給湯機器（給湯タンク付きを含む）を含む。なお、以下の説明では、家電機器ＥＥという場合には、特に断りがない限り、保湿用空気供給機２０を含む。
【００２７】
本発明で家電機器ＥＥの「識別情報」とは、家電機器ＥＥを特定するための情報で、家電機器ＥＥに固有の情報のことであり、的確な修理や点検を行う場合に必要となる重要な情報である。例えば、具体的には、以下のようなものが識別情報に含まれるが、これらには限定されない。なお、家電機器ＥＥについては、あとで詳しく説明する。
（１）家電機器の製造者名
（２）型名
（３）形式番号
（４）定格消費電力
（５）購入年月日（製造業者や販売業者の品質保証期間の起算日になる場合が多い）
（６）使用開始年月日（食器洗い乾燥機では、法定点検時期の起算日になる）
（７）品質保証書番号
前記（６）の法定点検とは、２００９年４月１日から改正・施行された「消費者生活用製品安全法」で新設された「長期使用製品安全点検制度」による点検をいう。なお、この法律とは別の「電気用品安全法」では、技術基準省令の改正により、長期使用製品安全表示制度が創設されており、消費生活用製品のうち、特定の製品にいついては、設計上の標準使用期間と経年劣化について、消費者に対し適切な保守点検を促すように注意喚起等の表示が義務化されている。そこで、その標準使用期間の参考となるように、消費者に対して表示する「製品の製造日」や製造年月から起算した「経過年数」の情報を、家電機器ＥＥの「識別情報」に含めても良い。
また後述する空気調和機３等の「特定家電機器」（環境改善機器）ＳＰ１であるかどうかも識別情報の一部であり、電力指令装置５と相互に無線通信を行う場合、その電力指令装置５側にこの識別情報が、特定家電機器（環境改善機器）ＳＰ１側から提供される。
【００２８】
本発明で「環境情報」とは、後述する統合環境検知部９及び保湿用空気供給機２０で、それぞれ検出する「環境データ」それ自体と、そのような環境データに基づいて作成した「環境評価情報」を総称したものをいい、家屋の居住快適性に影響する以下のような種類の情報を含むが、これに限定されない。
（１）温度情報
（２）湿度情報
（３）塵埃飛散度（単位容積あたり）情報
（４）花粉飛散量情報
（５）光量（可視光線量）情報・・言い換えると居住空間の明るさの情報である。
（６）騒音情報・・・居住空間の静けさの情報である。
（７）肌の乾燥注意情報、ＵＶ値
なお、保湿用空気供給機２０では、温度情報と、湿度情報に関する室内気温と室内湿度（相対湿度）の２つしか取り扱わない。
【００２９】
本発明で「環境データ」とは、計測された温度や湿度等の物理的状態を示すデータそれ自体をいう。例えば気温３５℃は環境データに該当する。その気温３５℃に基づいて、何らかの評価基準や計算処理等を経て分類やランク付け、又はその他加工をされた情報は「環境評価情報」に該当する。例えば、「室温は高い」、「標準気温」というような情報が前記「環境評価情報」に該当する。
【００３０】
本発明で「肌の乾燥注意情報」とは、空気の乾燥度が肌に与える影響度を示したものであり、例えば、代表的なものとしては、一般財団法人日本気象協会が毎日提供している情報「名称：うるおい指数」がある。この指数は、うるおい指数が５段階（０〜１０、２０〜３０、４０〜５０、６０〜７０、８０〜１００）で示され、数値が低くなるほど、空気の乾燥が肌に与える影響が高いことを示している。また、そのような指数を個人で随時チェックできるように、３０分おきに自動で周囲の気温と湿度を計測し、環境が及ぼす危険性を５段階のＬＥＤライトで知らせるチェッカーも商品化され、チェッカー本体が計測したＵＶ値と気温・湿度を、ワイヤレスで高機能型の携帯電話（情報通信端末機器）に送信する商品も存在している。これら情報をその提供者を問わず、本発明で「肌の乾燥注意情報」という。なお、「ＵＶ値」とは紫外線の強さを人体への影響を考慮しわかりやすく表した国際的な指標「ＵＶインデックス」に準拠したものである。
【００３１】
また本実施の形態１では、「環境情報の利用」とは、後述する各種家電機器ＥＥが前記環境情報をその家電機器ＥＥの、効率的運転又は効果的運転又は環境に配慮した運転に利用することをいい、以下のような例を含む。
（１）温度高い場合、電気炊飯器の保温機能を炊飯工程の終了に連続して動作させる。
（２）湿度の場合、家電機器ＥＥの１種である除湿機を動作させる。または換気扇を運転開始する。空気調和機３の運転条件（目標とする室温など）を変える。さらには、保湿用空気供給機２０を運転開始する。
（３）空中を浮遊するような微細な塵埃が飛量している場合、空気清浄機を動作させる。または換気扇を運転開始する。
（４）花粉飛散量の場合、空気清浄機の運転を開始する。
（５）比較的直径や長さが大きく、床に落下する土埃や衣類の埃等の場合、自走式電気掃除機を運転開始させる。
（６）光量（可視光線量）の場合、照明器具４を点灯させる。
（７）騒音の場合は、騒音がない状態から、深夜などの静寂な時間帯と判断し、ブロワーモーターの運転音や走行音が発生する自走式電気掃除機の運転や、洗濯乾燥用ドラムを回転させる電気モーターの運転音が発生する洗濯乾燥機の運転を避ける。
なお、気温と湿度の関係で、いわゆる「不快指数」を算出し、空気調和機３の運転を開始することも含む。
【００３２】
本発明で「睡眠時間帯データ」とは、入眠時刻と覚醒時刻の双方を特定できるデータをいう。入眠時刻と覚醒時刻の両方のデータを含む場合に限られず、入眠時刻（睡眠開始時刻）と、その時点からの経過時間（睡眠時間）の２つを含むデータでも良い。例えば、「２２時００分入眠、睡眠時間８時間」というデータも睡眠時間帯の１種である。「睡眠時間データ」とは、入眠から覚醒までの経過時間をいい、実際の入眠時刻や覚醒時刻を特定できるデータを含まないものをいう。例えば「８時間」という場合は睡眠時間データであり、「２２時３０分から翌朝５時３０分までの７時間」という場合は、睡眠時間帯のデータになる。
【００３３】
本発明で「肌の水分量データ」とは、人の肌の水分量を計測した結果のデータ（原始データ）と、そのデータを所定の分類・閾値で分けて、水分量の大小関係を規則的に示す二次的な数値に置き換えたものの両方をいう。前者は例えば「水分量３０％」のように表示され、また後者は「水分量は、８０％〜２０％の範囲を、等間隔に１０段階に分けた評価で、低い方から２番目」というように表示される。
【００３４】
さらにまた本実施の形態１では、環境情報の利用により、以下のように居住者の利便性が向上する。
（１）居住環境を良くするために家電機器ＥＥの使用について、アドバイス情報が出る（例えば、換気扇や空気清浄機など）。このアドバイス情報により、居住者の利便性、快適性が確保される。
（２）現在、運転中の家電機器ＥＥが分かる。
（３）離れた居住空間の人の存在・不存在が分かる。
（４）高い温度で、かつ湿度も高い、快適ではない居住空間が分かる。
（５）室内運動をする際に、運動に不向きな居住空間が分かる。
（６）電力指令装置５から、警報を出すために、室温の上限値を設定しておけば、その設定値を超えた部屋があることを知ることが分かり、離れた部屋の環境も知ることができる。
【００３５】
また居住空間内の空気に良い影響を与え、改善することができる家電機器ＥＥを「第１の特定家電機器」（「環境改善機器」）ＳＰ１という場合がある。室内空間の快適性を維持、向上させるために、暖房用の熱を発生する電気ヒーター式ストーブや空気調和機３は環境改善機器の１種である。一方、室内空間の快適性維持・向上が本来の目的ではなく、室内空間に熱を与えてしまう電熱加熱調理器等のような家電機器ＥＥを「第２の特定家電機器ＳＰ２」という場合がある。
さらにまた、複数の家電機器ＥＥの中で、電力削減要請信号ＡＳ２や電力削減指令信号ＡＳ３を受信するものを「第１の家電機器」いう場合があり、またその第１の家電機器と区別するために別の家電機器を「第２の家電機器」という場合がある。
【００３６】
「環境改善機器」ＳＰ１とは、居住空間内の空気の温度、湿度、質を改善する効果のあるものをいう。空気の質を向上させると有害物質や塵埃の含有量が少なく、清浄な空気となる。本発明の対象である保湿用空気供給機２０は、この環境改善機器ＳＰ１の１種である。
【００３７】
本発明の実施の形態でいう「睡眠判定部」２３とは、睡眠センサー２４から、生体情報を受信して睡眠状態を判定する機能を発揮する手段をいう。この生体情報とは、例えば居住者の就寝時（就床時）の生体の心拍、呼吸数、血圧、および体動の時間変化を示す情報であるが、これらに限定されない。
【００３８】
各種の睡眠検知手段や睡眠状態の判定技術が既に提案されており、例えば日本国特許公開２００７−１９９０２５号公報には、睡眠センサー付き身体装着装置及び睡眠報知制御方法が提案されている。また日本国特許公開２０１４−７３２３７号公報には、対象者の呼吸から睡眠状態を推定する睡眠モニタリングシステムが提案され、日本国特許公開２０１４−７０７６６号公報には、脚を具備するベッドと、脚に設置され脚に掛かる荷重を検出する荷重計と、寝室を空調する空調機と、荷重計にて検出された荷重の変動に基づき使用者の睡眠状態を判定し、使用者の睡眠状態に基づきエアコンの設定温度を決定する温度決定部と、寝室の温度が温度決定部によって決定され設定温度になるようにエアコンを制御する制御基板と、を備える、睡眠環境制御システムが提案されている。日本国特許公開２０１４−４２７７３号公報では、浅い睡眠から深い睡眠へと遷移する際に最適な制御を行い、利用者に違和感を与えることなく浅い睡眠から深い睡眠へと誘導することができる睡眠環境温度制御装置が提案されている。その他として日本国特許公開２０１３−２１３６４２号公報では、就寝者に快適な睡眠環境を提供可能な室内環境制御システムが提案されている。
本発明の実施の形態でいう睡眠判定部には、上記したような各種方式、構成の技術が適用できる。
【００３９】
本実施の形態１では、「在宅検知部」４３（「在宅検知手段」ともいう）とは、以下のような手段を含むが、以下の実施の形態の説明では全ての手段については詳しく説明せず、代表的な手段についてのみ詳しく説明する。
（１）住宅の入口（玄関）の外側に設置された電子錠４２とその電子錠に入力された暗証番号や生体情報（例えば指紋情報）から、居住者が帰宅したことを検知する手段。
（２）居住者が保持している固有の身分証やＩＤカード等に記録された個人特定情報を、磁気的又は光学的手段で、あるいは近距離通信やその他通信手段で電力指令装置５に直接読み込ませ、その読み込ませた情報を解読してその本人が在宅していると判定する手段。
（３）居住者が保持している携帯用電話等の情報通信端末機器２５等に記録された個人特定情報を、近距離通信やその他通信手段で直接電力指令装置５に読み込ませ、その読み込ませた情報を解読してその本人が在宅していると判定する手段。
（４）個人が固有している身分証やＩＤカード等、情報通信端末機器２５等に記録された個人特定情報を、特定の家電機器ＥＥに読み込ませ、又は個人だけが知っているＩＤ番号やパスワードを家電機器ＥＥに読み込ませたり、入力キーによって入力したりして、その個人特定情報やパスワードを電力指令装置５側にて解読し、読み込ませた本人が在宅していると判定する手段。
【００４０】
本実施の形態１では、「居住者」とは、後述する１つの家屋に居住する者をいい、血縁関係にある親子、兄弟、姉妹等を含むが、後述する居住空間ＨＡに所定期間だけ臨時で宿泊する訪問者や、生活を共にするその他の者を含んでいる。１つ又は複数の居住空間を１人又は数人で借用している者も含む。なお、家電機器ＥＥを使用した場合には、居住者を「使用者」と呼び、また睡眠時間、睡眠時間帯を計測する場合には、その対象者を「睡眠者」と呼ぶ場合がある。肌の水分量を計測した場合には、「被計測者」と呼ぶ場合がある。
【００４１】
本実施の形態１では、「家庭」とは、特定の管理者が管理する１つの家屋を意味しており、複数の部屋があり、複数の家族が入居している集合住宅も含む場合がある。すなわち、そのような集合住宅でも、１つの家屋の場合と同様に商用電力の上限が１つの電力遮断機器（１つのブレーカーＢＫ、あるいは複数の電力遮断器等）で、一元管理されている場合は、ここでいう家庭とみなす。
【００４２】
本実施の形態１において、後述する電力指令装置５の「動作情報」とは、１つの家庭に設定されている上限の総電力量を示す情報、現在使用している使用電力量を示す情報、前記総電力量と使用電力量の差を表す情報、前記電力指令装置５が制御対象にしている家電機器ＥＥを具体的に特定する名称等の情報、当該家電機器ＥＥの使用状態を示した情報、各家電機器ＥＥで使用されている電力量の情報（例えば１分間の平均電力量）等をいうが、これに限定されるものではない。
【００４３】
本実施の形態１において、後述する保湿空気供給機２０の「記憶装置」（記憶部）とは、特に明記ない限り、制御装置３３の記憶部３３ＲとＮＦＣ記憶部３１の一方又は両方をいうものとする。
【００４４】
本実施の形態１において、「家電機器側の電力制限情報」とは、電力指令装置５から家電機器が受けた電力消費量に関する何らかの信号に関する情報をいい、後述する電力削減要請信号ＡＳ２、電力削減指令信号ＡＳ３の送信を指令に関する情報を含んだものをいう。それら情報には、その信号の受信時期（年月と秒単位の時刻）と信号の意味を示す情報が含まれる。例えば、誘導加熱調理器に対するある時点の電力削減指令信号ＡＳ３について「受信時刻：２０１５年１月１５日  １７時００秒    瞬間最大消費電力量を２％下げ」のような情報である。なお、この家電機器側の電力制限情報は、家電機器、例えば誘導加熱調理器では、その制御装置の記憶装置の中に時系列で記憶されており、主電源をＯＮ又はＯＦＦしても消えない。主電源をＯＮし、ＯＦＦしたことを１回の調理と考えて、少なくとも数回分は記憶保持されるようになっている。それを超えた分が順次自動的に消去される。
【００４５】
本実施の形態１において、「家電機器側の位置情報」とは、居住空間ＨＡの中のどの部屋に、家電機器が存在しているのかを示す情報（コード）であり、例えば居間はコード００１、キッチンはコード００２、寝室は００３、のように事前に電力指令装置５の制御部３６によってルール化されており、家電機器ＥＥを使用して電力指令装置５の制御対象になる場合には、その家電機器の識別情報とともに当該位置情報が電力指令装置５に登録される。
【００４６】
キッチンの厨房家具の中に設置されて使用されるビルト・イン式の誘導加熱調理器や、壁に固定して使用される空気調和機３のように、最初の設置位置が変化しない（非可搬式）家電機器ＥＥの場合は、そのまま永続的に位置情報を利用できる。
【００４７】
しかしながら、自走式電気掃除機や本発明の対象となる保湿用空気供給機２０のように、使用者が任意の場所に持ち運び容易な（可搬式）家電機器ＥＥの場合には、電力指令装置５と無線通信を行った場合に、その最新の位置が電力指令装置５によって割り出される。割り出された結果で、ある居住空間に保湿用空気供給機２０があって保湿運転された場合には、その時の居住空間の識別コードが、その保湿用空気供給機２０の保湿運転のデータ（例えば、運転開始時刻と終了時刻）と対になって、電力指令装置５の制御部３６の記憶部（後述する第２の記憶部）３６Ｂに記憶されるようになっている。言い換えると、その後に別の居住空間において、その保湿用空気供給機２０を再度保湿運転すると、別の居住空間の識別コードが付されて制御部３６の記憶部に記憶される。
【００４８】
電力指令装置５と電気的接続又は通信セッションが確立した家電機器について、その位置を電力指令装置５側から特定する技術は色々提案されている。例えば最近のものでは、日本国特許公開２０１４−７９０３６号公報には、新規に導入した家電機器と電源タップとの関係情報を管理するために、従来では家電機器の使用者が手動で情報を手動登録しなければならないという課題があったことを解決するために、電源タップに家電機器を接続した際、電源タップからは機器接続検知イベントを、また家電機器からは起動完了イベント通知を行い、２つの通知を受信した、家電機器（情報家電）管理装置は、どの情報端末が、どのコンセント口（接続口）に挿されたかの候補情報をテーブルに登録する。その後、家電機器管理装置より電源タップに対し、該当コンセントに対する電源ＯＦＦ指示を行い、相関関係を仮定した情報家電との通信状態をモニタする。電源ＯＦＦ指示の結果、相関関係を仮定した家電機器との通信が切れた場合には、再度、該当コンセントに対する電源ＯＮ指示を行うとともに、仮定した相関関係が正しいものとして家電機器、及び接続コンセントの登録を行う。これにより、家電機器管理装置では、人手を介さずに自動的にコンセント口と家電機器との正しい接続関係を検知し、自動登録処理を行うことが可能となる技術を提案している。つまり、コンセント口を把握することで、家電機器の使用される場所の特定が可能となる。
従って、この実施の形態１の説明では、保湿用空気供給機２０やその他個々の可搬性家電機器の最新の位置を把握する手段についての詳細な説明は省略する
【００４９】
（全体構成）
図１は、本実施形態１の保湿用空気供給機２０を使用した１つの家屋の例を示している。図１において、ＨＡ１は１つの家屋の居住空間（寝室）を示す。ＨＡ２は前記居住空間ＨＡ１と壁ＳＢで仕切られた隣の居住空間（キッチン）を示す。なお、居住空間を総称する場合にはＨＡを符号として使用する。なお、居住空間はこの図１には示していないが、そのほかに「居間」や「浴室」等があり、またトイレのある部屋もある。これ以外の部屋があっても良い。
【００５０】
全ての居住空間ＨＡには、家屋の外部にある電力会社の商用電源ＥＰから例えば２００Ｖの電力が供給されている。その電力は、電力量計３００を介して家屋の内部に引き込まれている。１は前記２００Ｖの商用電源ＥＰにブレーカーＢＫを介して接続された電源線（主幹線）である。前記電源線１には、各種放送受信できるテレビジョンの受像機（以下、「ＴＶ受像機」という）２、空気調和機３、照明器具４Ａ、４Ｂ、台所用電気機器（以下、「キッチン内家電機器」という）ＫＰがそれぞれ接続されている。なお、図１においては、ＴＶ受像機２、空気調和機３、キッチン内家電機器ＫＰは、それぞれ１つしか示されていないが、複数個あっても良い。また照明器具も４Ａ、４Ｂの２つだけではないが、他のものは図示を省略している。
【００５１】
５はブレーカーＢＫを介して電力が供給される電力指令装置であり、居住空間ＨＡ２（キッチン）の壁面等のように、家族が容易に接近できる場所に壁掛け状態で設置されているか、又は床面の上に置いてある。なお、その他の家電機器として、食器洗い乾燥機（図示せず）や自動洗濯衣類乾燥機（図示せず）、その他の家電機器も複数あるが、これらは後で説明する。この電力指令装置５は、１つの家庭の総電力使用量を制限するものであり、１つの家庭では、その内部にある家電機器ＥＥの全部又は主要なものに対して電力供給を遮断し、またはその電力供給量の上限値を制限する等の動作を行う。
【００５２】
本発明でいう「保湿空気供給機２０」は、実施の形態１では家庭の総電力使用量を制限する目的で、電力指令装置５によって電力供給を遮断され、または電力供給量の上限値を制限されない。言い換えると、電力指令装置５からの指令信号で通電が開始される場合はあっても、家庭内の総電力使用量がブレーカーＢＫの容量を超えないように電力指令装置５が監視し、必要な場合には、電力削減要請信号ＡＳ２、電力削減指令信号ＡＳ３が保湿空気供給機２０用に出されて、その供給電力を下げ、又は遮断するような動作をしないので、保湿空気供給機２０から見た場合は、「統合管理装置」である。そこで、以下の説明では、「電力指令装置」を「統合管理装置」と呼ぶ場合がある。
【００５３】
図１において、ＳＬは居住空間ＨＡの天井を構成する壁面を示す。６は、居住空間ＨＡ２の室内の気温と湿度を検出する複合センサー（温度・湿度センサー）であり、環境センサーの１種である。７は、居住空間ＨＡ１の室内気温と室内湿度を検出する温度・湿度センサーであり、環境センサーの１種である。８は、家屋の外部空間に設置された温度センサーであり、環境センサーの１種である。
【００５４】
前記複合センサー６、温度センサー８、温度・湿度センサー７は、測定された温度や湿度を無線又は電気信号で後述する電力指令装置５の統合環境検知部９に送信する機能を有している。またその電源は充電された電池でも良いし、前記電源線１からの電力でも良い。またこれらセンサーの消費電力は１Ｗ（ワット）程度の小さいものであるため、前記電源線１からの電力で運転する場合でも、電力指令装置５の電力制限対象にはしていない。これら環境センサーは、所定のタイミングで電力指令装置５へ計測データを継続的に送信している。例えば、空気調和機３のある居住空間（寝室）ＨＡ２においては、１０分間隔で、またキッチンでは５分間隔で気温と湿度が計測されている。
【００５５】
図示していないが、上記したものの他に、環境センサーの１種として、空気中の花粉の飛散量を測定する花粉センサーと、空気中の単位容積あたりの塵埃量を測定する塵埃センサーと、室内の騒音の大きさを検知する騒音センサーと、室内の明るさを検知する照度センサーとが、各居住空間内のそれぞれ適当な位置に設けてある。また前記温度・湿度センサー７の他に、室外又は家屋の外部の気温と湿度を検知する温度センサーや湿度センサーを設けても良く、花粉センサーは、室内だけではなく室外（例えば家屋の外壁表面や窓の外枠、ベランダ、屋上等）にも設置しても良い。なお、この統合環境検知部９自体は、前記電力指令装置５の本体５Ａに内蔵している前提で図３に記載しているが、この本体５Ａと離れた場所、あるいは別の居住空間に設置し、その本体５Ａと無線又は有線で接続されている場合も、本発明では「電力指令装置５に備えている」と定義している。
【００５６】
図１において、１０は、人間が自然に発する赤外線を検知して居住空間ＨＡ１の中に人間が居るかどうかを検知できる人感知センサーである。１１は、同じく人間が自然に発する赤外線を検知して居住空間ＨＡ２の中に人間が居るかどうかを検知できる人感知センサーである。なお、この他の居住空間ＨＡにもこのような人感知センサーを設置しても良い。
【００５７】
前記人感知センサー１０、１１は、人が居るかどうかを検出した結果を、電力指令装置５の本体５Ａに内蔵された人検知部１２に対し、無線又は電気信号で送信する機能を有している。またその電源は、事前に充電された電池でも良いし、前記電源線１から分岐して供給される電力を使用しても良い。またこれらセンサーの消費電力は１Ｗ〜数Ｗ程度の小さいものであるため、前記電源線１からの電力で運転する場合でも、電力指令装置５の電力制限対象にはしていないので、所定のタイミング（例えば１０秒毎）で電力指令装置９へ計測データを継続的に送信している。なお、人感知センサー１０、１１は、赤外線式だけに限定されず、他の方式、例えば超音波方式のものを採用しても良い。
【００５８】
引き続いて図１を説明する。１３は、前記ＴＶ受像機２のチューナ（図示せず）に接続されている屋外アンテナ、１４Ａは、前記電力指令装置９に接続されたルーターＡであり、このルーターＡは、特定の地域の家庭の電力指令装置５に対して、有益な情報を発信する特定地域の地震情報提供機関や電力会社等の外部機関１５Ａにインターネット等の広域通信回路網（「通信ネットワーク」又は「インターネット」と称する場合がある）１６を介して接続している。
【００５９】
１４Ｂは、前記ＴＶ受像機２に接続されたルーターＢであり、このルーターＢは、前記ＴＶ受像機２を、前記広域通信回路網１６を介して外部機関１５Ｂに接続している。この外部機関１５Ｂは、例えば放送番組を提供する放送局や、医療・健康管理情報・運動計測（運動管理）情報を提供する公的機関や民間会社等であるが、これら以外であっても良い。前記２つの外部機関１５Ａ、１５Ｂは別々のものであっても良く、また同じ機関であっても良い。
【００６０】
運動計測情報を提供する民間会社等とは、例えば、本格的なトレーニングプログラムを希望者へ提供し、また当該希望者が実施した各種運動（歩行、走行、ダンスやヨガ等）のデータや、それら運動した人の体組成バランス（例えば、体脂肪の率）や活動消費カロリー等の各種データを管理する組織をいう。怪我や病気で運動機能が低下した人に対し、その運動機能の改善を目的としたリハビリ情報を提供する機関も含まれている。
【００６１】
図１において、２０は、本発明の対象となる保湿用空気供給機であり、例えば、居住空間ＨＡ１の中に設置されたベッド（寝具）２１の近くに置いて使用される。２２は、その保湿用空気供給機２０を置くためのサイドテーブル等の家具である。
【００６２】
図１において、２３Ａは、寝具２１の近くに置いて使用される睡眠判定部２３の入力部である。この睡眠判定部２３の本体２３Ｍは、後述する電力指令装置５の本体５Ａの内部にあり、入力１つ又は複数の睡眠センサー２４から、無線通信によって計測データを含んだ信号を受信できるように接続してある。
【００６３】
ＨＭは、居住者である。図１では居住者ＨＭは寝具２１の上に寝ている状態である。なお、前記睡眠センサー２４は、例えば、居住者ＨＭの体（脚や指を含む）の一部に装着され、血圧や心拍、体温等を計測するようになっている。なお、前記睡眠センサー２４は、生体から直接体温データ等を取得することに代えて、非接触で計測するセンサーであっても良い。さらに、睡眠判定部２３に近距離無線通信機能を備えることにより、後述する近距離無線通信機能（ＮＦＣ機能）を備えた情報通信端末機器２５から、近距離無線通信によって直接睡眠に関する生体データを受信できるようにしても良い。
【００６４】
次に図２を参照しながら、この家庭の外部の通信環境を説明する。なお、この実施の形態１の電力指令装置５は、ルーターＡ１４Ａを介して外部機関１５Ａに通信ネットワークで接続されているが、一般にホーム・ゲートウエイと呼ばれる機器を使用しても良い。この場合のホーム・ゲートウエイとは、インターネット接続やデジタル放送，ＩＰ電話などの各種デジタル情報メディアと，電力指令装置５やデジタル家電機器などの端末の間に設置する家庭内用機器をいい、それら電力指令装置５等をネットワーク化して制御したり，通信・放送メディアから受け取ったりした情報をそれら電力指令装置５やデジタル家電機器に伝達する役割を担うものである。常時接続型のブロードバンド・サービスで，インターネット接続に加えてＩＰ電話やコンテンツ配信サービスを提供している際に，事業者がこのような家庭の居住者（使用者）に貸し出すルーターを「ホーム・ゲートウエイ」と称する場合が多い。
【００６５】
前記電力指令装置５は、図１では広域通信回路網１６を介して外部機関１５Ａに接続されていたが、実際にはこの図２に示すように、広域通信回路網１６は、１６Ａと１６Ｂの２つ又はそれ以上から構成されており、また中継サーバー２６と、それぞれの広域通信回路網１６Ａ、１６Ｂを介して外部機関１５ＡのＡＳＰ（「アプリケーション・サービス・プロバイダー」のことをいう）サーバー２７にアクセスする。このＡＳＰサーバー２７には、後述するように各種データベースが設けられており、多数の住宅に対応して後述する各種情報を記憶するように構成されている。つまり、このＡＳＰサーバー２７は、情報サーバーとしての機能を保有するので、以後、情報サーバー２７と呼ぶ。
【００６６】
前記情報サーバー２７は、各種家電機器ＥＥの主に制御手段及び情報提供手段として機能するもので、家電機器ＥＥの製造業者（メーカ）、販売業者、修理業者、あるいは情報サービス提供業者等の組織が、単独で、又は２つ以上の組織が共同で設置しており、家電機器ＥＥに関する各種サービスを、広域通信回路網１６を介して利用者に提供するものである。
【００６７】
前記情報サーバー２７には、このサーバーのホストコンピュータとして機能する中央演算処理装置２７ＣＰと、広域通信回路網１６に接続されて情報の授受を行う通信手段である通信部２７ＩＦと、前記家電機器ＥＥのアプリケーション・ソフトウェアを記憶し、また改善ソフトウェアを蓄積している改善ソフトウェア（対策プログラム）提供部２７Ｓと、家電機器ＥＥの使用者を特定する利用者特定用データベース（「使用者情報データベース」ともいう）２７Ｕと、家電機器ＥＥの製造業者（メーカ）が提供した技術情報を蓄積したメーカ側情報データベース２７Ｍと、後述する肌状態判定のための判定部２７Ｈと、がそれぞれ設けられている。
【００６８】
前記情報サーバー２７の判定部２７Ｈでは、情報通信端末機器２５から広域通信回路網１６を介して送信されてくる肌の撮影データから、肌の水分量を分析（推定）する機能があるが、分析結果は水分量を絶対値、例えば「２５％」のように出力する。しかし、このような絶対値での出力ではなく、例えば水分量２８％以下を最低レベルの「−５」とし、ゼロレベルの中心標準域を「３４％以上〜３７％未満」とし、４５％以上を最上位レベルの「＋５」にして、合計１１段階に区分しても良い。このような二次的な評価値に変換したものも、この実施の形態１では「水分量データ」と呼ぶ。
【００６９】
前記情報サーバー２７は、一般に「Ｗｅｂサーバー」（以下「ウェブサーバー」という）と呼ばれているもので良い。ウェブサーバーは、ＨＴＴＰ（ＨＴＭＬ文書や画像などのデータをＷｅｂサーバーとＷｅｂブラウザ間でやり取りするために使われるプロトコル）に則り、各種情報通信端末機器２５、各家庭等にあり情報通信機能を備えた前記電力指令装置５、あるはその他パーソナル・コンピュータ等のような、「情報を受け取る側」の情報処理機器（クライアント）側ソフトウェアのウェブ・ブラウザに対して、ＨＴＭＬやオブジェクト（画像など）の表示情報を提供するサービスプログラム及び、そのサービスが動作するサーバーコンピュータを指す。なお、ウェブ・ブラウザは、「インターネットブラウザ」、又は「ＷＷＷブラウザ」ともいい、「Ｗｏｒｌｄ  Ｗｉｄｅ  Ｗｅｂ」の利用に供するブラウザである。
【００７０】
前記利用者特定用データベース２７Ｕには、利用者からの、所謂ユーザー登録により受け付けた情報として例えば情報サーバー２７へのログインＩＤやパスワードなどの利用者固有情報、ルーターＡ１４Ａのネットワークアドレス（ＭＡＣアドレス）などの設定情報、特定の家電機器ＥＥのネットワークアドレスや種類、型名といった固有の情報（前記した「識別情報」を含む）が記憶されている。つまり、前記家電機器ＥＥの使用者情報を、検索可能な状態で蓄積する機能を備えている。
【００７１】
前記アプリケーションデータベース２７Ｂには、居住空間の外部、例えば居住者の勤務先や外出先等の遠隔地から、電力指令装置５又は家電機器ＥＥを遠隔制御することができるようにした制御用アプリケーション・ソフトウェアが格納・記憶されている。これにより、後述する情報通信端末機器２５、例えばスマートフォンと呼ばれている情報端末機器から情報サーバー２７にアクセスして制御用アプリケーション・ソフトウェアをダウンロード（読み込み）することにより、前記遠隔制御を実現することができる。
【００７２】
情報サーバー２７には、家電機器ＥＥの特定の機種モデルに対応して、家電機器ＥＥの動作プログラムの内容を改善した「改善ソフトウェア」が保管してあり、それを電力指令装置５が広域通信回路網１６を介して入手した場合、当該改善ソフトウェアは、電力指令装置５の入出力部３０Ｂ（図３参照）を介して電力指令装置５から家電機器ＥＥ側へ提供される。なお、ここでいう「改善ソフトウェア」は、「対策ソフトウェア」と同じである。改善ソフトウェアは、１回作成されるだけではなく、必要に応じ、さらに改善したバージョン・アップ版が用意される場合がある。
【００７３】
（肌状態判定）
前記情報サーバー２７には、人の肌の状態を判定する肌状態判定機能があり、そのための判定部２７Ｈを備えている。ここでいう肌の状態とは、少なくとも肌の水分量の状態を含んでいる。ところで、肌の水分量の計測については、例えば日本国特許公開２０１１−２００４６５号公報、特許公開平成１１−１９０６０号公報及び特許公開２００３−１６９７８８号公報等により、種々の肌水分検知装置が提案されている。更に別の特許公開２０１１−１４７４６９号公報では、光電変換部により肌水分の情報が取得される生体情報取得装置が提案され、それは携帯電話に組み込んで構成するのに好適であるとされている。
【００７４】
また、特許公開２０１４−１４５１６号公報では、肌状態測定装置とスキンケア装置（ケアエステ装置）が接続可能なユーザクライアントとしてのスマートフォンと、スマートフォンとインターネット（ネットワーク）を介して接続可能なデータ管理サーバーと、契約者クライアントとしての化粧品会社等の提携会社のコンピュータシステムとを備え、スキンケア装置は皮膚に対して所定のスキンケアを行う作動部と把持部とを有し、制御部を備えるユーザクライアントに接続して、ユーザクライアントの制御部により作動部を制御することを特徴とするスキンケア装置が提案されている。
【００７５】
また、特許公開２０１４−１３１２３７号公報では、顔の肌を拡大撮像して肌の状態を分析するための肌用カメラを有した携帯電話で撮像した肌の画像を、メールやウェブサイトのサーバーへのアップロード等で、肌の画像の分析を行う会社に送ることにより、肌の分析結果をメールで送り返してもらうようなことが容易に可能になることが紹介されている。
【００７６】
この実施の形態１でいう情報通信端末機器２５には、人の肌の表面とその直下の表層を撮影して肌の水分量の計測のための分析データを外部に送信する機能を有しており、当該分析データは、前記情報サーバー２７に送信されるものである。そのため前記情報サーバー２７には、肌の画像の分析を行ってその肌の水分量を分析するために、前記した判定部２７Ｈを備えている。なお、判定部２７Ｈでは、肌の水分量以外に、例えば、肌の色（シミの有無）や所謂「肌のキメ」等も分析できる。キメが粗い原因の１つが、肌の水分量であることは良く知られている。
【００７７】
この実施の形態１でいう情報通信端末機器２５とは、使用者が気軽に携帯して屋内や屋外、その他外出先等で通話やデータ（メール情報を含む）の通信を行える携帯用通信機器のことである。広域通信回路網１６を介して屋外の情報提供サイトから情報をダウンロードしたり、メールを送信・受信したり、遠隔操作信号を発信できる機器であるが、通話できない機器でも良く、そのような携帯用通信機器を総称して情報通信端末機器２５と呼んでいる。なお、小型の携帯用パーソナル・コンピュータも情報通信端末機器の一種である。
【００７８】
本実施の形態１における情報通信端末機器２５は、各家電機器ＥＥの入出力部に数センチメートル程度接近させ（又は接触させても良い）、近距離通信で信号の授受をさせる機能を備えている。なお、この近距離通信とは、Ｎｅａｒ  Ｆｉｅｌｄ  Ｃｏｍｍｕｎｉｃａｔｉｏｎ（略称：ＮＦＣ）としてとして知られている無線通信の国際規格技術のことである。
【００７９】
このＮＦＣの通信では、保湿用空気供給機２０を含む家電機器ＥＥ側に、いわゆる無線タグ（ＮＦＣタグ）が埋め込まれている。当該ＮＦＣタグは、ＮＦＣ用の通信制御ＩＣ（以下、「ＮＦＣ制御回路」という）２８（図６参照）と、この制御回路に接続されていて、外部から所定の周波数の無線を受けると前記制御回路のための電力が発生するアンテナ２９と、前記ＮＦＣ制御回路に接続されているマイクロチップメモリー（以下、「ＮＦＣ記憶部」３１という）とから構成されている（図６参照）。
【００８０】
一方、情報通信端末機器２５側では、そのＮＦＣタグを介して家電機器ＥＥの前記ＮＦＣ記憶部３１からデータを読み取る（ステータス情報を取得する）こと、さらには、逆に情報通信端末機器２５側から制御データ（「制御コマンド」ともいう）を前記家電機器ＥＥのＮＦＣ記憶部３１へ送り、家電機器ＥＥの制御装置３３（「ホストコンピューター」ともいう）が、前記ＮＦＣ記憶部３１に記憶された前記制御コマンドに従って制御動作することができる（このような形式のＮＦＣタグを、「アクティブ・タグ」と呼ぶ場合がある）。
【００８１】
この実施の形態１のＮＦＣは、家電機器ＥＥの内部記憶装置にある情報を、情報通信端末機器２５側で読み出す機能（このような機能のＮＦＣタグを、「単純タグ」と呼ぶ場合がある）だけではなく、家電機器ＥＥ側の動作も情報通信端末機器２５からの制御コマンドによって起動できる機能まで保有している。つまり、情報通信端末機器２５は、家電機器ＥＥからの各種情報の読み出しだけではなく、ＮＦＣ記憶部３１への書き込み機能を有しており、リーダーとライターの２つの機能を保有している。なお、ＮＦＣの利点は、一般的には通信で交換できるデータの形式を制限しておらず、テキストデータは勿論、動画やＸＭＬデータ等を交換できる点にあると言われている。
【００８２】
図２において、３５は基地局であり、居住者ＨＭが所有している情報通信端末機器２５を、図２に示すように離れた場所にある施設３４の場所で使用した場合に、情報通信端末機器２５との間で通信を行う。
【００８３】
図２において、広域通信回路網９８Ｂには、中継サーバー２６、広域通信回路網１６Ａを介して情報通信端末機器２５の基地局３５が接続されており、情報通信端末機器２５から基地局３５を介して情報サーバー２７やルーターＡ１４Ａにアクセスすることができるようになっている。つまり、この家庭の居住者ＨＭが所有している情報通信端末機器２５を、図２に示すように離れた場所にある勤務先の施設３４から広域通信回路網１６Ａに接続すれば、情報サーバー２７にアクセスすることができ、電力指令装置５又は電気機器ＥＥの制御用アプリケーション・ソフトウェアをダウンロードすることにより、家庭から離れた施設３４から、電気機器ＥＥを遠隔制御することができる。
【００８４】
この実施の形態１においては、情報通信端末機器２５から保湿用空気供給機２０を含む家電機器ＥＥ側に対する直接的な遠隔操作はできないようにしてある。これは家電機器ＥＥの中には、電熱調理器等のように高熱を発するもの（第２の特定家電機器ＳＰ２）もあるため、家屋の外から多くの人が利用する通信回路を経由して遠隔操作することは、安全面を考慮して採用していない。その代わり、全て電力指令装置５を経由して家電機器ＥＥの操作が可能となるようにしている。なお、家屋の内部では、情報通信端末機器２５はＴＶ受像機２のみを操作できるように制限してある。遠隔制御の内容は後で詳しく説明する。
【００８５】
図３は、本実施形態１の保湿用空気供給機２０が無線通信で接続された電力指令装置５や、その他各種家電機器ＥＥ等のハードウエアの構成例を示したブロック図である。この図３において、５Ａは、前記電力指令装置５の本体で、外形は箱形状をしている。この本体５Ａの内部には、１つの家庭で使用できる電力使用限度の設定器（図示せず）や、家電機器ＥＥと電力上限値（家庭内で使用できる総電力）との差を判定する比較器（図示せず）、強制的に電力を削減する場合に、削減すべき家電機器の優先順位の設定手段（図示せず）、及びこれら各構成要素を制御する制御部３６が全て格納されている。
【００８６】
図３において、３７は、電力指令装置５の本体５Ａの正面に設けた表示盤、３７Ａは、その表示盤３７の表示画面である。３８は本体５Ａに内蔵された記憶装置（大容量メモリー）で、例えばＤＶＤ記録装置や各種半導体メモリー、又はハードディスクドライブ装置（ＨＤＤ）等である。また、表示盤３７の表面は、例えばタッチ式パネルで構成されており、電力制御や居住空間ＨＡの気温や湿度等の環境関係の情報を表示する表示部としての機能と、画面に触れることにより使用者からの入力が行われる操作入力部３９としての機能とを有している。この操作入力部３９を操作することにより、電力指令装置５における前記した使用限度設定器の上限電力値や電力削減すべき家電機器の（電力供給）優先順位の設定が行える。
【００８７】
図３において、３０Ａ、３０Ｂ、３０Ｃは、無線通信を行うための入出力部である。１つの入出力部３０Ａは、各種家電機器ＥＥと無線通信を行うためのものである。入出力部３０Ｂは、前記ルーター１４Ａと無線通信を行うためのものである。３０Ｃは、ＴＶ受像機２と無線通信を行うためのものである。なお、各家電機器ＥＥには、通信機能を内蔵させずに、（図３には図示していないが）通信用アダプター１００が１つずつ設置してある。前記通信用アダプター１００は、ＩＥＥＥにより策定された、広く普及している無線ＬＡＮ関連規格の一つである「国際標準規格ＩＥＥＥ  ８０２．１１ｂ」で定める２．４ＧＨｚのＩＳＭ帯と呼ばれる周波数帯域を利用するものである。なお、この実施の形態１では、実際の使用中心周波数は２．４１２ＧＨｚ（２４１２ＭＨｚ）〜２．４７２ＧＨｚに設定されている。なお、通信用アダプター１００は、実施の形態２の図３１でも詳しく説明する。
【００８８】
図３において、４０は、ＮＦＣのための無線入出力部である。これは、前記情報通信端末機器２５の無線通信部４１（「無線入出力部」ともいう）（図５参照）が所定の距離（約１０センチメートル）まで接近した場合に、情報の授受が行える通信確立状態となり（１つの通信セッションの開始となる）、情報の授受が行えるための入出力部となる。
【００８９】
前記無線入出力部４０は、電力指令装置９における表示盤３７の操作入力部３９の直ぐ近くの下方に、常時「ＮＦＣ」の文字を表示して設けてある。これにより、無線入出力部４０の設置位置が明確になるようにしてある。
【００９０】
ＴＶ受像機２は、外部機関１５Ｂから緊急的な情報、例えば夏場の日中において、この家庭の総電力量の上限値を早急に下げる動作（いわゆる「ピークカット対応」）して欲しいという要請情報がＴＶ受像機２に届いた場合、あるいは緊急地震情報が気象庁や居住地域を担当する地域の防災センターや地震警報センター等から届いた場合等に、それら情報をこの居住空間ＨＡにいる居住者が早期に知ることができる。なお、ＴＶ受像機２を視聴していない場合であっても、緊急遮断情報が発信された場合、当該情報で起動され、情報を報知するようにしたＴＶ受像機は従来から色々提案されているので、ここでは具体的な説明を省略する。
【００９１】
電力指令装置５の電力関連情報、例えばその時点における家庭内の総電力使用量や、外部から電力削減要請を受けていることを示す情報等を、前記電力指令装置５の表示画面３７Ａで表示するのではなく、居住者が集まっている居間等の居住空間に設置されているＴＶ受像器２で表示させることができる。
【００９２】
３６は、前記したように、３つの無線通信用の入出力部３０Ａ〜３０Ｃや、表示画面３７Ａを集中的に制御する制御部である。またこの制御部３６は、後述するように、家電機器ＥＥに対して、電力削減要請信号ＡＳ２、電力削減指令信号ＡＳ３の送信を指令する。保湿用空気供給機２０は、「第１の家電機器」ではないので、電力指令装置５の入出力部３０Ａから前記電力削減要請信号ＡＳ２、電力削減指令信号ＡＳ３を受信することはない。
【００９３】
前記制御部３６には、電力制御関係で専用の「第１の記憶部」となる第１のメモリー３６Ａ（図示せず）を保有しており、ブレーカーＢＫに設定された総電力量上限値の情報や、各種家電機器ＥＥの消費電力量を制限するための電力量上限値のデータ、さらには居住者毎に設定された電力上限値等の情報が、それぞれ記憶されている。
【００９４】
また制御部３６には、保湿用空気供給機２０専用の「第２の記憶部」となる第２のメモリー３６Ｂ（図示せず）を保有しており、睡眠判定部２３によって取得された睡眠時間、時刻等の各種データやその解析結果の情報が、それを実際に取得した日付や時刻等の詳細情報と対になって時系列に記憶されている。  
【００９５】
さらに、この第２の記憶部３６Ｂには、保湿空気供給機２０の保湿運転中において、保湿空気供給機２０が使用された居住空間における環境情報又は環境データ（例えば、気温、湿度）が、その保湿運転時間と対になって時系列で記録される。例えば、入眠時刻が２３時１０分であった場合、それから１０分ごとに統合環境検知部９によって取得された気温と湿度の環境データが、その時刻情報と共に順次記憶され、睡眠時間帯が例えば２３時１０分から午前５時１０分までの６時間と確定した段階、その６時間平均の気温と湿度が制御部３６によって算出できるようになっている。従って環境データに基づく「環境快適度」等の「環境情報」の生成も可能となる。
【００９６】
なお、前記入出力部３０Ａは、電力指令装置９が広域通信回路網１６経由で入手した各電気機器ＥＥの動作プログラム改善用の特定のコンピュータ・プログラムソフトウェアを、電気機器ＥＥが読み込む（入手する）際に使用される。
【００９７】
図３において、９は前記統合環境検知部である。この統合環境検知部は、前記温度・湿度センサー６、７、８で測定された温度や湿度の情報を受け取る。１２は、人感知センサー１０、１１の人感知情報を受け取る人感知部である。
【００９８】
前記統合環境検知部９には、各居住空間ＨＡの中に、それぞれ照度センサー（図示せず）を設置している。その照度センサーは、居住空間が明るいか暗いかを見分けるためのものであり、例えば前記人感知部１２が、ある居住空間ＨＡに人がいないと判断している状況で、照度センサーが明るい状態であることを示している場合、居住者が照明器具４を点灯したままの状態であることを忘れている可能性が考えられる。そこでこのような場合は、電力指令装置５の制御部３６は、その時点での総電力使用量が使用限度設定器で設定された上限値よりも十分に余裕のある少ない量であったとしても、電気エネルギーの無駄を無くすという観点から照明器具４の消灯を使用者に（表示画面３７ＡやＴＶ受像機２の表示画面を通じて）勧告する。その後、電力指令装置５の制御部３６は消灯指令信号を当該照明器具に発する（但し、当該照明器具４を電力指令装置４の電力削減対象機器になるように、接続しておくことが必要）。
【００９９】
図３において、４３は在宅検知手段（「在宅検知部」ともいう）であり、前記人感知部１２からの人の存在を検知しているかどうかの検知信号を受ける構成になっている。
また居住空間ＨＡの共通した出入口である玄関（図示せず）の外側には、電気錠４２が設置されており、その電子錠に入力された暗証番号や生体情報（例えば指紋情報）に基づいて、居住者が帰宅したことを検知する個人認証手段（図示せず）を備えている。この個人認証装置では居住者からのパスワードの入力に基づいて、居住者であるかどうかを判定するが、その判定結果を前記在宅検知手段４３に送信する構成になっている。なお、居住者ＨＭが携行する情報端末機器２５との情報授受によって、居住者の個人認証を行うようにしても良い。
【０１００】
玄関のドアを電子的にロックしている前記電子錠と個人認証手段については、既に多くの構成例が提案されているので詳しく説明しないが、本実施の形態１においては、各居住者（例えば居住者ＨＭが４人居る場合、居住者Ａ、居住者Ｂ、居住者Ｃ、居住者）にそれぞれ固有のパスワードが割り当てられている。全ての居住者には「４桁の（共通の）数字の後に、個人別数字２文字」というルールでパスワードを決めるように指示されている。居住者Ａのパスワードは「１２３４０１」、居住者Ｂのパスワードは「１２３４０２」、居住者Ａのパスワードは「１２３４０３」となっている。なお、このパスワードは、玄関ドアの電子錠の所に設置してある１０個の入力キー（テン・キー）で入力する。
【０１０１】
前記パスワード入力して居住空間の中に入った後、玄関から逆に外に出る際には、パスワード入力は必要ないが、前記人検知部１２が、所定の時間（例えば３０分間）に亘って全ての居住空間ＨＡから人の存在を検知できない場合は、在宅検知手段４３が、全ての居住者が外出しているものと判断し、それまでに入力した全ての居住者のパスワード入力記録を取り消し、在宅状態から留守状態へ検知情報を変更する。
【０１０２】
この後、居住者が帰宅した場合は、再度パスワード入力が必要となる。なお、玄関から外出する際に、各居住者が外出することを前記個人認証装置にインプットするようにすれば、更に在宅状態の検知は正確になる。また前記したように、パスワードの入力を省略するため、生体情報（例えば指紋情報）から、居住者が帰宅したことを検知する手段に変えたり、居住者が保持している固有の身分証やＩＤカード等に記録された個人特定情報を、磁気的又は光学的手段で個人認証装置に直接読み込ませたりするという方法でも良いが、詳しい説明は省略する。
【０１０３】
図３に示した表示盤３７の表示画面３７Ａでは、前記睡眠判定部２３が判定した睡眠時間関係のデータを、前記情報通信端末機器２５は、そのＮＦＣ入出力部４１を介して読み出すことができる。つまり、仮に保湿空気供給機２０と電力指令装置５の入出力部３０Ａとの間で、無線通信ができない状況（例えば一時的な通信障害）であっても、睡眠時間関係の情報は、入出力部４０を介して情報通信端末機器２５のＮＦＣ入出力部４１で行える。また情報通信端末機器２５で睡眠時間データが取得できることから、情報通信端末機器２５を家庭の外部に持ち出して、遠隔地でその睡眠時間のデータを専門家（例えば医師）に見て貰って質の良い睡眠の助言を得たり、そのデータを加工したりして、帰宅後に、保湿空気供給機２０に読み込ませ、その夜の保湿運転の時間設定に利用するという便利な利用方法も可能となる。
【０１０４】
この実施の形態１でいうアイコンとは、前記した表示画面３７Ａや後述する保湿空気供給機２０の表示画面１０１の上に表示され、特定の機能の選択が行われるものであり、図形だけではなく、文字でその特定機能を表現している場合も含む。そのアイコンにタッチすれば、そのアイコンに対応付けてある所定の入力が行える。
【０１０５】
図１〜図３に示したＴＶ受像機２の表示画面で表示できる情報と、表示盤３７の表示画面３７Ａで表示できる情報とは、基本的に較差はない。つまり電力指令装置５の「動作情報」、統合環境検知部９の「環境情報」は、ＴＶ受像機２の表示画面でも表示盤３７の表示画面３７Ａでも、同様に表示可能である。但し、ＴＶ受像機２では、通常２０〜６０インチの画面サイズであるのに対し、表示盤３７の表示画面３７Ａの画面サイズは、１０〜１５インチ程度と、数分の１以下と狭いので、全く同じ内容が同じ大きさで表示される訳ではない。当然ながら表示される文字のサイズは小さくなるが、前記した居住空間の温度・湿度表示情報や各種環境情報は、何れも表示される。
【０１０６】
以上説明した構成により、ＴＶ受像機２の液晶表示画面と表示盤３７の表示画面３７Ａとの間で、表示される情報の齟齬が生じないようにして、キッチンでも居間でも同じ情報を確認できるようにしている。なお、これら各種情報の表示画面３７Ａでの表示は、前記制御部３６の表示用制御プログラムによって実行される。
【０１０７】
（保湿用空気供給機）
次に図４に基づいて本発明の保湿用空気供給機２０について詳細に説明する。
図４において、保湿用空気供給機２０は、所定の温度（例えば４０℃）の高い湿度の空気（蒸気と空気の混合物）を供給し、その高湿度の空気によって居住者が顔等の保湿効果を期待するものである。特に就寝中に用いられることを想定して設計されている。
【０１０８】
前記保湿用空気供給機２０は、本体２０Ａ全体の周囲を囲む本体ケース４９と、この本体ケース４９の底面を閉鎖している底板５１とによって外郭が構成されている。
【０１０９】
前記本体ケース４９の内部には、その後部にカートリッジタンク５６が支持台（図示せず）上に載置されている。そしてこのカートリッジタンク５６の中に入れた水が水受け弁（図示せず）を介して、後述する高温空気生成部（ボイラー室）５９の底部へパイプ（図示せず）によって供給されるようになっている。なお、カートリッジタンク５６は、本体ケース４９の中から容易に取り出せ、水を補給できる構造になっている。
【０１１０】
５９は、金属製のボイラー５８の中に形成された密閉空間である高温空気生成部（ボイラー室）であり、高温空気生成部６９の外壁面には、前記カートリッジタンク５６から、常に一定の水位となるように供給される水６０を加熱する電熱源９０が装着されている。
この電熱源９０とこれによって加熱される前記ボイラー５８の両者は、本発明でいう「気化手段」を構成するものである。
保湿運転時には、保湿用の高温蒸気を発生させるために、電熱源９０で水６０を蒸気化させることができる。４４は、温度検知器であり、ボイラー５８の外壁面に接触状態に固定されており、ボイラー５８の温度を検知して、ボイラー室５９の内部の水６０が沸騰状態であるかどうかを推測するものである。なお、この温度検知器４４は、図５には図示していないが、温度検知情報は、制御装置３３に一定時間間隔で入力されるようになっている。これにより、制御装置３３が、ボイラー５８の温度を監視するようになっている。
【０１１１】
５５は、ファンを内蔵した電動送風機であり、本体ケース４９の一部に設けた吸込み口（図示せず）から、図４の矢印ＦＡで示すように、居住空間ＨＡ内の空気を吸い込み、これを矢印ＦＣに示すように搬送風（案内風）として保湿用空気供給機２０の前面上部壁に貫通して形成した送風口５３に送る。
【０１１２】
前記送風口５３には、送風口５３を貫通するような送風案内用のダクト５４が設けてある。５２は、そのダクトの末端に形成された吹出口であり、図示していないが、使用者の指等の異物が入らないようにルーバー（格子）形状になっている。この吹出口５２からは、４０℃程度の高湿度の空気流が、前方（図４の矢印Ｘ方向）へ送りだされる（矢印ＦＤ参照）。つまりボイラー室５９の内部からの高温の蒸気流は、電動送風機５５からの冷たい空気流によって上昇することを抑制されながら前方へ搬送され、吹出口５２から前方方向７０ｃｍ〜８０ｃｍ程度の位置では、直径が３０ｃｍ程度で、湿度が４０％〜５０％の適度な湿度の空間を生成する。その空間の位置に使用者の顔があれば、顔の湿度を適度に保つ効果が期待できる。なお、吹出口５２から吹き出される高湿度の風の速度は、２５ｃｍ／秒程度の遅いものであり、使用者にやさしい風になるように前記電動送風機５５の送風量や前記高温空気生成部（ボイラー室）５９の蒸気発生量が調整されている。
【０１１３】
５０は、一端開口部が前記電動送風機５５の送風出口側に、また他端開口部が前記ダクト５４に連結されたダクトである。６１は、前記高温空気生成部（ボイラー室）５９の上部に連結されている混合室であり、その途中の背面側には、前記ダクト５０の途中から分配された空気の一部分が、矢印Ｆ１に示すように導入する連通孔（図示せず）が形成されている。
【０１１４】
５９Ａは、高温空気生成部（ボイラー室）の天井面に形成した開口、５４Ａは、ダクト５４の底壁に形成した開口であり、この開口を通じて高温空気生成部（ボイラー室）５９からの高温水蒸気が導入される。５４Ｂは、ダクト５４の背面壁に形成した開口であり、この開口に前記ダクト５０の前方端開口部が接続されている。
【０１１５】
前記本体ケース４９の前面（正面）には、その上部に、液晶画面９５を利用したタッチパネルが配置されているため、この液晶画面９５が入力操作部７１（図６参照）を兼ねている。前記液晶画面９５の下方近傍には、近距離通信（ＮＦＣ）のためのタッチ位置を示す表示部６３が設けてあり、この表示部は、近距離通信用入出力部でもある。６４は、前記近距離通信用入出力部６３を内側から光で照らすための発光ダイオード素子（ＬＥＤ）である。以下、この液晶画面９５と表示部６３の両者を総称して、「表示画面」又は「タッチ式表示画面」１０１と呼ぶ。なお、使用者の肌の水分量を示すデータは、後述する肌水分計測部６７で計測されるが、これとは別に、入力操作部７１によって、使用者が肌の水分量を示すデータ（例えば、４０％という数値）を直接制御装置３３に入力できるようなっている。
さらにこの実施の形態１では、前記した情報通信端末機器２５が、情報サーバー２７の判定部２７Ｈで分析された肌の水分量データも、前記近距離通信用入出力部６３から入力することができる。つまり、肌水分計測部６７で計測されるよりも更に専門的（専用の解析アルゴリズムを利用したもの）でかつ詳細な水分量分析結果が前記情報サーバー２７の判定部２７Ｈによって行われ、その判定結果が情報通信端末機器２５から取得できるところが大きな特徴である。なお、情報通信端末機器２５には、居住者ＨＭの肌の状態を光学的に検出する特別な機能を有しているが、それについては後で述べる。
【０１１６】
６７は、使用者の肌の水分量を計測するセンサー部（肌水分計測部）であり、前記本体ケース４９の内部に計測情報を送信できるようケーブル６７Ａが接続されている。なお、このケーブル端部にコネクタを設け、前記本体ケース４９と着脱自在に構成しても良い。またケーブル６７Ａは、使用者が自分の顔の所まで肌水分計測部６７を接近させて計測しやすいように、伸縮自在なものにしても良い。
【０１１７】
７０Ａは、前記本体ケース４９の前壁（正面壁）に押圧操作可能に支持された主電源スイッチ７０（図６参照）の押しボタン。６９は、保湿用空気供給機２０のホストコンピュータとして機能する制御装置３３の中核を構成するマイクロコンピューター３３Ａや、前記発光ダイオード素子（ＬＥＤ）、液晶画面５５の駆動用電子回路部品３３Ｂ等を実装した回路基板である。２９は、前記近距離通信用入出力部６３の一部を構成しているアンテナである。
【０１１８】
６８Ａは、電力指令装置５の入出力部３０Ａとの間で直接無線通信を行うための通信アンテナ部であり、前記液晶画面９５の後方の空間内に水平に設置されている。この通信アンテナと送受信回路（図示せず）とによって無線通信用の入出力部６８を構成している。
【０１１９】
（情報通信端末機器２５の内部構成）
図５において、情報通信端末機器２５は、液晶表示基板等から構成された表示画面７３Ａを有する表示部７３と、使用者が操作する複数の入力キーを有する操作入力部（操作部）７４と、無線インターフェース（無線通信入出力部）４１と、姿勢検知部７５と、マイクロコンピューターを内蔵した制御部７６と、操作場面に応じた複数種類の合成音声を出力し、かつ必要に応じて情報通信端末機器２５を振動させる小型バイブレータを内蔵した報知部８７と、を備えている。このバイブレータは、前記報知部８７から音声を出す（鳴動）するときに、それと同期して情報通信端末機器２５自体を振動させることができ、これにより表示部７３だけでは確実に使用者に対して操作状況や通知の着信等を伝えることができない状況でも、音と振動でそれを補うことができる。
【０１２０】
８８は、肌状態計測部であり、後述するレンズ８８Ａと、発光部を構成する発光ダイオード８８Ｂと、撮影部８８Ｃと、受光素子８８Ｄと、記憶部８８Ｅと、を備えている。
【０１２１】
８８Ａは、レンズであり、これは人の肌表面に近接した位置で、その肌表面を拡大して接写するためのものである。なお、この接写時には、太陽光やその他外乱光が周囲からレンズ８８Ａ前方の撮影部分に入らない構造になっている。
８８Ｂは、前記レンズ８８Ａの背後側から肌の撮影の照明用の特殊な光を発する発光ダイオード（ＬＥＤ）である。例えば近紫外光から近赤外光の領域の光を放射する複数個の発光ダイオード（ＬＥＤ）を組み合せて、可視光線で撮影できる皮膚の表面に加え、皮膚下層の状態も撮像データとして取得し、それらデータを専用の解析アルゴリズムによって分析することにより、少なくとも肌の水分量を計測できるようにしてある。
【０１２２】
８８Ｄは、１つ又は複数個の受光素子である。８８Ｃは、後述する制御部７６からの撮影指令信号を受けて前記発光ダイオード８８Ｂを発光させる撮影部である。８８Ｅは、肌に向けて発光ダイオード８８Ｂから照射された光が、肌から反射して戻って来るので、前記受光素子８８Ｄが所定時間内に受光した受光量を一時的に記憶する記憶部である。この記憶部に記憶された受光量のデータは、前記制御部７６からの送信信号に従って読み出され、後述する無線入出力部４１から外部へ送信される。なお、後述する操作部７４を使用者が操作することによって、前記制御部７６から撮影部８８Ｃに対し、撮影指令信号が発信され発光ダイオード８８Ｂを発光させる。
【０１２３】
無線入出力部４１は、２つの入出力部から構成され、その１つは、前記広域通信回路網（通信ネットワーク）１６との間で所定の通信を行う無線入出力部４１Ａであり、他の１つは、前記電力指令装置５のＮＦＣ入出力部４０及び保湿空気供給機２０のＮＦＣ入出力部６３との間で、それぞれ近距離無線通信する無線入出力部４１Ｂである。
【０１２４】
前記表示部７３、操作部７４と、無線入出力部４１、姿勢検知部７５、制御部７６、報知部８７及び肌状態計測部８８は、図示していないが、信号回路で相互に接続されている。前記姿勢検知部７５には、ジャイロセンサーを備えており、使用者が情報通信端末機器２５を（左右・前後方向に）傾ける際の姿勢を検出して、当該姿勢を示す信号を前記制御部７６に出力する。
【０１２５】
制御部７６は、大きく分けて中央演算処理装置（ＣＰＵ）７７と、半導体記憶素子を主体に形成された記憶部７８とを備える。ＣＰＵ７７は、記憶部７８の中にあるＲＯＭ、ＲＡＭ部７９に格納されている制御プログラムに従って、情報通信端末機器２５全体の処理を実行するものであり、処理を実行する過程で必要なデータを前記ＲＯＭ、ＲＡＭ部７９から読み出したり、処理を実行する過程で生成したデータを、前記ＲＯＭ、ＲＡＭ部７９に格納したりする。８６は、記憶部７８の一部を構成する半導体製の不揮発性メモリーである。このメモリー８６には、前記無線入出力部４０から読み込んだ各種情報（睡眠時間の情報を含む）を記憶させておくことができる。また、電力指令装置５から読み込んだ各種電気機器ＥＥの運転状況を示す情報、睡眠時間の情報や、統合環境検知部９から提供された環境情報、「異常発生情報」、及び情報サーバー２７から送信された情報、後述する対策ソフトウェア等が一時的に記憶・蓄積される。この「一時的」という意味は、使用者が特に消去の指令操作をしない限り保存される場合や、１ケ月又は１週間等の一定期間だけ自動的に記憶保持され、その期間経過後には自動消去される場合を指す。前記した肌状態計測部８８の受光量のデータも、このように記憶部８８Ｅに「一時的」に記憶される。
【０１２６】
前記記憶部７８には、前記アプリケーション・ソフトウェア部８０が含まれ、このアプリケーション・ソフトウェア部８０には、受信処理部８１、送信処理部８２、通信確立部８３、表示制御部８４、選択確定部８５、メモリー８６が含まれている。
【０１２７】
前記「異常発生情報」とは、電力指令装置５の制御部３６が、家電機器ＥＥ、例えば保湿用空気供給機２０から、その電熱（加熱）源９０（図４、図６参照）の緊急停止を示す信号を受けた場合に、新たに生成する特別な情報である。この異常発生情報は、前記情報通信端末機器２５と、情報サーバー２７で認識される専用情報である。つまり、家庭の外部へ家電機器ＥＥの異常発生を知らせるための情報である。この異常発生情報には、電気機器ＥＥの個別の異常発生データ（例えば、電圧値や温度、温度上昇速度など）も含まれる。
【０１２８】
前記記憶部７８には、保湿用空気供給機２０等の家電機器ＥＥのアプリケーション・ソフトウェアを格納することができるアプリケーション・ソフトウェア部８０がある。このアプリケーション処理部８０は、また電力指令装置５の表示盤３７のためのアプリケーション・ソフトウェアも格納する。アプリケーション・ソフトウェア部８０のソフトウェアは、情報通信端末機器２５の外部からインストールされたものでもよいし、情報通信端末機器２５の出荷時から記憶部７８に格納されているものでもよい。つまり、情報サーバー２７から送信された対策ソフトウェアプログラムも、この記憶部７８に格納される。
【０１２９】
ＣＰＵ７７が上記のアプリケーション・ソフトウェア部８０に従って処理を実行することによって、所定の受信処理８１、送信処理部８２、通信確立部８３、表示制御部８４、選択確定部８５、の各機能が実現される。これら各部分の動作について後で説明する。
【０１３０】
次に図６について説明する。この図６は、保湿用空気供給機２０における表示画面１０１と、近距離無線通信用入出力部６３を中心に説明するブロック図である。
前記表示画面１０１を構成している液晶表示基板９５の表示画面は、周知のドットマトリックス型液晶表示画面である。また高精細（３２０×２４０ピクセルの解像度を備えているＱＶＧＡや６４０×４８０ドット、１６色の表示が可能なＶＧＡ相当）の画面を実現でき、文字を表示する場合でも多数の文字を表示することができる。前記液晶表示画面は１層だけではなく、表示情報を増やすために上下２層以上で表示するものを使用しても良い。
【０１３１】
（保湿用空気供給機の回路構成）
図６において、９１は、前記表示画面１０１の駆動回路である。この駆動回路は前記制御装置３３と接続されている。 
駆動回路９１は、表示用メモリー９１Ａ、表示コントローラー９１Ｂ、インターフェース９１Ｃ、電源９１Ｄ、コモンドライバー９１Ｅ、およびセグメントドライバー９１Ｆを備えている。 
【０１３２】
駆動回路９１は、図６に示している通り、電源回路９２からの電力により動作し、インターフェース９１Ｃにより制御装置３３の内蔵メモリー３３Ｒから表示用の画像情報を取得する。このメモリー３３Ｒを、以下「第１の記憶部」と呼ぶ。
表示用メモリー９１Ａは、制御装置３３から取得した画像情報を記憶する。
【０１３３】
図６において、表示コントローラー９１Ｂは、表示用メモリー９１Ａに記憶された画像情報を読み出し、この画像情報に基づいて、コモンドライバー９１Ｅおよびセグメントドライバー９１Ｆを継続的に駆動する。コモンドライバー９１Ｅおよびセグメントドライバー９１Ｆは、表示画面１０１の各画素に対応して設けられた互いに交差する電極に電圧を印加することで液晶を駆動する。
【０１３４】
前記駆動回路９１は、表示用メモリー９１Ａに記憶された画像情報を、必要な都度表示画面１０１に表示させる。なお、表示コントローラー９１Ｂによって表示画面１０１に表示させる情報は、後述するように異常の種類や原因等が分かるように、文章化されたテキストデータも含まれる。
【０１３５】
図６において、２８は所定の位置に配置されたＮＦＣタグの一部を構成するＮＦＣ用の通信制御ＩＣ（ＮＦＣ制御回路）である。２９は、このＮＦＣ制御回路２８に接続されていて、外部から所定の周波数の無線を受けるとＮＦＣ制御回路２８のための電源となる誘導電力を発生させアンテナである。３１は、前記ＮＦＣ制御回路２８に接続されているマイクロチップメモリー（前述した「ＮＦＣ記憶部」と同じ）である。このメモリーを以下「第２の記憶部」と呼ぶ。
【０１３６】
図６において、６４は、前記ＮＦＣ用入出力部６３を構成するアンテナ２９部分の近傍を囲むように設置された発光ダイオード素子（ＬＥＤ）である。このＬＥＤによって近接通信のためのタッチ位置を示す表示部６３（前記近距離通信用入出力部と同じ）は、本体ケース４９の前面壁（正面壁）の内側から光で照らされるので、使用者は、保湿用空気供給機２０と情報通信端末機器２５との間でＮＦＣ通信状態を確立させる場合に、情報通信端末機器２５を接近させる位置が容易に分かる。
【０１３７】
前記ＬＥＤ６４は、常時発光していなくとも良く、制御装置３３によって駆動回路９１の動作と連携するようになっているため、近距離通信（ＮＦＣ）機能のある情報通信端末機器２５等で、睡眠時間データや、詳しい異常内容と対処方法等の情報が得られる旨表示することに同期して、駆動回路３５により所定タイミングで点灯される。なお、点灯から一定時間経過後、ＬＥＤ６４を自動消灯する構成にしても良い。
【０１３８】
また、情報通信端末機器２５で、情報サーバー２７から肌の水分量に関する分析データを受信した場合、当該データは、メモリー８６に格納される。この肌の水分量に関する分析データは、保湿用空気供給機２０と情報通信端末機器２５との間でＮＦＣ通信状態を確立させた場合、情報通信端末機器２５から保湿用空気供給機２０のＮＦＣ記憶部３１に移される。つまり、情報通信端末機器２５側には、このように保湿用空気供給機２０と情報通信端末機器２５との間でＮＦＣ通信状態を確立させた場合、肌の水分量に関する分析データは、過去分として例えば１週間分（合計７回）だけ残存し、それを超えると古いデータから自動的に消去され、常に過去１週間又は７回分だけのデータが情報通信端末機器２５側に保存される。なお、情報通信端末機器２５から保湿用空気供給機２０のＮＦＣ記憶部３１に肌の水分量に関する分析データが格納された場合、その日時データが対になって記憶されるが、その時刻データは情報サーバー２７で付加されたものである（情報通信端末機器２５で時刻データを付加しても良い）。
【０１３９】
主電源スイッチ７０をＯＮにしたあと、後述する肌情報部４６で新たに肌の水分量に関する分析データを取得した時点から比較的短時間、例えば１０秒以内において、情報通信端末機器２５から保湿用空気供給機２０のＮＦＣ記憶部３１に肌の水分量に関する分析データが格納された場合は、その後の保湿運転では、ＮＦＣ記憶部３１に肌の水分量に関する分析データを制御装置３３が（１回の保湿運転だけに）用いられる。同様に、肌情報部４６で新たに肌の水分量に関する分析データを取得した時点から比較的短時間、例えば１０秒以内において、入出力部６３経由で第１の記憶部３３Ｒに肌の水分量に関する分析データが格納された場合、制御装置３３は、その第１の記憶部３３Ｒの方の分析データをその直後の（１回の保湿運転だけに）用いる。このように、肌水分計測部６７で計測する肌の水分量の計測結果よりも、情報通信端末機器２５が直接情報サーバー２７から取得する分析データと、電力指令装置５が情報サーバー２７から取得し、保湿用空気供給機２０に転送する分析データとを優先する設定になっている。これは情報サーバー２７の方が詳細で正確な分析ができるという分析性能の優位さが前提になっている。
【０１４０】
表示部駆動回路９１は、制御装置３３を構成するマイクロコンピューターとは別の、専用のマイクロコンピューター（図示せず）によって構成されているが、同じマイクロコンピューターで構成しても良い。
【０１４１】
図６において、９３は、リアルタイム・クロックとも呼ばれている時計回路であり、後述する主電源スイッチ７０に繋がる電源回路９２とは別の専用電源（内蔵電池）から電源が供給され、長期間に亘って駆動されるようになっている。これは例えば電波時計でも良く、常に制御装置３３から求めがあれば、現在の日にちと正確な時刻を秒単位で知らせるものである。このため、保湿用空気供給機２０の製造段階で正しい日時にセットされている。従って、保湿用空気供給機２０の主電源を切り、その後再度主電源を投入しても、この時計回路の時刻情報は影響受けず、常に最新の正しい時刻を制御装置３３に伝える機能がある。このため、前記制御装置３３の記憶装置３３Ｒに記録される各種情報は、常に正確な時間が同時に記録されて保存されることになる。従ってＮＦＣ用入出力部６３から情報通信端末機器２５によって外部に読み出される異常監視データには、前記した発生時刻情報が付加されている。これにより後でデータを分析する際に、時間経過が正確に把握できる。
【０１４２】
前記制御装置３３は、電力指令装置５に対して睡眠時間を把握するために、入眠時点の時刻データ等のような、リアルな情報の提供を求める場合がある（これは、図７で説明する）。つまり、睡眠判定部２３を利用した電力指令装置５による睡眠時間の判定結果を待つのではなく、制御装置３３自ら入眠時刻、覚醒時刻等のタイミングを示す情報から実際の睡眠時間帯を把握できる機能がある。
【０１４３】
図６において、７０Ａは、前記したように主電源スイッチ７０の操作ボタンであり、一度押すとスイッチは閉（ＯＮ）となり、次に押すと開（ＯＦF）となり、以後これを繰り返す。
【０１４４】
図６において、４５は、前記統合環境検知部９と同様に、環境データを取得する機器側環境検知部である。この機器側環境検知部４５は、室内空気の温度と湿度を検出する。
４６は、肌水分計測部６７からの計測データを分析し、肌の水分量を判定する肌情報部である
【０１４５】
次に図７について説明する。図７は、本発明の実施の形態１に係る保湿用空気供給機２０と電力指令装置（統合管理装置）５との制御動作を示すタイムチャート（説明図）である。
図７は、保湿用空気供給機２０の運転開始にあたり、電力指令装置５から睡眠時間のデータを取得して、保湿運転開始するという場合のものである。
【０１４６】
以下、各動作Ｔ１〜Ｔ１３について説明する。
使用者が、保湿用空気供給機２０の主電源スイッチ７０をＯＮし（Ｔ１）、「睡眠時間対応モード」ともいう「お任せモード」を選択すると、この選択結果を示す信号が保湿用空気供給機２０から電力指令装置５に送信される（Ｔ２）。この送信は、前記無線通信用の入出力部６８から行われる。
【０１４７】
電力指令装置５の制御部３６は、睡眠判定部２３に対して、睡眠センサー２４を起動して睡眠時間のデータを取得するように指令する（Ｔ３）。すると睡眠判定部２３は、睡眠センサー２４を起動する。
【０１４８】
その後、使用者が入眠し、睡眠判定部２３が「入眠状態になった」と判定した場合、その時点の時刻情報が制御部３６へ報知される（Ｔ４）。制御部３６は、前記入眠時刻のデータを、即時保湿用空気供給機２０の無線通信用の入出力部６８から制御装置３３へ送信する（Ｔ５）。
【０１４９】
保湿用空気供給機２０では、制御装置３３が、その通知された時刻を記憶装置３３Ｒに記憶させる一方、電熱源９０に通電開始し、高温空気生成部（ボイラー室）５９で水蒸気の発生を開始する。そして蒸気が発生する段階で電動送風機５５にも通電開始して送風を開始する。これにより保湿空気の供給が開始されるので、制御装置３３は保湿運転を開始したことを電力指令装置５へ通知する（Ｔ６）。なお、図７においてＴ２からＴ５の時点までの時間Ａが３０分と記載しているが、この時間は、使用者が入眠するまでの時間に依存するので、毎回（入眠の都度）同じではない。この図７の例では、お任せモードを使用者が設定し、そのあと就寝したが、入眠と判定された時点は前記お任せモードの設定から３０分後であったことを示している。
【０１５０】
次に、保湿用空気供給機２０では、制御装置３３が予め決められた時間（この例では３時間＝１８０分間で、「保湿運転時間Ｂ」）だけ、上記した保湿運転を行い、所定の時間が経過した段階で自動的に電熱源９０への通電を停止し、そのあと数分して電動送風機５５への通電も停止し、保湿用空気の供給を停止する。そしてこの保湿運転終了を電力指令装置５へ通知する（Ｔ７）。
【０１５１】
その後、使用者が覚醒し、睡眠判定部２３が「覚醒状態になった」と判定した場合、その時点の時刻情報が制御部３６へ報知される（Ｔ８）。制御部３６は、前記覚醒時刻のデータを、即時保湿用空気供給機２０の無線通信用の入出力部６８から制御装置３３へ送信する（Ｔ９）。この例では、入眠時点Ｔ５から覚醒時点Ｔ９までの経過時間が３６０分であり、睡眠時間が６時間であったことが保湿用空気供給機２０の制御装置３３で分かる。そのため制御部３３は、このような一連のデータを記憶装置３３Ｒと、ＮＦＣ記憶部３１に、それぞれ記憶させる。またこの睡眠時刻データの取得日時もセットにして記憶させておく。なお、ＮＦＣ記憶部３１に記憶させておくのは、この保湿用空気供給機２０の主電源を切った状態でも、情報通信端末機器２５がデータを読み出せるようにするためである。
【０１５２】
なお、一旦覚醒状態になったあと、使用者がトイレに行くときなど、一時的に覚醒する場合があるが、その場合、入眠時刻から３時間以内は、本来の覚醒ではないと保湿用空気供給機２０は見做して、そのまま保湿運転継続する。また入眠時刻から３時間超過以降、５時間以内でも、上記のような一時的な覚醒は、本来の覚醒ではないと保湿用空気供給機２０は見做して、覚醒情報の判定を受けてもそのまま１０分間は保湿運転継続し、１０分経過後に自動的に保湿運転は停止する。しかし、途中で覚醒あった場合でも、その後３０分以内にまた入眠状態になった場合には、保湿運転を自動的に再開するようにしても良い。一方、最初の覚醒時刻から３時間以内に保湿運転を制限するという基本設定をしたままであった場合には、入眠時刻から３時間超過以降は、再度入眠しても保湿運転の開始はされないようになる。なお、後述するように覚醒時刻情報を受けてから３時間経過時点で、自動的に主電源スイッチ７０は制御装置３３によって開放（ＯＦＦ）される。
【０１５３】
一方、電力指令装置５では、睡眠判定部２３が、Ｔ４からＴ８の時刻における生体データとその変化を一連のデータに集約・整理し（Ｔ１０）、この結果を制御部３６に報知する（Ｔ１１）。制御部３６は受け取った生体データや睡眠時間のデータ（入眠時刻、覚醒時刻、日時）を基礎にして睡眠時間帯のデータを作り、就寝者を示す識別コードや日時データ、保湿運転の行われた居住空間名（位置コード）等とセットにして、第２の記憶部３６Ｂに記憶させる（Ｔ１２）。そして睡眠時間判定部２３に判定動作を終了するように指令する（Ｔ１３）。
【０１５４】
以上の説明から明らかなように、この保湿用空気供給機２０では、保湿用空気供給機２０を起動した段階（主電源スイッチ７０をＯＮした時点）で、使用者の睡眠時間に関するデータが全くない状態であっても、最初に睡眠時間対応モード（お任せモード）を選択するだけで、実際の睡眠時間に対応してその睡眠中に保湿運転を開始し、また終了させることができる。なお、上記したように保湿運転時間Ｂは３時間であったので、通常では殆どの人の睡眠時間よりも短く、制御装置３３の制御プログラムで規定されている標準条件通りに３時間運転しても、覚醒前に保湿運転を終了させることができる。
【０１５５】
次に図８について説明する。図８は、本発明の実施の形態１に係る電力指令装置５と保湿用空気供給機２０の制御動作を示すタイムチャート（説明図１）である。
図８は、保湿用空気供給機２０の運転後、情報通信端末機器２５が保湿用空気供給機２０から、睡眠時間のデータを取得して、睡眠時間データを変更し、そのデータを再び保湿用空気供給機２０へ記憶させ、次回の保湿運転に利用するという場合のものである。なお、保湿用空気供給機２０が、電力指令装置５から睡眠時間データを取得する方法については、既に図７で説明している。
【０１５６】
以下、各動作Ｔ２１〜Ｔ３１について説明する。なお、この動作タイミングＴ２１〜Ｔ３１は、図７に示した動作タイミングＴ１３に連続するものではない。
【０１５７】
使用者が、情報通信端末機器２５を保湿用空気供給機２０のＮＦＣ入出力部６３に接近させると、情報通信端末機器２５と保湿用空気供給機２０との間の通信セッションが確立される。そのため、情報通信端末機器２５から睡眠時間データの読み出し要求の信号を保湿用空気供給機２０へ発信する（Ｔ２１）。
【０１５８】
保湿用空気供給機２０では、これに応えて、情報通信端末機器２５に対し睡眠時間データの読み出し許可の信号を送る（Ｔ２２）。保湿用空気供給機２０では、制御部３３が情報通信端末機器２５に対し睡眠時間データの読み出し指令の信号を送る（Ｔ２３）。
【０１５９】
次に、情報通信端末機器２５が、保湿用空気供給機２０側のＮＦＣタグを介してＮＦＣ記憶部３１に記憶させてある睡眠時間データの読み出す（Ｔ２４）。情報通信端末機器２５では、入手した睡眠時間データを記憶部７８に一時的に記憶させ（Ｔ２５）、またそのデータを表示部７３に表示させ（Ｔ２６）、さらにデータの一部を変更（例えば覚醒時刻を１時間早め、睡眠時間を全体として１時間短縮）し（Ｔ２７）、その最終データを再び記憶部７８に記憶させる（Ｔ２５の時点のデータに上書き）（Ｔ２８）。
【０１６０】
情報通信端末機器２５では、今度は逆に保湿用空気供給機２０に対して、変更した睡眠時間データを記憶させるため、書き込み要求の信号を送る（Ｔ２９）。これに応答して保湿用空気供給機２０から書き込み許可の信号が届く（Ｔ３０）。そこで情報通信端末機器２５に一時的に記憶してある睡眠時間データを書き込む指令を送る（Ｔ３１）。
なお、上記した各動作タイミングＴ２１〜Ｔ２４、Ｔ２９〜Ｔ３１は、情報通信端末機器２５と保湿用空気供給機２０との間の通信セッション（「通信状態」ともいう）が確立されている期間中に行われる。また保湿用空気供給機２０の主電源スイッチ７０はＯＦＦにしておいたまま、上記の動作Ｔ２１〜Ｔ３１を実施できる。
【０１６１】
次に、図９について説明する。図９は、本発明の実施の形態１に係る保湿用空気供給機２０の制御動作を、情報通信端末機器２５との関係で説明するタイムチャート（説明図２）である。
【０１６２】
図９は、保湿用空気供給機２０の運転開始の直前で、情報通信端末機器２５から睡眠時間データを取得して、保湿運転を開始する、という事例である。なお、情報通信端末機器２５が睡眠時間データを取得することについては、既に説明したので、説明を省略する。
【０１６３】
以下、各動作Ｔ４１〜Ｔ４９について説明する。なお、この動作Ｔ４１〜Ｔ４９は、図８に示した動作Ｔ３１に連続したものではない。
まず、使用者が保湿用空気供給機２０の主電源スイッチ７０をＯＮし（Ｔ４１）、「睡眠時間対応モード」（お任せモード）を選択する（Ｔ４２）。もし、保湿用空気供給機２０に適当な睡眠時間データがないことが制御装置３３によって判明すると、制御装置３３は、睡眠時間データの取得を勧告する。そこで使用者が保湿運転の開始前に、自分の睡眠時間を情報通信端末機器２５から取得しようと考えた場合、その情報通信端末機器２５をＮＦＣ入出力部６３経由で読み込ませるために、そのＮＦＣ入出力部６３に情報通信端末機器２５を接近させる（この時点では、ＬＥＤ６４によってＮＦＣ入出力部６３の位置が、明瞭に表示される）。
【０１６４】
情報通信端末機器２５と保湿用空気供給機２０との通信セッションが確立すると、情報通信端末機器２５から、睡眠時間の書き込み要求信号が出される（Ｔ４３）。すると、保湿用空気供給機２０は、情報通信端末機器２５が事前に認識した所定の端末機器であると認識し、睡眠時間データの書き込み許可信号を出す（Ｔ４４）。
【０１６５】
情報通信端末機器２５は、睡眠時間データの書き込み指令信号を出す（Ｔ４５）。そして情報通信端末機器２５の記憶部７８に一時的に記憶させてある睡眠時間データが読み出され、保湿用空気供給機２０に送信される（情報通信端末機器２５の記憶部７８に一時的に記憶させてある睡眠時間データは、そのまま残存し、自動的に消える訳ではない）。
【０１６６】
情報通信端末機器２５からの睡眠時間データが読み込まれると、情報通信端末機器２５と保湿用空気供給機２０との通信セッションは、不要になるので、情報通信端末機器２５を遠ざけることで、通信セッションが終了する。
【０１６７】
情報通信端末機器２５において、睡眠時間データはＮＦＣ記憶部３１にまず記憶され、これと同じデータは制御装置３３の記憶装置３３Ｒに移される。そこで制御装置３３は、この睡眠時間データを表示画面１０１に表示する（Ｔ４６）。
【０１６８】
使用者が表示画面１０１を見て、睡眠時間の確認をし、それを修正する場合には、その修正入力を待ち、使用者からの最終的な運転開始の指令を待つ（Ｔ４７）。
【０１６９】
そして運転開始の指令があった場合、制御装置３３は最終的に設定された睡眠時間のデータを基礎にして、その睡眠時間の中における保湿運転の開始時刻や終了時刻を計算する（Ｔ４８）。例えば、現在の時刻が、２２時１０分であり、睡眠時間のデータで示された入眠時刻が２３時１０分であった場合、保湿運転開始まで６０分間あることが分かるので、例えば入眠と同じタイミングで保湿運転開始する場合には、電熱源９０に通電開始して、高温空気生成部（ボイラー室）５９から高温の水蒸気が発生するまでに１０分間必要であることが分かっている場合、２３時００分に通電開始すれば良いことが分かる。
【０１７０】
なお、実際には、高温空気生成部（ボイラー室）５９内部に蒸気が充満するためにも若干時間が必要であるので、２３時よりも早い時点で電熱源９０に通電開始する。そして制御部３３の動作プログラムによって決められた所定の保湿運転（例えば１８０分間）の終了時間まで経過時間のカウントダウンを行う（Ｔ４９）。なお、使用者が上記した所定の保湿運転（例えば１８０分間）を変更して運転条件確定させた場合は、その変更後の時間と前記睡眠時間との比較が（Ｔ４８ステップで）行われる。
【０１７１】
一般に、入眠した時間から早い段階は、眠りの質が良いと言われているので、この実施の形態１では、できるだけ入眠の時点からあまり遅れないタイミングで保湿運転を開始するようにしている。例えば、入眠の時点から遅くとも３０分のタイミングで電熱源９０に通電開始されるようにしている。そして電動送風機５５は、入眠の時点から遅くとも３５分のタイミングで通電開始される。なお、電熱源９０への通電開始タイミングと電動送風機５５への通電開始タイミング（時間差）は、常に５分間を維持するように設定されている。
【０１７２】
次に図１０について説明する。図１０は、本発明の実施の形態１に係る保湿用空気供給機の基本的な制御動作を示すフローチャート図１である。
【０１７３】
以下、スタート（Ｓ１）から終了（Ｓ１６）までの各動作ステップについて説明する。最初に主電源スイッチ７０をＯＮする（Ｓ２）と、制御部３３は、カートリッジタンク５６の水量をチェックし、また温度検知器４４の検知温度をチェックして異常がないかどうか判定する。そして表示画面１０１を起動する（Ｓ３）。
【０１７４】
次に、記憶部３３Ｒの中に保存されている睡眠時間データと、前回までの肌の水分量データとを一時的に読み込む（Ｓ４）。なお、ここでいう「前回」とは、前回の保湿運転を終えて、主電源スイッチ７０をＯＦＦにする前までの期間をいう。過去分は例えば３０日や３ケ月等、使用者が事前に設定できるようになっているが、あまり古いデータを読み出すと、気温や室内や屋外の空気の湿度等の環境も変化し、参考にならない場合があるので、適当な期間だけに絞ってデータの読み出し量も少なくすると良い。
【０１７５】
そしてその表示画面１０１において、使用者に、「睡眠時間対応モード」（お任せモード）のタッチキー（アイコン）１０２と、「手動モード」のタッチキー（アイコン）１０３と、「肌水分対応モード」のタッチキー（アイコン）１０５、の３つを同時に表示して、この何れか１つを選択するように表示する（Ｓ５）。なお、この場面の表示画面１０１の表示内容については、図１７で説明する。
【０１７６】
そして運転モードを選択するステップ（Ｓ５）において、使用者が「手動モード」を選択した場合には、次のステップ（Ｓ６）に進み、使用者は運転時間を設定する。この場合の運転時間とは、タイマーを使用した「自動開始・自動停止」動作を行う場合も含む。そのため、例えば、現在時刻が２２時００分であった場合、直ちに保湿運転開始して３時間後に終了させるパターンと、２３時１５分に運転開始させ、その３時間後（４時間後やその他時間でも良い）に自動停止させるパターン、の２つの選択肢がある。なお、使用者が「肌水分対応モード」を選択した場合には、図２０のステップ（Ｓ２０）に進むが、これについては後で説明する。
【０１７７】
使用者が運転時間を設定した場合、次のステップ（Ｓ７）に進み、保湿運転開始の指令を使用者が与えた場合には、次のステップ（Ｓ８）に進み、電熱源９０に通電開始され、保湿運転が開始される。
【０１７８】
そして規定の所定時間又は使用者が事前に設定した時間が経過した段階、又は使用者が途中で停止指令を与えた場合には、次のステップ（Ｓ９）の条件成立し、運転は終了する（Ｓ１６）。
【０１７９】
次に、前記ステップ（Ｓ５）で、「睡眠時間対応モード」（お任せモード）を選択した場合、ステップ（Ｓ１０）に進み、そのステップで、適当な睡眠時間データが無い場合には、次のステップ（Ｓ１１）に進む。そしてここでは、表示画面１０１において、使用者の睡眠時間データを読み込ませることを勧告する。適当な睡眠時間データが無い場合とは、例えば、使用者は合致しているが、取得したデータが１年以上も古い場合や、対象者が異なるデータであった場合である。なお、睡眠時間データを取得する前に、対象者（被計測者）の識別のために居住者別のコード番号を電力指令装置５にインプットするか、あるいは、取得されているデータを読み出して、識別コードを追加したり、居住者別のデータベースに編成したりする等の処理をしておくと良い。
【０１８０】
使用者が、睡眠時間データの取得を希望しない場合には、ステップ（Ｓ５）に戻り、「手動モード」の選択ができる。一方、睡眠時間データの取得を希望する場合には、ステップ（Ｓ５）で説明したように、「睡眠時間対応モード」（お任せモード）のタッチキー（アイコン）１０２にタッチすれば良い。
【０１８１】
すると、次のステップ（Ｓ１３）に進み、制御部３３は、電力指令装置５から最新の睡眠時間データを読み込む動作を行う。そのため、電力指令装置５と通信セッションを確立させ、最新の睡眠時間データを読み込む（Ｓ１３）。そして通信セッションを解除し、読み込んだ睡眠時間データを記憶装置３３Ｒに記憶させる（Ｓ１４）。なお、さらにＮＦＣ記憶部３１にもそのデータと同じデータを、コピーして移す処理をしておいても良い。
【０１８２】
次に、入手した睡眠時間データを基礎にして、その睡眠時間の中で、どういうタイミングで運転を開始し、終了すべきか計算する（Ｓ１４）。そして電熱源９０の通電開始時刻等の計算を行い、全体の運転スケジュールを決定する（Ｓ１５）。そして使用者からの運転開始の指令を待つため、前記ステップ（Ｓ７）に戻る。なお、前記ステップ（Ｓ１０）で睡眠時間データがある場合には、このステップ（Ｓ１５）に直接進む。
【０１８３】
前記ステップＳ１３では、電力指令装置５から睡眠時間のデータを取得したが、電力指令装置５から睡眠時間のデータが取得できない場合（睡眠時間のデータが無い場合、又は何らかの無線通信の障害が発生し、睡眠時間データが保湿用空気供給機２０に迅速に到着しない場合を含む）、制御装置３３は、電力指令装置５からの睡眠時間のデータ取得を取り消し、代わりに情報通信端末機器２５からの睡眠時間データの取得を表示画面１０１で使用者に勧告する（同時に、音声ガイド装置でも報知する）。そして、前述したように、情報通信端末機器２５と保湿用空気供給機２０との通信セッションを確立させ、睡眠時間の取得動作をさせる。
【０１８４】
保湿運転中においては、物理的、電気的な異常状態の有無の監視が制御装置３３によって実施されている。さらに制御装置３３は、温度検出素子（図示せず）から温度情報を得て、本体ケース４９の内部にある主要な部分、電気部品等が異常な高温度になっていないかどうかを監視している。例えば前記高温空気生成部（ボイラー室）５９は、前記カートリッジタンク５６から、常に一定の水位となるように水６０が供給されるが、何らかの原因でその高温空気生成部５９の温度が所定の温度を超えた場合には、制御装置３３は異常状態と認定し、電熱源９０（図６参照）の通電を遮断する。
【０１８５】
そして、このような異常の初期状態から緊急停止までの期間における保湿用空気供給機２０の主要な部分の電気的、物理的（一例として前記した高温空気生成部５９の温度）の変化状況を示す（異常監視）情報が、制御装置３３の記憶部３３Ｒの中に格納される。なお、記憶部３３Ｒに記憶される異常監視情報は、主電源スイッチ７０を入れた時点から取得開始され、保湿運転を完全に停止するまでの電気的、物理的変化の履歴が反映されたものとなる。そしてその異常監視情報は、前記主電源スイッチ７０を切ったあとでも自動的には消去されず、前記記憶装置３３Ｒに保存され続けることになる。
【０１８６】
次に図１１に基づいて、情報通信端末機器２５が異常監視データを保湿用空気供給機２０から取得する動作について説明する。なお、異常監視データだけではなく、保湿用空気供給機２０が電力指令装置５から取得したデータ（例えば、睡眠時間データ）を取得する場合も、基本的にこの図１１に示すように情報通信端末機器２５は動作する。
【０１８７】
図１１は、情報通信端末機器２５の処理ステップを示すものである。ここで示されるステップを実行するような制御プログラムが前記中央演算処理装置（ＣＰＵ）７７に最初から格納されている。なお、図１１の説明において、符号「ＳＶ」は、処理のステップを示すものである。また保湿用空気供給機２０では、保湿運転の途中で、何らかの異常が発生したため、使用者が表示部１０１に表示された表示内容見て、異常内容を確認する場合を想定して以下説明する。その表示内容とは、例えば、「異常が検知されたため、緊急停止しました。詳細は、ＮＦＣ表示部にＮＦＣ機能付きの携帯電話等の端末機器を接近させると情報入手できます」という説明の文字情報である。なお、同時に音声ガイド装置（図示せず）によって報知しても良い。
【０１８８】
先に起動しておいた情報通信端末機器２５を保湿用空気供給機２０のＮＦＣ用入出力部６３に接近させる。すると、情報通信端末機器２５は、記憶部７６に格納されているアプリケーション・ソフトウェア部８０を起動することによって処理が開始される。
ＳＶ１において、情報通信端末機器２５の通信確立部８３は、情報通信端末機器２５と保湿用空気供給機２０の間にＮＦＣ通信セッションが確立されることを監視している。ＮＦＣ通信は、１３．５６ＭＨｚ帯の電波を利用した近距離無線通信である。
【０１８９】
使用者が情報通信端末機器２５を、保湿用空気供給機２０のＮＦＣ用入出力部６３に近づけ、接近させる（例えば５ｃｍまで）と、通信確立部８３は、ＮＦＣ通信セッションを確立する。
【０１９０】
ＮＦＣ通信セッションが確立されると、通信確立部８３はステップＳＶ１でＹＥＳと判断して、ステップＳＶ２に進む。ステップＳＶ２では、送信処理部８２は、ＳＶ１で確立されたＮＦＣ通信セッションを用いて、保湿用空気供給機２０の異常監視データや識別情報の提供を要求するための情報を保湿用空気供給機２０に送信する（ＳＶ２）。この要求情報は、図６に示したＮＦＣ記憶部３１に一時的に記憶される。
【０１９１】
続いて、ステップＳＶ３では、情報通信端末機器２５は、ステップＳＶ１で確立されたＮＦＣ通信セッションを用いて、保湿用空気供給機２０から、使用者が表示を希望する情報を選択するための「専用の表示画面」を情報通信端末機器２５の表示部７３に表示する情報を受信する。この情報は、図１１では「表示メニュー用の情報」と記載している。ここでいう「表示メニュー」とは、異常発生時においては、少なくとも次の３つの情報群をいう。
（１）識別情報（製品識別情報）
（２）異常内容情報（異常内容を解説した詳細情報）
（３）アドバイス情報（製品の正しい使用方法や異常時の対処方法等を解説した情報）
前記「専用の表示画面」とは、例えば図１２、図１３に示したものである。
【０１９２】
表示メニュー用情報を受信すると、受信処理部８１が受信内容を確認し、ステップＳＶ４において、制御部７６は、情報通信端末機器２５を鳴動させる。これにより、使用者に受信（ここでは表示メニュー用情報の受信）が終了した旨が報知される。この直後に、情報通信端末機器２５はＳＶ１で確立されたＮＦＣ通信セッションを用いてＭＡＣアドレスを保湿用空気供給機２０に送信する。このＭＡＣアドレスを保湿用空気供給機２０が受信することにより、以後の通信で連続性・関連性が担保するために保湿用空気供給機２０側において通信機器の識別に利用される。
【０１９３】
前記ステップＳＶ４の時点での報知により、使用者は、情報通信端末機器２５を保湿用空気供給機２０から遠ざけてよいことを知る。仮にこれを知らない場合でも、ステップＳＶ６では、情報通信端末機器２５の表示部７３に、表示メニュー用情報の受信が完了し、通信は一旦中断するため、「保湿用空気供給機２０から遠ざけるように」との表示が出るので、使用者の無用の混乱は回避される。これら表示部７３の画面処理は表示制御部８４で実行する。
【０１９４】
情報通信端末機器２５を保湿用空気供給機２０からから遠ざけ、表示部７３が見やすいよう自分の手元近くに移動させて、以後の操作を行うことができる。これにより、情報通信端末機器２５と保湿用空気供給機２０との間の距離が、互いに電波が届く距離より大きくなると、Ｓ１で確立されたＮＦＣ通信セッションが中断される（ＳＶ７）。なお、ここまでを第１のＮＦＣ通信セッションと定義すれば、このステップＳＶ７の段階は第１のＮＦＣ通信セッションの完了と言える。
【０１９５】
仮にステップＳＶ７で、ＮＦＣ通信セッションが前記したようにＳＶ７で中断しないままになった場合は、ステップＳＶ６の処理に戻り、使用者はＮＦＣ通信を一旦中断するように勧告される。
【０１９６】
次に、ステップＳＶ８において、制御部７６は、保湿用空気供給機２０を鳴動させる。これにより、使用者にはＮＦＣが中断した旨が報知される。
表示制御部８４は、ステップＳＶ３で受信された表示メニュー用情報に含まれるテキストデータを用いて、所定の選択画面を生成する（ＳＶ９）。つまり、使用者が情報通信端末機器２５の表示部７３で最初に確認する内容は、図１３に示すような「専用の表示画面」であり、表示を希望する情報の種類を３つの中から１つだけ選択することができるものである。なお、このステップＳＶ９における情報の種類の選択方法については複数あるので、図１３と図１４の説明の際に詳しく述べる。
【０１９７】
ＳＶ９において、例えば「異常内容情報表示」を選択した場合、この選択結果を保湿用空気供給機２０にインプットする前には、ＮＦＣ通信セッションを確立する必要がある。そこで前記したように、使用者が情報通信端末機器２５を、保湿用空気供給機２０の前面壁６１のＮＦＣ用入出力部６３に近づけ、通信確立部８３が、ＮＦＣ通信セッションの確立を確認した場合、通信確立部８３はＳＶ１０でＹＥＳと判断して、ＳＶ１１に進む。
【０１９８】
この後、情報通信端末機器２５は、ステップＳＶ１１で確立されたＮＦＣ通信セッションを用いてＭＡＣアドレスを再び保湿用空気供給機２０に送信する。このＭＡＣアドレスを保湿用空気供給機２０が再度受信することにより、保湿用空気供給機２０では前回との通信の関連性が確認される。また同時に、情報通信端末機器２５はＳＶ９において選択した「異常内容情報表示」という表示指令を保湿用空気供給機２０に送信する（ＳＶ１１）。
【０１９９】
続いて、ステップＳＶ１２では、情報通信端末機器２５は、ステップＳＶ１０で確立されたＮＦＣ通信セッションを用いて、保湿用空気供給機２０から、使用者が表示を指定した「異常内容」に関する情報を受信する。
【０２００】
この異常内容に関する情報を受信すると、受信処理部８１が受信内容を確認し、ステップＳＶ１３において、制御部７６は、情報通信端末機器２５を鳴動させる。これにより、使用者に指定した情報を受信（ここでは「異常内容情報」の受信）が終了した旨が報知される。
【０２０１】
その後、制御部７６は表示部７３に、ＮＦＣ通信セッションは切断することを表示し、使用者が所定時間内に新たな操作入力をしない限り、ＮＦＣ通信セッションを自動的に遮断して一連の処理を終了する。なお、使用者が受信した前記「異常内容情報」は、情報通信端末機器２５の記憶部８０のメモリー８６に記憶されるので、使用者は後日その内容を再び読み出して表示部７３に表示させることができる。またその「異常内容情報」は、情報通信端末機器２５の通信機能を使って広域通信回路網１６経由で保湿用空気供給機２０の販売会社や修理業者のサーバー等に送信することもできるし、情報通信端末機器２５を修理業者等の所まで持参して、当該業者のところで異常監視データの内容を見せることができる。また、そのような場合、保湿用空気供給機２０の識別情報も記録されているので、修理業者等に正確な識別情報を伝達できる。
【０２０２】
制御装置３３に蓄積される異常監視データには、後述する各種運転情報信号Ｌ１〜Ｌ１１、対象機器登録信号ＡＳ１、家電機器の総電力量を下げる要請信号（予告信号）ＡＳ２、電力削減指令信号ＡＳ３を含ませている。そのため、実際の異常を示すデータ（例えば、温度や電圧値）の計測タイミングと、例えば運転情報信号Ｌ１〜Ｌ７の送信タイミング等を時間的に対応付けてあるので、異常発生後の原因分析が容易になる。なお、この実施の形態１では、前述したように保湿用空気供給機２０は、家庭の総電力使用量を制限する目的で、電力指令装置５によって電力供給を遮断され、または電力供給量の上限値を制限されないので、前記した家電機器の総電力量を下げる要請信号（予告信号）ＡＳ２と、電力削減指令信号ＡＳ３と、を電力指令装置５から受信することはない。しかし、仮に使用者が電力指令装置５の基本的な設定条件を変えて、保湿用空気供給機２０も、空気調和機３のように家庭の総電力使用量を制限する目的で制御するようにした場合は、前記要請信号（予告信号）ＡＳ２と、電力削減指令信号ＡＳ３が送信されて来る場合がある。
【０２０３】
情報通信端末機器２５が、ステップＳＶ１１において「異常内容情報表示」という表示指令を保湿用空気供給機２０に送信した場合、前記表示指令は保湿用空気供給機２０のＮＦＣ記憶部３１に一旦記録され、その表示指令を受けてＮＦＣ制御回路２８では、制御装置３３の記憶装置３３Ｒに記憶している異常監視データをＮＦＣ制御回路２８側へ送信するような（異常管理）データ送信命令を出す。
【０２０４】
前記ＮＦＣ制御回路２８のデータ送信命令を監視していた保湿用空気供給機２０の制御装置３３が、前記ＮＦＣ制御回路２８の送信命令を受けて動作する。つまり、情報通信端末機器２５側から制御データ（データ送信命令という制御コマンド）を前記家電機器ＥＥの一種である保湿用空気供給機２０のＮＦＣ記憶部３１へ送り、当該保湿用空気供給機２０の制御装置３３（「ホストコンピューター」機能を有する）が、前記ＮＦＣ記憶部３１に記憶された前記制御コマンドに従って制御動作するものである。但し、後述する図１４のフローチャート図では、セキュリティの面から、電力指令装置５側から保湿用空気供給機２０へ、情報通信端末機器２５での異常監視データ取得を許可するステップ（ＳＹ１１）があると説明しており、そのような指令が第１の通信手段８Ａ経由で保湿用空気供給機２０へ届いた後で、情報通信端末機器２５が異常監視データを読み出せるようにしている。
保湿用空気供給機２０が主電源を切られ、あるいは保湿運転が終了又は一時停止している期間中でも、使用者が情報通信端末機器２５を、保湿用空気供給機２０のＮＦＣ用入出力部６３に接近させれば、その都度ＮＦＣ通信をできるようにするために、前記ステップ（ＳＹ１１）は削除しても良い。
【０２０５】
次に情報通信端末機器２５が異常監視データを保湿用空気供給機２０から取得する場面での表示部７３の表示内容について、図１２と図１３を参照しながら説明する。
図１２は、情報通信端末機器２５の表示部７３の表示内容を示すものである。ここで示される表示部７３の表示内容は、図１１のステップＳＶ９の段階におけるものである。
【０２０６】
図１２に示している通り、表示部７３には表示を希望する情報の種類を、３つの項目の中から１つ選択するように求める画面を生成している。
この図１２において、１１１は異常発生を知らせる文字情報、１１２は、使用者に表示すべき情報の種類を選択するように促す操作誘導情報、１１３Ａは「製品識別情報表示」という表示をした選択情報、１１３Ｂは「異常内容情報表示」という表示をした選択情報、１１３Ｃは「アドバイス情報表示」という文字が表示された選択情報である。
【０２０７】
この図１２の表示画面で、例えば「異常内容情報表示」を選択する場合は、２つの方法がある。
第１の方法：
操作入力部７４に設けた４つの方向の選択キー（タッチ式又は押しボタン式）を使用し、例えば、選択項目を下方向に順次選ぶには、下方向指定選択キー１１４Ｂを押せば良い。最初は「製品識別情報表示」の項が選択されるように、その文字情報１１３Ａがハイライト表示等で強調された表示になっていた場合、前記した下方向指定選択キー１１４Ｂを１回押せば、「異常内容情報表示」の項が選択され、その文字情報１１３Ｂがハイライト表示等で強調された表示になる。下方向指定選択キー１１４Ｂを更に１回押せば、更に下方に表示されている「アドバイス情報表示」の項が選択され、その文字情報１１３Ｃがハイライト表示等で強調された表示になる。さらに１回下方向指定選択キー１１４Ｂを１回押せば、最初に戻って「製品識別情報表示」の項が選択され、「製品識別情報表示」の文字情報１１３Ａがハイライト表示等で強調された表示になる。以後もこのように下方向指定選択キー１１４Ｂを押せば、選択項目が巡回する。なお、同じように上方向指定選択キー１１４Ａ、右方向指定選択キー１１４Ｃ、左方向指定選択キー１１４Ｄも操作入力部７４に設けてある。なお、選択を確定するには、操作入力部７４中央部にある確定キー（タッチ式又は押しボタン式）１１５を押せば良い。この確定キー１１５を押した段階で、図１１に示したＳＶ９の処理が終わる。
【０２０８】
第２の方法：
操作入力部７４に設けた４つの方向の選択キー１１４Ａ〜１１４Ｄを一切使用せずに、情報通信端末機器２５を水平面にした段階から、左右又は水平に傾ける動作で「製品識別情報表示」の項から「アドバイス情報表示」の項まで選択できる。前記したように、情報通信端末機器２５には、姿勢検知部７５を内蔵しているので、使用者が情報通信端末機器２５を傾ける際の姿勢（より具体的には回転角度）を検出して、当該姿勢を示す信号を制御部７６に出力する。従って、例えば下方向指定選択キー１１４Ｂを１回押すのと同様にするには、情報通信端末機器２５の表示部７３が最も上で、下方向指定選択キー１１４Ｂが最も下になるように傾斜させれば良い。そして所望の項が選択された段階で前記確定キー１１５を押せば良い。この確定キー１１５を押した段階で、図１１に示したＳＶ９の処理が終わる。
【０２０９】
次に図１３について説明する。
図１３は、保湿用空気供給機２０から情報通信端末機器２５で異常監視データを表示させた場面を示している。図１４において、１１６は異常の内容を知らせる文字情報、１１７Ａは、異常発生個所を示した文字情報、１１７Ｂは異常の原因を示した文字情報である。１１８は、使用者にこの製品（保湿用空気供給機２０）の異常について修理や点検の依頼先の情報を表示するかどうか使用者に判断を求める選択情報である。この１１８の項を選択して更に詳しい情報を求める場合には、前記右方向指定選択キー１１４Ｃを１回押せば良い。この図１３には示していないが、保湿用空気供給機２０を販売した時点で、製造業者がＮＦＣ記憶部３１に書き込んでおいた連絡先の所在地、電話番号等の文字情報が表示部７３にて表示できる。
【０２１０】
前記した「識別情報」は、保湿用空気供給機２０に固有の情報のことであり、的確な修理や点検を行う場合に必要となる重要な情報であるから、前記ＮＦＣ記憶部３１に記録しておくことが望ましいが、前記制御装置３３の記憶装置３３Ｒに「識別情報」を記憶させておくことでも良い。あるいは双方に重複して記憶させておくことでも良い。例えば、工場の製造段階で識別情報が確定する製造年月や製品（シリアル）番号、保証書番号等は、記憶装置３３Ｒに記憶させ、製品の販売時点で確定する販売日、販売業者名等の識別情報については販売店や設置業者が、ＮＦＣ用入出力部６３を介して後から情報を書き込んでも良い。
【０２１１】
保湿用空気供給機２０や空気調和機３は、電力指令装置５の本体５Ａとの間で、無線信号によって電力削減指令や運転状態報知等の通信を行っている。前記保湿用空気供給機２０からの異常監視データや識別情報は、入出力部６８と入出力部３０Ａとの間の無線通信を利用して、電力指令装置５の本体５Ａ側へ送信され、最終的には当該本体５Ａの中にある記憶装置３８に記録させる。
【０２１２】
保湿用空気供給機２０の異常監視データの容量が大きく、情報通信端末機器２５が近距離無線通信（ＮＦＣ）によって当該データを読み込むまでに時間を要することが懸念される場合にも、迅速に異常監視データを保湿用空気供給機２０から取り出すことができる。そして記憶装置３８に保存した異常監視データは、操作入力部３９からの操作によって、表示盤３７の表示画面３７Ａに表示させることができる。そのため、使用者は、手元に適当な情報通信端末機器２５がない場合でも、前記表示盤３７を利用して異常の内容や推定原因、その他アドバイスを確認することができる。
【０２１３】
同様に、識別情報も本体５Ａ側へ送信し、記憶装置３８に記憶させておけば良い。このようにすることで、仮に数年前に保湿用空気供給機２０を購入したため、現時点では取扱説明書や保証書等の資料が手元に無い場合であっても、使用者はその保湿用空気供給機２０に異常が発生した段階で、異常の内容や識別情報を確認でき、販売店やメーカ（製造業者やその委託を受けた業者等）に修理や点検を依頼する場合でも、的確に保湿用空気供給機２０に関する事実関係を伝達でき、早期に的確な対応をすることを可能にし、使用者だけではなく、販売店やメーカ側においても利便性が向上する。
【０２１４】
保湿用空気供給機２０等の家電機器ＥＥの識別情報は、異常監視データとは異なり、常に変化するものではないので、１回だけ記憶装置３８に記憶できれば良い。従って、異常発生の都度、必ずしも識別情報を取得する必要はないが、古い記録の中から探す労力を減らすためには、異常が発生した場合に識別情報を保湿用空気供給機２０側から提供することが望ましい。
【０２１５】
次に、図１２に示した場面で、前記「アドバイス情報表示」という文字が表示された選択情報１１３Ｃを選択した場合について、図１３を参照しながら説明する。この選択情報１１３Ｃを選択すると、情報通信端末機器２５は、その無線入出力部４０によって、前記情報サーバー２７に接続し、保湿用空気供給機２０から取得した、異常監視データを含む異常発生情報を、前記情報サーバー２７に送信し、異常発生原因の解明や異常発生に対するメーカ側情報データベース２７Ｍからの参考情報を求めることができる。
【０２１６】
上記のように保湿用空気供給機２０から情報通信端末機器２５が異常監視データを直接受け取り、情報サーバー２７にその異常監視データを転送する方法では、保湿用空気供給機２０の周囲の環境データ（例えば、居住空間ＨＡの気温や湿度情報）や電力指令装置５から、他の家電機器ＥＥに対して実施していた電力制限動作等の情報が情報サーバー２７に伝達できない。そこで、これを解決する方法として、電力指令装置５が異常監視データを、前記「異常発生データ」に変更（データ充実化）して、情報サーバー２７に送る方法も実施できるように構成している。これについては、次の図１４を参照しながら説明する。
【０２１７】
図１４は、電力指令装置５の制御部３６の動作を示すフローチャート図である。
保湿用空気供給機２０の保湿運転が緊急停止した情報が、入出力部６８と入出力部３０ＡＣを介して電力指令装置５の制御部３６に届く（ＳＹ１）（図３参照）と、制御部３６は、使用者が情報通信端末機器２５を介して外部に異常監視データの送信を設定しているかどうかを判定する（ＳＹ２）。
【０２１８】
情報通信端末機器２５を介して異常監視データを送信するように事前に設定してあった場合、制御部３６は、保湿用空気供給機２０に対して、情報通信端末機器２５が異常監視データを取得し、外部へ送信することを通知する（ＳＹ１０）。これに続いて、保湿用空気供給機２０に対して、その制御装置３３が把握している異常監視データを、情報通信端末機器２５がＮＦＣ通信で読み取ることを許可するように指令する（ＳＹ１１）。これ以降は、前記したように、情報通信端末機器２５が異常監視データを直接受け取り、情報サーバー２７にその異常監視データを転送することができる。なお、前記したように、保湿用空気供給機２０から、いつでも情報通信端末機器２５がＮＦＣ通信で異常監視データや識別情報を読み取ることができるよう、前記２つのステップ（ＳＹ１０）、（ＳＹ１１）は省略しても良い。
【０２１９】
一方、前記ステップＳＹ２において、異常監視データを情報通信端末機器２５経由で送信するよう事前に設定してない場合には、制御部３６は、統合環境検知部９に対して、最新の環境情報を取得するように指令し、統合環境検知部９は、保湿用空気供給機２０が設置されている寝室等の気温や湿度等の環境情報を取得して、制御部３６に送信する（ＳＹ３）。
【０２２０】
次に、制御部３６は、保湿用空気供給機２０が設置されている寝室等において、他に運転中の家電機器がある場合、その運転情報を取得する。例えば、空気調和機３が運転中であり、消費電力は１３００Ｗであること、また運転開始から１２０分経過していること、電力指令装置５からは何の電力制限指令も出されていないこと、等の情報が取得される（ＳＹ４）。このような情報取得は、前記電力指令装置５に対して、各家電機器ＥＥの設置位置の情報が登録されているため、可能となっている。同じ居住空間における家電機器は、電力指令装置５側の制御部３６に保存されている「設置位置情報」を検索することで直ぐに分かる。
【０２２１】
次に、制御部３６は、保湿用空気供給機２０から受信した異常監視データに、環境データをセットにして異常発生情報を送信するための指令を出す。このデータ送信時には、前記した「同一居住空間における、他の家電機器ＥＥ等の運転情報」も、情報サーバー２７に対して送信される（ＳＹ５）。つまり、単なる異常を監視していて計測、取得されたデータだけではなく、異常が発生したことを電気機器側が一次判定したことを示す特別な識別コードも含め、「異常発生情報」としている。なお、異常発生情報が、１度の通信で送信できない場合には、複数回に分割して自動的に送信するようにしておいても良い。
【０２２２】
次に、制御部３６は、情報サーバー２７に送信した異常監視データ等の異常発生情報を、記憶装置３８の内部に、識別情報とセットにして記憶させる。これにより、上記情報サーバー２７への送信が、何らかの通信異常で失敗した場合でも、後日また電力指令装置５としてデータを取り出し、再送信することができる。
【０２２３】
次に、制御部３６は、居間のＴＶ受像機２が既に起動されているかどうかを判定する（ＳＹ１２）。寝室で保湿用空気供給機２０を使用中に、その使用者（就寝者）がその寝室から離れて別の部屋（居住空間）に行っていることは想定し難いが、可能性としてはゼロではないので、居間にあるＴＶ受像機２で、保湿用空気供給機２０の使用者や他の居住者へ、異常の発生を報知した方が安全性向上する。このためにこの処理（ＳＹ１２）がある。但し、保湿用空気供給機２０の異常発生タイミングが、深夜（２３時）から早朝（午前５時）の間である場合には、突然居間のＴＶ受像機２が起動されて画像や音声で報知されると、安眠妨害や他の居住者の不安感を招くおそれがあるので、上記のＳＹ１２の処理を受けて、ＴＶ受像機７５を起動するという後述の処理（ＳＹ７）は、深夜から早朝の間は省略される。
【０２２４】
次に、制御部３６は、ＴＶ受像機２が既に起動されていた場合、その表示画面において、異常発生を警報文字やアニメーション等で速やかに報知する（ＳＹ８）。
【０２２５】
もしこのステップ（ＳＹ１２）でＴＶ受像機２が起動していない場合は、電力指令装置５の制御部３６は、ＴＶ受像機２に、起動要請信号を送り、ＴＶ受像機２を起動する（ＳＹ７）。そして異常発生を警報文字やアニメーション等で速やかに報知する（ＳＹ８）。
【０２２６】
次に、制御部３６は、保湿用空気供給機２０から受信した異常監視データと、環境データとをセットにして、異常発生情報を（情報サーバー２７に向けて）送信するよう、入出力部３０Ｂへ指令を出す。またこのデータ送信時には、前記した「同一居住空間における、他の家電機器ＥＥ等の運転情報」も送信する（ＳＹ９）。以上で情報サーバー２７に対する電力指令装置５の異常発生情報の送信のための動作を終える。
【０２２７】
この図１４に説明した機能は、例えば子供や高齢者が自宅の寝室で保湿用空気供給機２０を使用中に、もし異常が発生した場合でも、その異常の発生を子供の親や高齢者の介護者等が保有している情報通信端末機器２５で確認でき、またその就寝場所と離れた居住空間のＴＶ受像機２でも知ることができるので、居住者の安全性や安心感を増大させることができる。
【０２２８】
次に図１５について説明する。
図１５は、保湿用空気供給機２０の保湿運転が終了した後、例えば前日の２３時に保湿用空気供給機２０を使用開始し、翌日の朝６時に使用を終了し、その朝７時に情報通信端末機器２５でその保湿運転の結果を確認した場合の表示画面７３の表示内容を示している。
【０２２９】
この場面の情報通信端末機器２５は、図１１にて説明したＮＦＣ通信セッションの確立により、保湿用空気供給機２０のＮＦＣ記憶部３１に予め記憶されていた直前の（昨夜から今朝まで）保湿運転データを読み取った状態である。
【０２３０】
図１５において、１２０は保湿運転の終了確認する画面であることを知らせる文字情報である。この図１５に示している通り、表示部７３には表示を希望する情報の種類を、３つの項目の中から１つ選択するように求める画面を生成している。１２１は、選択を促す文字情報である。
【０２３１】
この図１５において選択できる３つの情報とは、睡眠時間について情報と、保湿運転の結果に関する情報と、アドバイス情報である。
１２２Ａは、「睡眠情報表示」という表示をした選択情報、１２２Ｂは、「保湿運転結果表示」という表示をした選択情報、１２２Ｃは、「アドバイス情報表示」という表示をした選択情報である。
【０２３２】
図１５において、「保湿運転結果表示」という表示をした選択情報１２２Ｂを入力操作部７４で選択した場合、図１６の画面表示に変化する。図１６において、１２４は保湿運転の結果を表示する画面であることを知らせる文字情報である。
【０２３３】
１２５Ａは、保湿運転開始された時刻を示した情報、１２５Ｂは、保湿運転を終了した時刻を示した情報、１２６は、昨夜の保湿運転で使用者への助言内容を示した情報である。
【０２３４】
図１７は、保湿用空気供給機２０の前記表示画面１０１の表示例を示したものである。  主電源スイッチ７０をＯＮさせた場合、最初に図１７の画面が表示される。つまり、この図１７は、前記した図１０のフローチャート図でいう「ステップＳ４」の場面の（最初の）表示画面である。
【０２３５】
図１７から明らかなように、表示画面１０１には、運転モードの選択用として、左側部分に「睡眠時間対応モード」（お任せモード）のタッチキー（「アイコン」ともいう）１０２が表示され、中央には肌の水分量を考慮し、睡眠時間との関係も考慮した保湿運転を行う「肌水分対応モード」のタッチキー（アイコン）１０５が表示される。
【０２３６】
表示画面１０１の右側部分には「手動モード」のタッチキー（アイコン）１０３が表示される。表示画面１０１は、使用者が指などを触れることで静電容量が変化し、入力できる接触式の入力キーを採用したタッチ式表示画面である。このため、前記タッチキー（アイコン）１０２、１０３，１０５の表示部分に、使用者が軽く触れることで制御装置３３に対する有効な入力信号が発生するものである。
【０２３７】
前記タッチキー（アイコン）１０２、１０３、１０５を表示した前記表示画面１０１の表面には、当該タッチキーの入力機能を示す文字や図形などが印刷や刻印等で何ら表示されていないが、これらキーの下方の液晶画面９５には、それらタッチキーの操作場面毎に、キーの入力機能を示す文字や図形をその都度表示する構成し、その表示画面１０１に触れた場合、その触れた位置にあるキーが選択されたことになる。
【０２３８】
１３０は、使用者に運転モードの選択を促すことを文字で知らせる（運転モードの）選択表示部である。この選択表示部１３０は、入力キー機能は有していないので、この選択表示部１３０にタッチしても制御装置３３には何の入力もされない。
【０２３９】
１３１は、ヘルプモードキーであり、使用者がこれに触れると、その場面で使用者の操作に参考になる情報が表示されるとともに、別途設けた音声ガイド装置（図示せず）によって、正しい操作方法が音声で報知される。なお、何度もこのキーを押した場合、この表示画面１０２の見方や操作方法が、模式図と文字で表示画面１０１全体に表示される。
【０２４０】
１３２は、インフォーメーション・キーであり、これにタッチした場合、その都度、保湿運転の条件を設定するために参考になる情報や、上手に保湿運転する注意点などを詳しく表示画面１０１に文字で表示する。
【０２４１】
１３３は、最も新しい（最近の）使用時の睡眠時間帯を示す時間帯表示部であり、図１７の例では、昨夜保湿運転されたので、「昨夜の睡眠時間帯」という表示になっている。
１３４は、同じく最も新しい使用時の睡眠時の平均気温と湿度を示す環境情報表示部である。このような環境情報は、１つは機器側環境検知部４５からの環境データによるものであり、もう１つは、統合環境検知部９の検知データを統合管理装置５が分析して、保湿用空気供給機２０へ提供した情報である。なお、後者については、図１９で説明する。
【０２４２】
１３５は、同じく新しい使用時（睡眠時）に、空気調和機３が使用されていたかどうかを示す空調運転表示部である。この情報も電力指令装置５が保湿用空気供給機２０に提供したものである。
【０２４３】
図１７において、６３は、表示画面１０１の直ぐ下方の位置に配置した前記表示部であり、近距離通信用入出力部を兼ねている。１９０は、第１の発明の特徴部の１つである操作キーであり、この操作キーのある部分は、操作部７１に含まれている。
前記操作キーは、押しボタン式のキーであり、押されることによって所定の電気信号を発し、制御装置３３に対して当該信号が入力される。この操作キー１９０は、保湿運転の開始前に操作した場合、前記記憶部３３Ｒに記憶させた肌の水分量情報と過去の保湿運転時に取得した睡眠時間情報とを、前記表示画面１０１に同時に表示することを指令する機能があり、詳しくは図３０で説明する。
【０２４４】
図１８は、保湿用空気供給機２０の前記表示画面１０１の表示例を示したものである。 図１７に示した「睡眠時間対応モード」（お任せモード）のタッチキー（アイコン）１０２を選択した場合には、この図１８の画面が表示される。
【０２４５】
１３６は、保湿運転の時間情報である。昨夜は３時間運転されたことが図１８から分かる。
１３５Ａは、空調詳細情報であり、最も新しい（最近の保湿用空気供給機２０の）使用時、空気調和機３の運転条件（この場合、目標の室温）が２５℃で、風速は「弱」に設定されていたことが分かる。
【０２４６】
１３７は、統合環境検知部９が取得した気温や室温から電力指令装置５の制御部３６が算出した快適度（快適性）の情報である。不快指数等の他の指標を表示しても良いし、使用者が予め快適度の評価レベルを定義して、電力指令装置５に記憶させておき、それに基づいて算定する者でも良い。なお、この快適度（快適性）の情報は、電力指令装置５の制御部３６で算出したものを用いず、保湿空気供給機２０の制御装置３３で算出したものを用いても良い。但し、保湿空気供給機２０を使用していない場合は、通常は前記主電源スイッチ７０が開放されており、そのような開放時には快適度（快適性）の情報は算出できない。
【０２４７】
１３７Ａは、気温と湿度のデータから、前記電力指令装置６や保湿空気供給機２０によって算出される星形の快適度マークで、快適度（快適性）の情報の１種である。
ところで、日本では、気温と湿度で算出する不快指数という指標がある。例えば、気温２９℃、湿度７０％では、不快指数８０である。この不快指数が７５を越えると人口の１０％が不快に感じ、８０を越えると全員が不快になると言われている。
【０２４８】
そこで、前記快適度マーク１３７Ａを２段階で表示する場合は、不快指数７５未満は２つ、不快指数７５以上は１つ、と定義して表示させるようにしても良い。つまり、快適度マーク１３７Ａが多いほど快適性が高いということになる。なお、統合管理装置５の表示盤３７の表示画面３７Ａにおいても、このマーク１３７Ａは、各居住空間にそれぞれ表示され、居住空間の環境状況を示す有力な情報の１つとして利用される。
【０２４９】
なお、室温が３０度以上で、湿度７５％を超えた場合、不快指数は８０を超え、室内に居ても熱中症になる危険性がある。特に、熱中症の発症現場を見ると、６５歳以上の男性、女性とも室内が圧倒的に多いということが分かっている（参考文献：日本の環境省の「熱中症環境保健マニュアル」：２０１１年５月改訂版）。
【０２５０】
そこで、統合環境検知部９は、気温２９℃で、湿度７０％になった時点で「第１次警報」レベルの信号を前記制御部３６に送り、室温が３０度以上で、湿度７５％を超えた場合時点で「第２次警報」レベルの信号を制御部３６に対して送る。制御部３６は、人検知部１２が何らかの居住者等の人の存在を検知している居住空間が、前記「第１次警報」を出された場合は、以下に示す「第１次警報」を出すための処理を行う。
対策１：統合管理装置５の表示盤３７の表示画面３７Ａで警報出す。
対策２：ＴＶ受像機２を視聴している状態であれば、その表示画面に文字で警報出す。
【０２５１】
前記対策１、対策２の動作指令を出してから５分以内に、気温２９℃未満か、湿度７０％未満に改善されない場合は、当該居住空間にいる人が暑さを体感していない場合も想定されるので、この場合は、制御部３６は次に示す「第２次警報」を出すための処理をする。
対策３：当該居住空間にある環境改善機器の内、冷房能力（気温上昇抑制効果）のある空気調和機２を強制的に運転開始する（例えば、その時の室内目標温度は２７℃）。
そしてこれら第１次警報と第２次警報を出したかどうかを前記環境詳細情報１３６（図１８参照）に含めて表示しても良い。
【０２５２】
この実施の形態１で、空気調和機３が居住空間にある場合とは、居住空間の内部に装置自体があることは勿論含む。また居住空間の外部に装置自体があっても良いが、処理された空気が居住空間内へ供給される場合も含むものである。空気調和機３が居住空間に無い場合又は電源コードのプラグが接続口から抜かれている等、運転不能であることが分かった場合は、他の環境改善機器（後述するが、例えば換気装置や空気清浄機等）を運転開始する。
【０２５３】
熱中症を防止するために室内の空気を対流させることも効果があることは知られている。そこで本発明の実施の形態１では、居住空間の外にいる居住者に対して、環境状態が健康上で危険であることを報知する。具体的には報知情報は、電力指令装置５の入出力部３０Ｂ（図３参照）からルーターＡ（１４Ａ）を介して屋外の広域通信回路網１６に通信で送られ、屋外にいる別の居住者の情報通信端末機器２５に届くようにする。
【０２５４】
屋外にいる居住者が遠隔操作で電力制御装置５を経由して空気調和機３の運転を行うようにするが、これが出来ない場合には、近親者や介護ヘルパー派遣事務所などに連絡して直接居住空間に出向いて貰うこともできる（この場合、玄関の電子錠の開錠方法は、居住者Ｂがその訪問者に伝える）。つまり、前記制御部３６は、前記第２次警報信号を受けてから所定時間内に気温と湿度が第１の所定値未満の状態に改善しない場合、居住空間の外にいる居住者に対して、環境状態が危険であることを報知する。この構成であるから、環境改善機器の使用に不慣れな高齢者や子供が１人で部屋にいる場合でも、その環境を前記検知部９が見守り、屋内居住空間での安全性を高めることが期待できる。
【０２５５】
また、統合環境検知部９は、「第１次警報」を出したかどうかに関係なく、室温が３０度以上で、湿度７５％を超えた場合時点で直ちに「第２次警報」を制御部３６に対して出す。制御部３６は、人検知部１２が何らかの居住者等の人の存在を検知している居住空間が、前記「第２次警報」を出された場合は、前記した対策３の処理を指令する。対策３を指令してから以後１分経過毎に統合環境検知部９は、当該警報を出した居住空間の最新環境条件を計測して監視する。
【０２５６】
上記のように強制的に運転開始された空気調和機３等の環境改善機器は、居住空間の環境条件が、居住者の定めた所定の条件になった場合には、制御部３６が指令を出し、環境改善機器の運転を自動停止させる。あるいは環境改善機器の運転を３０分継続したら、自動停止させることでも良い。必要以上に運転すると省エネの観点から好ましくないからである。
【０２５７】
１３８は、最も新しい使用時（昨夜の睡眠時）の運転条件で、保湿運転することを選ぶ「睡眠時間対応モード」の中の第１モードのタッチキー（アイコン）である。なお、この場合、睡眠時間帯（入眠時刻と覚醒時刻）の情報もそのまま使用され、実際に使用者の睡眠時間は計測しない。
【０２５８】
１３９は、昨夜の睡眠時間帯情報等を参考にしたが、結果的に過去の保湿運転の条件や過去の睡眠時間対応運転の実績等に従わず、使用者が任意に決めた条件で保湿運転することを選ぶ手動モードのタッチキー（アイコン）である。図１７における「手動モード」のタッチキー（アイコン）１０３を押した場合と同じになり、使用者が任意に決めた条件で保湿運転したい場合には、このアイコン１３９を選ぶ。なお、このタッチキー（アイコン）１３９と、図１７に示した「手動モード」のタッチキー（アイコン）１０３との相違点は、後者を選んだ場合には、図１８の表示画面１０１が表示されないことである。
【０２５９】
１４０は、次の表示工程を進むタッチキー（アイコン）、１４１は、逆に前の工程の表示画面まで戻るように指令するタッチキー（アイコン）である。
１４２は、便利情報表示画面であることを示す文字情報である。
【０２６０】
図１７、１８において、前記ＮＦＣ用入出力部６３は、破線で示した枠になっているが、これはＮＦＣ用アンテナ２９の位置を模式的に示したもので、アンテナ２９の大きさは、この点線の枠で示した形状とは異なっている。ＮＦＣ用アンテナ２９は直接目視できないため、発光ダイオード素子（ＬＥＤ）６４が点灯していない状態でもＮＦＣ入出力部６３のアンテナ２９の位置が分かるように、本体ケース４９の前壁（正面壁）６１の表面には、文字と図形で、ＮＦＣ用入出力部６３のアンテナ２９の位置を示してある。この図１７、１８の例では「近距離通信  ＴＯＵＣＨ」と文字で表示している。  
【０２６１】
次に図１９について説明する。
図１９において、Ｌ１〜Ｌ１０が、保湿用空気供給機２０から統合管理装置５に送信される運転情報信号である。Ｌ１は、主電源投入（ＯＮ）を示す信号、ＡＳ１は、信号Ｌ１を受けて通信対象機器として登録したことの報知信号、Ｌ２は、保湿用空気供給機２０の表示画面１０１が起動されたことを示す信号である。
【０２６２】
Ｌ３は、保湿用空気供給機２０から睡眠時間データの提供求める信号と、その後入手した時点で確認のために送信する受領報知信号である。
【０２６３】
Ｌ４は、運転モード、すなわち、睡眠時間対応モード（お任せモード）と、手動モードのどちらを選択したのかを報知する信号、Ｌ５は、睡眠時間が設定されたことを示す信号、Ｌ５は、保湿用空気供給機２０の運転開始する予告信号である。
【０２６４】
ＫＳは、前記予告信号Ｌ５に応答して、統合管理装置５から運転開始を許可するという信号である。
Ｌ６は、電熱源９０に通電が開始されて実際に蒸気発生動作を開始したことを示す信号、Ｌ７は、前記信号Ｌ６の後（例えば５分後）に、電動送風機５５に通電開始したことを示す信号であり、実質的にはこのＬ６の段階から、高温の蒸気に空気が混合され、４０℃程度の高湿度の風が吹き出されて保湿運転が開始となる。
【０２６５】
Ｌ８は、電熱源９０への通電停止したことを示す信号、Ｌ９は電動送風機５５と、表示画面１０１への通電を停止したことを示す信号、Ｌ１０は表示画面１０１の通電停止を示す信号、Ｌ１１は、主電源スイッチ７０を遮断（ＯＦＦ）したことを示す信号である。
【０２６６】
図１７と図１８では、表示画面１０１において、環境情報表示部１３４や空調運転表示部１３５、空調詳細情報１３５Ａが設けられる旨を説明したが、統合管理装置５の制御部３６は、保湿用空気供給機２０が停止されることを運転情報信号Ｌ９で知った段階で、それまでに蓄積していた環境情報に基づき、保湿運転期間中に空気調和機３が運転されていたかどうかを、保湿用空気供給機２０へ送信する（図１９に示す報知信号ＥＶ）。
【０２６７】
また、空気調和機３が保湿運転期間中に運転されていたかどうかに関係なく、少なくとも前記運転情報信号Ｌ７からＬ９までの期間中、つまり実質的に保湿運転が行われていた期間中の平均気温、湿度等のデータを、制御部３６は保湿用空気供給機２０へ送信する。この平均気温等のデータは、統合環境検知部９から制御部３６が取得した環境データに基づく。すなわち、第２の記憶部３６Ｂには、保湿空気供給機２０の保湿運転中に、その保湿空気供給機２０が使用された居住空間の環境データ（例えば、気温、室温）が、その保湿運転時間と対になって時系列で記録されており、この環境データが居住者に利用されるようになっている。なお、平均気温や湿度ではなく、例えば１時間置きの計測データも良い。さらに、入眠時と覚醒時の２つの時点の気温と湿度を計測して送信しても良い。このようにすれば、睡眠中の環境変化の分析を、時系列に把握でき、より正確な分析が簡単に行えることになる。
【０２６８】
Ｌ１０は、表示画面１０１への通電が停止された場合に出される運転情報信号である。
統合管理装置５には、前記信号Ｌ１〜Ｌ１１の受信時刻が秒単位まで記憶されている。またその他信号ＡＳ１、ＬＭ、ＫＳについても同様である。
【０２６９】
保湿用空気供給機２０は、統合管理装置５によって消費電力の上限値が制限される対象製品になっていないが、仮に対象製品にした場合には、前記運転情報信号Ｌ５の後、又は少なくともＬ６の後で、統合管理装置（電力指令装置）５から電力削減要請信号ＡＳ２又は電力削減指令信号ＡＳ３が発せられる場合がある。
【０２７０】
電力削減要請信号ＡＳ２とは、速やかに電力を下げて欲しいと電力指令装置９が促す信号であり、この信号から所定時間以内に総電力量が下がらない場合には強制的に電力を下げる。そのため、前記した電力削減要請信号ＡＳ２を発してから所定時間内（例えば、数秒〜１０秒以内）に電力削減指令信号ＡＳ３が発せられる。電力削減要請信号ＡＳ２が発せられてから所定時間内に保湿用空気供給機２０やその他家電機器ＥＥの何れかが電力を自発的に下げたことにより、十分な余裕電力が確保された場合、前記電力削減要請信号ＡＳ２は撤回される場合があり得る。
【０２７１】
前記電力指令装置５は、各家電機器ＥＥからの要求電力の合計電力値と、ブレーカーＢＫの上限容量（１つとは限らない。使用者が複数設定する場合がある）との両者を比較し、合計電力が上限容量を超える可能性があれば、その超過量を削減するように、要求電力超過量判定手段（図示せず）から所定の指令出力を行う。もし超過量がなければ（すなわち、超過量が０）、その要求電力を発信してきた家電機器ＥＥに対して、その要求電力と同じ使用可能電力を当該家電機器に返信する。また超過量の出力があれば、この合計電力の超過量と予め定めた優先順位に従って、使用電力の削減幅と対象となる家電機器を決定し、その関係する家電機器には、電力削減幅を指令するように構成している。
【０２７２】
なお、電力削減対象の家電機器として登録されていない家電機器は「未登録機器」と呼ぶが、この「未登録機器」の電力使用量も想定して、電力指令装置５は、電力削減量を決定する。
【０２７３】
統合管理装置（電力指令装置）５は、図１で説明したように、家屋の外部の電力会社やその他の外部機関１５Ａのサーバーに接続されている。このため、例えば官公庁やその地域の電力会社などから、電力逼迫情報などが送信された場合、その情報は統合管理装置５の制御部３６に送信され、また前記表示盤３７に表示され、居住者へ注意喚起と電力削減の勧告を行う。但し、電力逼迫情報とは、前述したように、各家庭の使用電力を強制的に下げる指令と、強制的ではなく任意で下げて欲しいという要請レベルの指令の少なくとも２種類があるので、強制的に下げる指令の場合は、前記制御部３６が、電力を使用している家電機器の中から適当なものを選定し、電力削減の指令を出すため、家電機器ＥＥの電力が強制的に削減される場合もある。
【０２７４】
居住者は、任意の時点で電力指令装置５の電力制限値を複数の中から選択できる。例えば、広域通信回路網１６から電力逼迫情報などを受信した場合、その旨表示盤３７で表示されるので（また音声ガイド装置でも報知される）、これを見て自発的に上限値を下げるような設定操作をすることができる。
【０２７５】
また、実施の形態１で示した保湿用空気供給機２０等の家電機器ＥＥは、家屋の外部にある通信ネットワーク（広域通信回路網）１６と直接接続されていない。それら家電機器ＥＥは、統合管理装置（電力指令装置）５を介して通信ネットワーク１６と接続されているので、通信ネットワーク１６を通じて外部から保湿用空気供給機２０等が不正な遠隔操作をされるリスクを大幅に低減できる。すなわち、一般的に、キッチン内家電機器ＫＰや寝室や居間等で使用される家電機器は、高性能のファイアーウォール、情報処理デバイスを内蔵しておらず、十分なセキュリティ機能を備えていないものが多い。このため通信ネットワークを通じて外部から冷蔵庫等のキッチン内家電機器ＫＰに不正侵入され、他人の情報端末機器やコンピュータ等への攻撃の踏み台として使われていたという事例が最近社会問題になっている。セキュリティ専門機関等は、ボットネット（ＢＯＴＮＥＴ）型マルウェア（ＭＡＬＷＡＲＥ）を使って他人のコンピュータを操るのと同じ手口で、家庭用のルーターや家電機器が不正に操られていると危険性を指摘している。
【０２７６】
これに対して、この実施の形態１では、保湿用空気供給機２０等の家電機器ＥＥ単体では、通信ネットワーク１６への直接的な通信は行えず、統合管理装置（電力指令装置）５を介するか、あるいは情報通信端末機器２５を介しての情報授受ができるだけである。このため、この実施の形態１は、セキュリティ対策の面でも有利であり、居住者が安心して日常の生活ができる居住空間を提供できる。
【０２７７】
また、実施の形態１で示した統合管理装置（電力指令装置）５は、通信ネットワーク１６を介して情報サーバー２７や外部機関１５Ａ、１５Ｂと接続されているので、通信ネットワーク１６を通じて外部から、環境情報の１つである花粉飛散量情報や、紫外線光量情報（ＵＶ値）、肌の乾燥注意情報等を、随時取得できる。このため、これら各種情報を保湿用空気供給機２０に提供し、前記表示画面１０１で表示させて、使用者の保湿運転の開始要否や、その運転条件の設定に利用することができる。
さらに、それら情報は、高機能型の携帯電話（情報通信端末機器２５）に送信することもできるし、ＮＦＣ入出力部４０を介して情報通信端末機器２５にも提供できる。逆に、情報通信端末機器２５でそれら情報を取得し、統合管理装置（電力指令装置）５や保湿用空気供給機２０に読み込ませることも可能であり、このような連携によって使用者の利便性が向上する。
【０２７８】
次に図２０について説明する。図２０は、本発明の実施の形態１に係る保湿用空気供給機を、「肌水分対応モード」で運転する場合の基本的な制御動作を示すフローチャート図である。このフローチャートは、図１０のフローチャートのステップ（Ｓ５）から連続したものである。
【０２７９】
以下、スタート（Ｓ２０）から終了（Ｓ４４）までの各動作ステップについて説明する。最初に「肌水分対応モード」が選択されると、制御装置３３は、今回の運転開始にあたり、環境情報の１つである肌の乾燥注意情報を新しく取得しているかどうかを判定する（Ｓ２１）。この肌の乾燥注意情報は、その時点における保湿用空気供給機２０の使用地域（少なくとも都道府県単位）で公表されているので、その最新情報を統合管理装置５から取得する（Ｓ４５）。なお、使用者が情報通信端末機器２５に読み込んだ乾燥注意情報を、前記ＮＦＣ入出力部６３経由で読み込ませても良い。（Ｓ２１）。なお、保湿用空気供給機２０を、事前に「環境情報自動読み込み」と設定しておけば、上記ステップ（Ｓ２１）の段階までに、乾燥注意情報は自動的に読み込まれ、記憶部３３Ｒに一時的に格納されるので、次のステップ（Ｓ２２）へ進む。事前に「環境情報自動読み込み」と設定していない場合は、このステップ（Ｓ２１）の段階で、使用者へ環境情報を取得するように音声ガイドで報知される。
【０２８０】
一方、保湿用空気供給機２０には、機器側環境検知部４５もあるので、使用者が保湿用空気供給機２０を寝室で使用する場合には、その寝室の気温と湿度のデータが上記ステップ（Ｓ２１）の段階までに、自動的に取得され、記憶部３３Ｒに一時的に格納されている。
【０２８１】
次のステップ（Ｓ２２）では、今回の保湿運転のために肌の水分量の最新データ（この発明でいう「最新の水分量データ」に該当する）が記憶部３３Ｒの中に書き込まれてあるかどうかを判定する。例えば、使用者が、図５で説明した肌状態計測部８８によって、自分自身の肌表面を撮影した結果のデータを情報サーバー２７に送信し、その返信によって情報サーバー２７で分析した正確な水分量のデータを情報通信端末機器２５が取得している場合には、そのデータを、前記ＮＦＣ入出力部６３経由で保湿用空気供給機２０に読み込ませることができる。なお、統合管理装置５側で肌の水分量を計測し、それを統合管理装置５から保湿用空気供給機２０へ送信し、その入出力部６８経由で取得しても良い。このためには、統合管理装置５の中に水分量を計測する機能を具備させる必要がある。なお、最新データであるかどうかは、そのデータの（記憶部３３Ｒ又はＮＦＣ記憶部３１への）記録時期で判定される。例えば２時間以上前に記録された水分量データは、最新と判定されないように所定の「閾値」が設定されている。なお、この閾値は、固定ではなく、使用者が適宜変更できるようにしても良い。例えば２４時間までを「最新」と設定することでも良い。
【０２８２】
ステップ（Ｓ２２）で、肌の水分量データが記憶部３３Ｒの中にあると判定された場合には、ステップ（Ｓ２６）に進む。一方、データが無いと判定された場合には、新たに肌の水分量データを取得するかどうかを判断する（Ｓ２３）。使用者が肌の水分量データが無い状態で保湿運転を開始したい場合は、取得しない方の「Ｎｏ」に進み、制御装置３３は、標準的な保湿空気供給能力で運転されるように前記電熱源９０と電動送風機５５の制御条件を設定する。例えば電熱源９０に対する２１０Ｗの電力印加を間欠的（ＯＮ−ＯＦＦ）にし、結果的に通電率５０％で蒸気が発生するようにする。このステップ（Ｓ２３）の場面では、表示画面１０１の内容は、例えば図２３の通りである。
【０２８３】
ステップ（Ｓ２３）で、肌の水分量データを新たに取得して運転したい場合には、以下述べるように３つの方法がある。なお、肌の水分量を取得して、その水分量に応じた自動運転（保湿運転の累積時間や単位時間あたりの保湿能力の、少なくとも何れか一方が、制御装置３３により自動的に設定される）をステップ（Ｓ２３）で推奨するため、図２３に示しているように、表示画面１０１の文字情報１４４には、例えば「肌の水分量データの取得を推奨します」のような文章が追加されている。なお、保湿能力は、例えば１時間あたりの水量で表現される。例えば１時間あたり、２１０ｍＬ（ミリ・リットル）と表現される場合がある。なお、使用者の実際の肌の「保湿効果」は、この保湿能力によっては一義的に決まらない。その肌の周囲の空気の温度、湿度や保湿空気に接している時間、また個人差によって変化する。
【０２８４】
（第１の方法：肌情報部４６の利用）
この方法では、次のステップ（Ｓ２４）に進む。
ステップ（Ｓ２４）では、肌情報部４６のセンサー部（肌水分計測部）６７を使用者の顔に接触させて水分量を計測する。そして次のステップ（Ｓ２５）では、取得した肌の水分量のデータが、記憶部３３Ｒの中に格納される。なお、この格納時に、時計回路９３からの日時情報が一緒に記憶される。
【０２８５】
（第２の方法：肌状態計測部８８の利用）
この方法では、次のステップ（Ｓ２４）の前において、情報通信端末機器２５で使用者の顔の水分量を計測しておき、その計測データを情報サーバー２７へ送信して、情報サーバー２７から受信した判定結果の水分量データを、このステップ（Ｓ２４）の段階でその情報通信端末機器２５から、ＮＦＣ通信によってＮＦＣ記憶部３１の中に格納させる。そしてこのＮＦＣ記憶部３１の最新の肌の水分量のデータを、ステップ（Ｓ２５）において制御装置３３が読み出して記憶部３３Ｒに格納させる。
【０２８６】
（第３の方法：統合管理装置５の利用）
この方法では、次のステップ（Ｓ２４）の前において、情報通信端末機器２５で使用者の顔（肌）の表面を撮影しておき、その撮影データを情報通信端末機器２５の記憶部８８Ｅに一時的に格納し、この撮影データを利用するものである。その撮影データは、ＮＦＣ通信によって統合管理装置５のＮＦＣ入出力部４０経由で、統合管理装置５の制御部３６の第２の記憶部３６Ｂに記憶され、この撮影データは統合管理装置５から情報サーバー２７の判定部２７Ｈに送信される。そして情報サーバー２７から入出力部６８を介して保湿用空気供給機２０へ水分量の解析結果のデータが送信されることにより、このデータを保湿運転に利用することができる。
【０２８７】
ステップ（Ｓ２５）の後とステップ（Ｓ２６）の間には、図示していないが、最新の肌の水分量のデータの格納が終わったかどうかの確認を使用者に求めるステップがある。このステップの段階で、「Ｙｅｓ」を選択すると次のステップ（Ｓ２６）へ進むが、「Ｎｏ」を選択すると、肌情報部４６のセンサー部（肌水分計測部）６７で再度取得したデータに基づく水分量のデータが記憶部３３Ｒに格納され、また情報通信端末機器２５の肌状態計測部８８の撮影したデータから情報サーバー２７の判定部２７Ｈで判定した水分量のデータも記憶部３３Ｒに格納できる。
【０２８８】
このように保湿用空気供給機２０の肌情報部４６からのデータと情報通信端末機器２５の肌状態計測部８８の撮影したデータでは、後者の方が常に優先して記憶部３３Ｒに採用され、その直後に行われる保湿運転に利用されるようになっている。但し、このような優先関係を解除し、記憶部３３Ｒに記憶された最も新しい水分量のデータを利用するように変更しても良い。このようなデータの優先関係については、図３１を参照しながら後で詳しく述べる。
【０２８９】
ステップ（Ｓ２６）では、記憶部３３Ｒに記憶されている肌の水分量（Ｖ１）が、所定の基準値（ＶＳ）と同等か、又はそれ以下であるかどうかの判定が行われる。例えば、水分の量の基準値を３５％に設定し、これと同じかそれ以下である場合、つまり肌の乾燥度が大きい場合には、このステップ（Ｓ２６）は「Ｙｅｓ」となり、次のステップ（Ｓ２８）に進む。
【０２９０】
ステップ（Ｓ２８）では、制御装置３３は、保湿空気供給能力を増大させた状態で運転するように前記電熱源９０と電動送風機５５の制御条件を設定する。例えば電熱源９０に対し２１０Ｗの電力を連続的に供給するように通電条件を設定する。
【０２９１】
次のステップ（Ｓ２９）では、表示画面１０１において、過去の保湿運転時の肌の水分量データや、保湿運転のトータル時間等を表示させるかどうか使用者が選択する。
【０２９２】
ステップ（Ｓ２９）で「Ｙｅｓ」の場合は、次のステップ（Ｓ３０）では、表示画面１０１において、過去の保湿運転時に用いた肌の水分量データや、保湿運転のトータル時間等を表示させる動作が行われる。このステップ（Ｓ３０）の場面では、表示画面１０１の内容は、例えば図２４の通りである。
【０２９３】
次のステップ（Ｓ３０）では、使用者が睡眠時間の入力をする必要がある。その場合の入力用の表示画面１０１の内容は、例えば図２６の通りである。そして睡眠時間の入力を終えると、最後に最終確認の表示画面に切り替わり（図２７）、運転開始の指令を与えるアイコン１７４が表示される。そして保湿運転の開始指令を待つステップ（Ｓ３１）に進む
【０２９４】
そこで、そのアイコン１７４にタッチして選択すると、運転開始指令があったという処理となり、この後は、入眠情報の到来を待つ（Ｓ３２）。一方、機器側環境検知部４５は、この時点での室内空気の温度と湿度を計測し、その計測結果を制御装置３３に送信するので、制御装置３３の記憶部３３Ｒには、保湿運転の開始時点での、最新の気温と、湿度のデータが記録される。
【０２９５】
そして入眠情報が睡眠判定部２３から届くと、直ちに電熱源９０に対して通電を開始し、急速にボイラー室５９を加熱する（Ｓ３３）。ボイラー室４９が加熱されて水６０は沸騰して蒸気を発生させる。
【０２９６】
そこで、温度検知器４４が沸騰状態を検知して制御装置３３に沸騰温度に到来したことを示す信号を送信するので、制御装置３３は、電動送風機５５を駆動する（Ｓ３４）。このため、室内から空気が吸い込まれ、その空気と水蒸気が混合して高湿度で低温度（使用者の顔の周辺で４０℃程度）の温風が吹き出される。
【０２９７】
そして保湿運転開始（この実施の形態１では、電動送風機５５の運転開始時点を起点）から所定時間（通常は３時間）経過するかどうかの判定が、例えば１分置きに繰り返し行われる（Ｓ３６）。なお、表示画面１０１は、睡眠開始後は使用者が見ることは殆どないので、省エネの観点で停止しても良い（Ｓ３５）。
【０２９８】
そして保湿運転開始から所定時間（通常は３時間）経過した場合、次のステップ（Ｓ３７）に進み、電熱源９０への通電は停止する（ここで、保湿運転は終了）。但し、電熱源９０が停止してもボイラー室５９の中にはまだ高温蒸気が残っており、またボイラー室５９の蓄熱効果もあり、直ぐには水蒸気の発生が停止する訳ではないので、数分間程度は、吹出口５２から温風が供給される。
【０２９９】
そして保湿運転終了から数分後、所定電動送風機５５の運転は停止する（Ｓ３８）。すると制御装置３３は、今回の保湿運転で使用した肌の水分量のデータ、入眠時刻、保湿運転開始時点の環境データ（少なくとも気温と湿度）を記憶部３３Ｒの中に格納する。なお、時計回路９３からリアルタイムの時刻情報を入手して、秒単位まで分かるように日時情報も付加して記憶部３３Ｒの中に、前記した肌の水分量のデータ、入眠時刻等のデータと組（セット）にして記憶させる（Ｓ３９）。
【０３００】
そして保湿運転開始してから数時間後（少なくとも３時間を超えた時点）、使用者が覚醒すると、睡眠判定部２３から所定の信号が制御装置３３に届くので、ステップ（Ｓ４０）では、覚醒ありと判定され、次のステップ（Ｓ４１）に進む。
【０３０１】
ステップ（Ｓ４１）では、保湿運転終了してからの保湿効果を確かめる意味で、肌の水分量の取得を表示画面１０１で推奨する（Ｓ４１）。
このステップ（Ｓ４１）の推奨に従って保湿運転終了後の肌の状態を計測し、肌の水分量を示すデータを取得する方法には、以下説明するように２つある。
【０３０２】
（第１の方法：肌情報部４６の利用）
肌情報部４６のセンサー部（肌水分計測部）６７を使用者の顔に接触させて水分量を計測する方法である。
【０３０３】
（第２の方法：肌状態計測部８８の利用）
この方法は、情報通信端末機器２５の肌状態計測部８８によって使用者の顔の水分量を計測して、その計測データを情報サーバー２７に送り、情報サーバー２７からの返信を待って、分析された肌の水分量のデータを、取得する方法である。
【０３０４】
このような２つの方法の何れでも良いが、このような肌の水分量のデータを（保湿運転終了後に）読み込ませることを、この保湿用空気供給機２０では推奨しており、具体的には、図２８に示すような表示画面１０１の内容になる。
【０３０５】
ステップ（Ｓ４１）で、肌の水分量の計測を実施した場合には、その計測結果のデータは記憶部３３Ｒの中に記憶させる（Ｓ４２）。なお、この場合、この直前で保湿運転に利用した際の、肌の水分量のデータ、入眠時刻等のデータと組（セット）にして、保湿運転終了後の肌の水分量のデータを記憶させる。これは次回の保湿運転開始時に、それら関連データ、情報を一括して記憶部３３Ｒから読み出すためである。保湿運転開始前と終了後の肌の水分量のデータを、次回の保湿運転時に表示画面１０１に表示させて比較できることは、その次回の保湿運転条件を設定する際に参考になるため、このように保湿運転の前後のデータを保存できることが望ましく、保湿用空気供給機２０の効果的な運転条件を設定するために有益である。
【０３０６】
この後、表示画面１０１は駆動回路９１によって自動的に停止され（Ｓ４３）、一連の動作は終了する（Ｓ４４）。
【０３０７】
次に図２１について説明する。図２１は、図２０のフローチャート図を更に詳しく分解して説明するフローチャートであり、この図２１は、図２０のフローチャートのステップ（Ｓ３９）から連続したものである。
【０３０８】
使用者が覚醒すると（運転後、記憶モードを設定するかどうか判断を求めるステップ（Ｓ４０Ａ）に進む。事前に「運転後、記憶モード」を設定してあった場合には、次のステップ（Ｓ４１）に進み、ステップ（Ｓ３５）で停止していた表示画面１０１を起動し、肌の水分量の取得を表示画面１０１で推奨する（Ｓ４１）。
【０３０９】
肌の水分量の計測を実施して水分量の計測データを取得したかどうかの判定が行われ（Ｓ４１Ｂ）、計測が行われて計測データを取得した場合（Ｓ４１Ｃ）、その計測結果のデータが記憶部３３Ｒの中に記憶させる（Ｓ４２）。この場合、前記した肌の水分量のデータ、入眠時刻等のデータと組（セット）にして記憶させる。
【０３１０】
この後、表示画面１０１は駆動回路９１によって自動的に停止され（Ｓ４３）、一連の動作は終了する（Ｓ４４）。
【０３１１】
この図２１の動作フローチャートから明らかなように、この実施の形態１の保湿用空気供給機は、第１の発明を以下の構成で実施している。
すなわち、ここまでに説明した保湿用空気供給機２０は、
空気流を発生させる電動送風機５５を内蔵し、高湿度空気の吹出口５２を形成した本体２０Ａと、
水蒸気又は水の微粒子を電気的エネルギーで発生させる気化手段である電熱源９０と、
使用者が運転条件を入力する操作部７１と、
前記操作部の入力結果を表示する表示画面１０１と、
保湿運転の開始前及び保湿運転終了後に、使用者の肌水分量の情報を情報通信端末機器２５から取得できる無線入出力部４１と、
前記無線入出力部４１から取得した肌の水分量情報を記憶する記憶部３３Ｒと、
前記操作部７１と前記記憶部３３Ｒからの水分量情報に従って前記電動送風機５５と前記電熱源９０とを制御する制御装置３３と、
使用者によって閉じられ、閉じられた場合に前記制御装置３３に対して電源が供給される主電源スイッチ７０と、を備え、
前記制御装置３３は、保湿運転の終了後で前記主電源スイッチ７０が開放される前に、使用者に水分量の取得を促す報知を行う（図２１のステップＳ４１参照）構成である。
【０３１２】
この構成であるから、保湿運転終了後に、使用者が肌の水分量の計測を忘れることがないように、その都度自動的に注意喚起され、利便性を向上させることができる。しかも、使用者が情報通信端末機器２５で取得した肌の水分量データを保湿運転の条件に利用させることができ、保湿用空気供給機の使い勝手を向上させることが期待できる。
【０３１３】
次に図２２について説明する。図２１は、図２０のフローチャート図を少し改良した変形例を示すものであり、この図２２は、図２０のフローチャートのステップ（Ｓ３９）から連続したものである。
【０３１４】
この図２２のフローチャート図に示す動作で特徴的なところは、ステップ（Ｓ４１Ａ）である。このステップでは、肌の水分量の計測を実施し、その計測結果が良好であった場合（例えば、肌の水分量４０％）、そのデータに付帯データを付けて、後日使用者が過去のデータを検索して抽出できるようにしたものであり、この見出しを付けることを「ブックマーク」（「しおり」を付ける）と呼ぶ。
【０３１５】
次に図２３〜図２８について順次説明する。これら図は前記表示画面１０１の変遷を示すものである。
図２３は、図２０におけるステップ（Ｓ２３）の場面の表示画面１０１の例である。前記したようにこの表示画面１０１では、保湿運転のために新たに肌の水分量データを取得するかどうかを判断するものである。
【０３１６】
図２３において、１４３は保湿運転の開始前のデータ取得の確認であることを示す文字情報であり、１４４は、肌の水分量のデータが無い状態で保湿運転を開始するかどうかの判断を使用者に求める文字情報である。
１４５は、肌の水分量のデータを取得する場合には、「計測キー」というタッチキー（アイコン）１４６を選択するように誘導する文字情報、１４７は、例外的に肌の水分量のデータを取得しないで保湿運転を開始したい場合には、「確認キー」というタッチキー（アイコン）１４８を選択するように誘導する文字情報である。このアイコン１４８を選択すると、図２０のステップ（Ｓ２６）へ進む。肌の水分量は、基準時よりも低いという処理が行われ、ステップ（Ｓ２７）に進むことになる。
【０３１７】
前記アイコン１４８は、肌の水分量の計測を行わずに保湿運転を開始して良いかどうかの判断を使用者に求める「確認操作キー」の１つである。
【０３１８】
図２４は、図２０におけるステップ（Ｓ３０）の場面の表示画面１０１の例である。
１４９は、保湿運転の開始前のデータ取得の確認であることを示す文字情報で、前回の使用時までに保湿用空気供給機２０で取得している肌の水分量のデータと、睡眠時間のデータが過去３回分表示された例である。
【０３１９】
図２４において、１５０は、肌の水分量を示す表示部の見出し用文字情報、１５１は、睡眠時間のデータを示す表示部の見出し用文字情報、１５２は、室内空気の湿度のデータを示す表示部の見出し用文字情報である。
１５３は、前回のデータを示す表示部の見出し用文字情報で、肌の水分量は４０％であることを文字情報１５４で示しており、また睡眠時間は４２０分（７時間）であることを文字情報１５５で示しており、さらに、相対湿度は３５％であったことを文字情報１５６で示している。
【０３２０】
図２４において、１５７は、最初の表示画面１０１（図１７参照）に戻すことを指令するアイコン、１５８は、１つ前の表示画面１０１に切り替えるタッチキー（アイコン）であり、前記アイコン１４１（図１８参照）と同じ機能である。１５９は、次の表示画面１０１に切り替えることを指令するアイコンで、前記アイコン１４０（図１８参照）と同じ機能である。１６０は、この表示画面１０１の段階で、使用者に操作入力について参考になる情報を文字で表示するアドバイス部である。例えば、「前回とは、昨夜のことである」とか、「３日前よりも古いデータも表示させることは可能である」等のアドバイスを文字で表示する。
【０３２１】
次に図２５は、図２４において、アイコン１５９が選択（タッチ）された場合に表示される表示画面１０１の内容を示している。
図２５において、１６１は、保湿用空気供給機２０が今回取得した肌の水分量と過去２回の水分量のデータとを対比させる形式で表示して、睡眠時間の入力を促す文字情報である。
１６２は、今回のデータを示す表示部の見出し用文字情報で、肌の水分量は４０％であることを文字情報１６３で示しており、また睡眠時間はまだ未入力であることを示す文字情報１６４で示しており、さらに、現時点での相対湿度は３５％であることを文字情報１６５で示している。なお、アドバイス部１６０では、「今回の肌の水分量は４０％であって、これは良好なレベルである」旨を解説している。
【０３２２】
次に図２６は、図２５において、アイコン１５９が選択（タッチ）された場合に表示される表示画面の内容を示している。
図２６において、１６６は睡眠時間の入力専用画面であることを示す文字情報、１６７は、希望者が想定する睡眠時間を入力することを促す文字情報である。
１６８は、前回の保湿運転時に計測された睡眠時間（４２０分）が７時間であることを示した文字情報である。使用者はこの時間を増やしたい場合には、時間加算用のタッチキー（アイコン）１６９を押す。１回タッチすると１０分間増える。逆に時間を減らす場合には、減算用のタッチキー（アイコン）１７０にタッチする。１回タッチすると１０分間減算される。なお、この文字情報１６８で表示される時間を、使用者が固定することができるようにしても良い。例えば、毎日の睡眠時間を８時間にしたいと意図している使用者は、８時間を入力し、それを毎回表示することを指令する入力キー、アイコンを表示画面１０１に表示しても良い。
【０３２３】
次に図２７は、図２６において、アイコン１５９が選択（タッチ）された場合に表示される表示画面の内容を示している。
図２７において、１７１は睡眠時間の入力が完了したので、このまま運転開始するかどうかの最終確認を求める文字情報、１７２は、運転開始するかどうかの確認を促す文字情報である。
１７３は、今回の入力された睡眠時間は４２０分であることを示す文字情報である。
１７４は、この表示画面１０１の状態で保湿運転を開始することを指令するタッチキー（アイコン）である。
【０３２４】
次に図２８について説明する。図２８は、図２０の動作フローチャートにおけるステップ（Ｓ４１）で表示される表示画面１０１の内容の１例を示している。
図２８において、１７５は、保湿運転は既に終了しており、このまま電源を切るかどうかの最終確認を求める文字情報である。
【０３２５】
１７６は、保湿運転後の使用者の肌の水分量計測データが無いが、そのまま電源を切るかどうかの判断を促す文字情報である。なお、統合管理装置５の睡眠時間部２３から、覚醒したことを示す最初の時刻情報を制御装置３３が受けてから、３時間経過時点で主電源スイッチ７０は自動的に開放（ＯＦＦ）となる。このため、長期間主電源スイッチ７０をＯＮにしたままという状態は回避される。
【０３２６】
図２８において、１７７は、肌の水分量のデータを取得する場合には、「計測キー」というタッチキー（アイコン）１７９を選択するように誘導する文字情報、１７８は、例外的に肌の水分量のデータを取得しないで電源を切りたい場合には、「確認キー」というタッチキー（アイコン）１８０を選択するように誘導する文字情報である。この表示画面１０１が現れる時点は、使用者が睡眠状態から覚醒した後であるため、この表示画面１０１が現れる時点では、使用者は外出や仕事のために準備している段階である可能性が高い。そのため、肌の水分量のデータを取得する時間的余裕がない場合があるので、そのまま主電源スイッチ７０を切ることができるように、タッチキー（アイコン）１８０を表示させている。
【０３２７】
図２８において、タッチキー（アイコン）１７９を選択し、その後所定時間内（例えば３分以内）に、センサー部（肌水分計測部）６７を計測する使用者の顔（肌）に軽く接触させれば、制御装置３３が肌情報部４６に、最新の水分量を計測させ、その計測結果を記憶部３３Ｒに格納する。なお、この場合、この水分量のデータは、その直前の入眠時刻や覚醒時刻等のデータと組（セット）にして記憶させる。これは次回の保湿運転開始時に、それら関連データ、情報を一括して記憶部３３Ｒから読み出すためである。
【０３２８】
図２８において、１８１は、情報通信端末機器２５を誘導する文字情報である。これは、肌の水分量のデータを、情報通信端末機器２５によって得られた撮影データから、情報サーバー２７で解析し、その結果である水分量データを情報通信端末機器２５で取得して保湿用空気供給機２０に移すという使用方法を選択した場合、言い換えると情報通信端末機器２５で肌の水分量のデータを取得したことにより、情報通信端末機器２５から保湿用空気供給機２０に肌の水分量のデータを移すことを希望する場合において、情報通信端末機器２５を誘導するための表示である。
【０３２９】
図１７と図１９の説明の際に述べたが、統合管理装置５の制御部３６は、保湿用空気供給機２０が停止されることを運転情報信号Ｌ９で知った段階で、それまでに蓄積していた環境情報に基づき、保湿運転期間中に空気調和機３が運転されていたかどうかを、保湿用空気供給機２０へ送信する（図１９に示す報知信号ＥＶ）。
【０３３０】
また、空気調和機３が保湿運転期間中に運転されていたかどうかに関係なく、実質的に保湿運転が行われていた期間中の平均気温、湿度等のデータあるいは所定時間毎の計測データを、保湿用空気供給機２０は統合管理装置５から取得している。そのため、電動送風機５５が停止する時点では、制御装置３３には気温と湿度の最新データが蓄積されることになる。つまり、統合管理装置５から保湿用空気供給機２０に提供された気温、湿度のデータと、機器側環境検知部４５で取得した室内空気の温度と湿度のデータとは、１回の保湿運転の環境データとして記憶部３３Ｒにセットにして格納される。
【０３３１】
次に図２９について説明する。図２９は記憶部３３Ｒに格納される各種データの種類を示した例である。
図２９において、１８２は、記憶部３３Ｒに格納される際の運転履歴番号（シリアル番号）である。最初の保湿運転は第１番（＃＃００１）が付され、以降は＃＃００２、＃＃００３と進む。
【０３３２】
１８３は、運転開始日時のデータ格納欄である。なお、回路構成は具体的に説明していなかったが、保湿用空気供給機２０自体において所定時間後に運転開始をすることを予約設定できる。この予約設定した場合には、その予約時刻になると自動的に運転開始されるので、その運転開始の時刻情報が格納される。またこの実施の形態１では実施していないが、統合管理装置５によって遠隔操作で運転開始するようにした場合には、そのような運転開始の日時データもこの欄に記録される。
【０３３３】
１８４は、肌の水分量のデータの格納欄である。どのような計測手段によって計測されたかどうかに関係なく保湿運転のために利用された（保湿運転開始前の）ものがここに格納される。例えば、情報通信端末機器２５で計測され、情報サーバー２７によって分析された結果のデータや、肌水分計測部６７で計測されたデータが、この格納欄１８４に格納される。１回の保湿運転開始直前の時点で、２つ以上の計測手段で計測された水分量データがある場合には、前に述べたように、情報サーバー２７で解析されたデータが優先されるので、その情報サーバー２７から情報通信端末機器２５経由で保湿用空気供給機２０に供給されたデータが格納欄１８４に格納される。
【０３３４】
１８５は、睡眠時間のデータの格納欄である。統合管理装置５の睡眠判定部２３で検知した入眠時刻、覚醒時刻等のデータから計算される睡眠時間が、分単位で記録される。
【０３３５】
１８６は、入眠時刻のデータの格納欄である。統合管理装置５の睡眠判定部２３で検知した実際の入眠時刻のデータが記録される。なお、覚醒時刻は記録されていないが、入眠時刻と睡眠時間から覚醒時刻は計算できる。但し、睡眠期間中に、就寝者の意思とは関係なく何度も一時的に覚醒し、入眠、覚醒を繰り返すような場合には、最後の覚醒時刻を記憶し、睡眠時間のデータの格納欄１８５の睡眠時間は、複数の入眠から一時的な覚醒まで時間を積分して算出し記録するようにしても良い。
【０３３６】
１８７は、保湿運転の終了後に取得した肌の水分量に関する計測のデータの格納欄である。なお、保湿用空気供給機２０自体の肌水分計測部６７で取得したデータと、情報通信端末機器２５のように外部から読み込ませたデータとを区別できるように識別コードを付けておいても良い。例えば、情報通信端末機器２５から取得したデータと、統合管理装置５から入出力部６８経由で取得したデータと、肌水分計測部６７で取得したデータとの３種類を特定できるように識別コードを付ける。
【０３３７】
１８８は、室内気温と湿度の計測データ格納部である。前述したように、統合管理装置５から保湿用空気供給機２０に提供された気温、湿度のデータと、機器側環境検知部４５で取得した室内空気の温度と湿度のデータとは、１回の保湿運転の環境データとして記憶部３３Ｒにセットにして格納されるが、この図２９に示した気温、湿度は、電動送風機５５が停止した時点の気温と湿度の例である。保湿運転開始時点と終了時点、覚醒時点等、記憶容量に余裕があれば、更に細かくデータ蓄積しても良い。
【０３３８】
図２９において、睡眠時間のデータの格納欄１８５、入眠時刻のデータの格納欄１８６、保湿運転の終了後に取得した肌の水分量に関する計測データの格納欄１８７にそれぞれ付けられた○印は、使用者が設定した条件を満たしたデータであることを示している識別マーク（ブックマーク）１８９である。このブックマーク１８９とは、図２２のフローチャート図のステップ（Ｓ４１Ａ）でも説明したが、例えば、肌の水分量の計測を実施し、その計測結果が良好であった場合（例えば、肌の水分量４０％）、そのデータに付帯データを付けて、後日使用者が過去のデータを検索して抽出できるようにしたものである。この図２９の例では、使用者が「睡眠時間７時間＝４２０分以上」、「入眠時刻：２３時以前」、「水分量：４０％以上」という条件設定をしたため、データ格納時にブックマークが付けられたが、データ格納後に、使用者が入力操作部７１を兼ねた表示画面１０１から、所定の条件を付けたものを検索し、検索して抽出されたデータに事後的に付けても良い。これにより、例えば、水分量４０％以上で、睡眠時間７時間以上の運転履歴は、＃００１と＃００８の２つのケースがあることが分かり、その２つの過去の例から、入眠時刻は遅くとも２２時３５分であったことが記憶部３３Ｒのデータを、制御装置３３が集計処理して分かる。このため、使用者は運転履歴が蓄積されて来た段階で、その中から保湿運転の効果が良かったと思える運転履歴だけを残し、他の運転履歴のデータを消去する操作を実施しても良い。
【０３３９】
次に図３０を説明する。図３０は、操作部７１の全体を示す正面図であり、その操作部には、表示画面１０１と、近距離通信用入出力部を兼ねた表示部６３と、操作キー１９０と、をそれぞれ備えている。その操作キー１９０は、「推奨睡眠時間確認キー」を兼ねている。
【０３４０】
図１７で説明したように、保湿用空気供給機２０の主電源スイッチ７０をＯＮさせた場合、最初に図１７の画面が表示される。その図１７の表示画面１０１の下方にある前記操作キー１９０は、押しボタン式のキーであり、表示画面１０１の内容や進行度合いに関係なく、何時でも押すことができるので、図１７の段階でも押すことは可能である。
【０３４１】
操作キー１９０を押した場合、それまでの操作画面から一挙に図３０の状態へ切り替わる。つまり、操作キー１９０を押すと、制御装置３３は、記憶部３３Ｒにその時点で記憶してある各種データの内、最新のものを表示画面１０１に表示させる。
【０３４２】
図３０において、１９１は、保湿運転の開始前のデータ取得の確認であることを示す文字情報で、この表示画面１０１を表示する直前の時点までに保湿用空気供給機２０で取得している肌の水分量のデータと、睡眠時間のデータが過去２回分表示された例である。
【０３４３】
図３０において、１５０は、前記した肌水分の見出し用文字情報、１５１は、睡眠時間の見出し用文字情報、１５２は、湿度の見出し用文字情報である。
１９２は、運転を開始するかどうかの判断を使用者に求めている文字情報で、昨夜の睡眠時間から変更して睡眠時間を設定できることも説明している。
１９３は、図２４の（前回のデータの）見出し用文字情報１５３と同様に、昨夜の水分量や睡眠時間等であることを示す見出し用文字情報である。
【０３４４】
１９４は、図２５の（今回のデータを示す表示部の）見出し用文字情報１６２と同様に、今回の水分量や睡眠時間等を表示する部分であることを示す見出し用文字情報である。ここでは、肌の水分量は４０％であることを文字情報１９５で示しており、また睡眠時間はまだ未確定であることを示す文字情報１９６で示しており、さらに、現時点での相対湿度は３５％であることを文字情報１９７で示している。
【０３４５】
この図３０における睡眠時間を示す文字情報１９６は、直前の使用時に取得された肌の水分量（４０％）の場合の睡眠時間のデータを「初期値」（この場合、４２０分）として表示し、これを使用者が、長短調節用アイコン１９８で調節するという方法を採用している。但し、直前の使用時（例えば、昨夜）の肌の水分量が３０％であり、睡眠時間も３００分（６時間）であった場合、使用者が考えている目標の水分量（例えば４０％）と睡眠時間（例えば４２０分）を満たしていない場合には、図２９で説明したように、使用者が  第１条件：「睡眠時間７時間＝４２０分以上」
第２条件：「入眠時刻：２３時以前」
第３条件：「水分量：４０％以上」
という（推奨）条件の１つ又は複数を設定してあれば、少なくともこの条件１〜３の中の何れか１つ、又はこれら第１条件〜第３条件の組み合わせの中から選択するので、条件１〜条件３が「ＡＮＤ条件」で設定されていた場合には、睡眠時間は「４２０分」が最初に表示される。
具体的には、図２９に示したものが過去の全ての取得データであったとした場合、水分量４０％に最も近い「４０．１％」が計測された「運転履歴番号＃＃００１」の睡眠時間「４２０分」が選択される。この＃＃００１の運転履歴が仮に無かったとした場合には、４０％に次に近い「運転履歴番号＃＃００８」の睡眠時間「４４５分」が採用される。
【０３４６】
なお、推奨睡眠時間確認キー１９０を押した場合、前記制御部３３は、前記記憶部３３Ｒに記憶した複数回分の肌水分量の中で、所定量（例えば４０％）以上の肌水分量で、かつ睡眠時間が所定値（例えば、４２０分）よりも長い「第２の睡眠時間」の組合せとなる情報を抽出する機能を有しているので、図２９においては、運転履歴番号＃＃００１と＃＃００８の２つの計測データが抽出される。
このため、保湿運転の開始前の段階で、前記「第２の睡眠時間」の候補として、運転履歴番号＃＃００１の４４０分と、運転履歴番号＃＃００８の４４５分、の２つが選定される。制御部３３では、その内、短い方の４４０分を第２の睡眠時間として選定し、図３０に示す表示画面１０１に推奨時間として表示している。この場合、長い方の４４５分を最終選定するような設定にしても良い（その設定を使用者ができることが望ましい）。
【０３４７】
図３０において、１９９は、長短調節用アイコン１９８で、時間を短くする場合にタッチするアイコン、２００は逆に時間を長くする場合にタッチするアイコンである。なお、１つのアイコンに触れたまま、左右に指を動かすことで、その指の動きを表示画面１０１に配置してあるタッチ式入力電極（図示せず）が検知して、睡眠時間の加算・減算の信号を発生させるように変更しても良い。なお、１７４は、図２７に示した運転開始の指令を与えるアイコン１７４と同じものである。
【０３４８】
次に図３１を説明する。
この図３１は、図２０で説明した「肌水分対応モード」で保湿運転する場合に関連したものであり、肌の水分量を示すデータの優先順序を示すものである。このフローチャートは、図２０のフローチャートのステップ（Ｓ２３）から連続したものである。
【０３４９】
最初に、制御装置３３は、情報通信端末機器２５から肌の水分量データが入力され、記憶部３３Ｒの所定エリアに格納されたかどうかをチェックする（この時点で、ＮＦＣ記憶部３１に、記憶部３３Ｒに移送していない肌の水分量データがあった場合、瞬時に移送する）。もし、格納された場合には、ステップ２５Ａ（図２０のステップＳ２５に相当）に進み、その情報通信端末機器２５から肌の水分量データが、制御装置３３でこの後の保湿運転の制御条件を決めるために利用されることが確定する。
【０３５０】
もし、情報通信端末機器２５から肌の水分量データが入力されていない場合には、ステップ（２４Ａ）は「Ｙｅｓ」となり、次のステップＳ２４Ｂに進む。そして統合管理装置５からの計測データ送信で、情報サーバー２７から入出力部６８を介して保湿用空気供給機２０へ水分量の解析結果のデータが送信され、記憶部３３Ｒの所定エリアに格納された場合には、ステップ２５Ｂに進み、その情報サーバー２７から送信された肌の水分量データが、制御装置３３でこの後の保湿運転の制御条件を決めるために利用される。
【０３５１】
もし、情報サーバー２７から肌の水分量データが入力されていない場合には、ステップ（２４Ｂ）は「Ｙｅｓ」となり、次のステップＳ２４Ｃに進む。このステップでは、肌水分計測部６７で計測された水分量のデータが肌情報部４６から提供され、記憶部３３Ｒの所定エリアに格納されたかどうかの判定が行われる。水分量のデータが格納されていれば、ステップＳ２５Ｃに進み、そのデータが次の保湿運転のために利用されることが決定する。なお、前記ステップ２４Ａ〜２４Ｃは、３０秒分以内に判定されるので、保湿運転開始前の水分量データの有無で、運転開始までの入力時間が長くなるような事態を避けている。
【０３５２】
この図３１の説明から明らかなように、この実施の形態１においては、使用者が日常的に携帯できる情報通信端末機器２５を、肌の水分量取得手段として最も優先して使用できる。すなわち、水分量を計測したい（顔の）ある位置の肌表面に、情報通信端末機器２５の肌状態計測部８８を接近させて、情報通信端末機器２５で肌の表面を撮影し、その撮影データから情報サーバー２７で詳細に分析した結果の水分量データを、保湿運転の制御条件を決めるために優先的に利用、表示させることができるので、使い勝手が良い。
【０３５３】
（実施の形態１の総括）
以上説明した通り、実施の形態１における保湿用空気供給機２０は、第２の発明として以下の構成を備えている。
すなわち、空気流を発生させる電動送風機５５を内蔵し、高湿度空気の吹出口５２を形成した本体２０Ａと、
水蒸気又は水の微粒子を電気的エネルギーで発生させる気化手段となる電熱源９０と、
使用者が運転条件を入力する操作部７１と、
前記操作部の入力結果を表示する表示画面１０１と、
情報通信端末機器２５に記憶させた肌の水分量データを受信するための入出力部６３、６８と、
前記入出力部から取得した肌の水分量データを保存する記憶部３３Ｒと、
前記操作部７１からの入力情報と前記記憶部３３Ｒの水分量データとに従って、前記送風機５５と前記電熱源９０を制御する制御装置３３と、を備え、
前記制御装置３３は、保湿運転の開始前に、「最新の水分量データ」が前記記憶部に記憶されていない場合、前記入出力部を介して前記情報通信端末機器２５に記憶させた肌の水分量データを、前記記憶部３３Ｒに格納することを前記表示画面１０１で推奨（図２３の文字情報１４４参照）することを特徴とするものである。
【０３５４】
このため、実施の形態１の保湿用空気供給機によれば、保湿運転の開始にあたり、最新の水分量のデータを利用して効果的な保湿運転をすることが自動的に表示画面１０１で推奨されるので、使用者が肌の水分量のデータ取得を忘れても、保湿運転開始前に注意喚起できる。
【０３５５】
以上説明した通り、実施の形態１における保湿用空気供給機２０は、第３の発明として以下の構成を備えている。
すなわち、空気流を発生させる電動送風機５５を内蔵し、高湿度空気の吹出口５２を形成した本体２０Ａと、
水蒸気又は水の微粒子を電気的エネルギーで発生させる気化手段となる電熱源９０と、
使用者が運転条件を入力する操作部７１と、
前記操作部の入力結果を表示する表示画面１０１と、
保湿運転の開始前に使用者の肌水分量の情報を取得可能な肌情報部４６と、
情報通信端末機器２５が計測して外部の情報サーバーから取得した肌の水分量データを近距離無線通信（ＮＦＣ）で読み込ませるための入出力部６３と、
使用者の睡眠時間を計測できる睡眠判定部２３と、
前記入出力部から取得した肌の水分量データを保存する記憶部３３Ｒと、
前記操作部７１からの入力情報と前記記憶部３３Ｒの水分量データとに従って、前記送風機５５と前記電熱源９０を制御する制御装置３３と、を備え、
前記制御装置３３は、前記情報通信端末機器２５から取得した肌の水分量データを優先して利用し、その水分量データに応じて前記送風機５５と電熱源９０の運転条件を制御することを特徴とするものである（図３１参照）。
【０３５６】
このため、実施の形態１の保湿用空気供給機によれば、保湿運転の開始にあたり、情報サーバー２７で解析されたデータが優先されて運転条件の決定に利用されるので、使用者が情報通信端末機器２５で肌の状態を計測して外部の情報サーバーから肌の水分量データを取得すれば、そのデータを読み込ませることで外部の情報サーバーの高度な解析結果を利用して保湿運転に反映でき、利便性が向上する。
【０３５７】
更に、実施の形態１における保湿用空気供給機２０は、次の構成の第４の発明を実施している。
すなわち、空気流を発生させる電動送風機５５を内蔵し、高湿度空気の吹出口５２を形成した本体２０Ａと、
水蒸気又は水の微粒子を電気的エネルギーで発生させる気化手段となる電熱源９０と、
使用者が運転条件を入力する操作部７１と、
前記操作部の入力結果を表示する表示画面１０１と、
保湿運転を１回終えた後の使用者の肌水分量の情報を取得する肌情報部４６と、
情報通信端末機器２５が計測して外部の情報サーバーから取得した肌の水分量データを前記情報通信端末機器２５から直接読み込ませるための入出力部６３と、
使用者の睡眠時間情報を取得し、前記肌情報部４６と情報通信端末機器２５とからそれぞれ取得した肌の水分量情報とともに記憶する記憶部３３Ｒと、
現在時刻情報を発信する時計回路９３と、
前記操作部７１と前記記憶部３３Ｒからの情報に従って前記送風機５５と前記電熱源９０を制御する制御装置３３と、を備え、
前記制御装置３３は、前記記憶部３３Ｒに記憶した複数回分の肌水分量の中で、所定量以上の肌水分量（例えば４０％）が取得された運転時期に対応した「第１の睡眠時間」（例えば図２９の運転履歴番号＃＃００１の「４２０分」）を抽出する機能を有し、
前記操作部７１には、保湿運転の開始前の段階で、前記「第１の睡眠時間」の情報を表示することを指令する推奨睡眠時間確認キー１９０を具備したことを特徴とするものである。
【０３５８】
この第４の発明の保湿用空気供給機によれば、過去の肌の水分量と睡眠時間の記憶データの中から、肌の水分量が推奨基準（例えば、４０％以上）を満たした日の睡眠時間を表示させることができるため、保湿運転の時間を設定する際に、参考にでき、利便性が向上することを期待できる。
また使用者が情報通信端末機器２５で肌の状態を計測して外部の情報サーバーから肌の水分量データを取得し、そのデータを読み込ませることで外部の情報サーバーの高度な解析結果を利用して保湿運転に反映できるので、利便性が向上する。
【０３５９】
以上説明した通り、実施の形態１における保湿用空気供給機２０は、第５の発明を以下の構成で実施している。
すなわち、
空気流を発生させる電動送風機５５を内蔵し、高湿度空気の吹出口５２を形成した本体２０Ａと、
水蒸気又は水の微粒子を電気的エネルギーで発生させる気化手段としての電熱源９０と、
使用者が運転条件を入力する操作部７１と、
前記操作部の入力結果を表示する表示画面１０１と、
保湿運転を１回終えた後の使用者の肌水分量の情報を取得する肌情報部４６と、
情報通信端末機器２５が計測して外部の情報サーバーから取得した肌の水分量データを前記情報通信端末機器２５から直接読み込ませるための入出力部６３と、
使用者の睡眠時間情報を取得し、前記肌情報部４６及び前記情報通信端末機器２５からそれぞれ取得した肌の水分量情報とともに記憶する記憶部３３Ｒと、
現在時刻情報を発信する時計回路９３と、
前記操作部７１と前記記憶部３３Ｒからの情報に従って前記送風機５５と前記電熱源９０を制御する制御装置３３と、を備え、
前記制御装置３３は、前記記憶部３３Ｒに記憶した複数回分の肌水分量の中で、所定量（例えば４０％）以上の肌水分量で、かつ睡眠時間が所定値（例えば、４２０分）よりも長い「第２の睡眠時間」の組合せとなる情報を抽出する機能を有し、
前記操作部には、保湿運転の開始前の段階で、前記「第２の睡眠時間」の情報を、保湿運転の推奨時間として表示することを指令する「推奨睡眠時間」確認キー１９０を具備したことを特徴とするものである。
【０３６０】
この第５の発明の保湿用空気供給機２０によれば、過去の肌の水分量と睡眠時間の記憶データの中から、肌の水分量の良かった日（例えば４０％以上の日）で、しかも睡眠時間が長かった日（例えば４２０分以上）の組み合わせからピックアップした「推奨睡眠時間」を表示させることができるため、保湿運転の時間を設定する際に、参考にでき、利便性が大幅に向上することを期待できる。
また使用者が情報通信端末機器２５で肌の状態を計測して外部の情報サーバーから肌の水分量データを取得し、そのデータを読み込ませることで外部の情報サーバーの高度な解析結果を利用して保湿運転に反映できるので、利便性が向上する。
【０３６１】
この実施の形態１における家電機器ＥＥの運転管理システムは、
保湿用空気供給機２０を含む複数の家電機器ＥＥと個々に通信を行い、それら家電機器を個々に制御して家庭内の総電力量を制御する電力指令装置（統合管理装置）５と、
保湿用空気供給機２０と近距離無線通信するＮＦＣ通信部４０を備えた情報通信端末機器２５と、
前記情報通信端末機器２５から送信される肌の計測データを分析して肌の水分量データを当該情報通端末機器２５へ提供する情報サーバーと、
を備え、
前記電力指令装置５には、就寝者からの生体情報を受信して睡眠状態を判定する睡眠判定部２３で取得した睡眠時間データを記憶する記憶装置３６Ｂと、この記憶装置に記憶してある睡眠時間データを前記情報通信端末機器２５へ移送できる入出力部４０と、を有し、
前記保湿用空気供給機２０には、前記情報通信端末機器２５から読み込まれた肌の水分量データと前記睡眠時間データとに応じて保湿運転の時間又は保湿能力の少なくとも何れか一方を制御する制御装置３３を備えた構成である。
【０３６２】
この実施の形態１の家電機器の運転管理システムによれば、家電機器ＥＥを集中制御する電力指令装置５を利用して、効果的な保湿運転を行わせることができる。すなわち、スマートフォン等の情報通信端末機器２５を利用して、前記電力指令装置５で取得している睡眠時間データと、情報サーバーから取得した肌の水分量のデータとを、保湿用空気供給機２０へ提供するから、保湿用空気供給機２０では、睡眠時間のデータと肌の水分量のデータとに基づいて保湿運転時間や保湿能力（単位時間あたりの、保湿用空気の供給量）を決めることができ、使用者が睡眠している間に効果的に保湿運転を行える。このため、家庭内の総電力量を制御するという本来機能の電力指令装置５について、その利用価値を向上させることも期待できる。
なお、過去の睡眠時間と肌の水分量のデータを一括して表示画面１０１で表示させる構成にし、さらに推奨睡眠時間を表示させれば、保湿運転の時間を設定する際に、参考にでき、利便性が更に大幅に向上する。
【０３６３】
なお、図２９の説明から分かるように、「睡眠時間７時間＝４２０分以上」で「入眠時刻：２３時以前」、「水分量：４０％以上」という３つの条件で記憶部３３Ｒの中のデータを検索すると、運転履歴番号＃０＃０１と＃＃００８の２つのケースから、これら２つの実例では、入眠時刻は遅くとも２２時３５分であることが分かるので、これを利用して入眠時刻が迫っていることを報知することも可能である。例えば、音又は光の少なくとも何れか１つの方法で警報を出す警報部を更に追加し、前記制御装置３３が、前記時計回路９３からの時刻情報と、「第１の睡眠時間」の入眠時刻情報（例えば、前記した２２時３５分）とを比較し、その入眠時刻（２２時３５分）又はそれよりも使用者が設定した所定時間前（例えば、３０分前）に到達した時点（つまり、２２時０５分）で、前記警報部に対して警報を発する指令信号を出すように動作プログラムを構成すれば良い。このような構成によって、保湿用空気供給機２０を運転開始する前に（主電源スイッチ７０をＯＮにしておく必要があるが）、保湿用空気供給機２０から就寝する時刻になったことが自動的に報知され、肌の健康に良い睡眠を取得できること繋がるという効果が期待できる。
【０３６４】
また、保湿用空気供給機２０に、前記記憶部３３Ｒに格納された各種データ（図２９参照）を、前記統合管理装置５に送信する構成にしても良い。この場合、統合管理装置５は、ＴＶ受像機２に対してそのような各種データを送信し、ＴＶ受像機２で使用者やその家族が確認できるようにしても良い。この場合、図２９に示しているように、記憶部３３Ｒで格納しているデータには、睡眠時間や水分量の計測データの他に、室内気温と湿度の計測データも一緒に記憶されている。統合管理装置５から保湿用空気供給機２０に提供された気温、湿度のデータと、機器側環境検知部４５で取得した室内空気の温度と湿度のデータとは、１回の保湿運転の環境データとして記憶部３３Ｒにセットにして格納されるので、上記のように統合管理装置５の液晶表示画面３７ＡやＴＶ受像機２の表示画面において、睡眠時間や水分量の計測データを見る場合にも、その睡眠や計測に影響を与える可能性のある環境データを確認でき、より詳しい分析や判断ができる。
【０３６５】
また、睡眠判定部２３の本体２３Ｍは、電力指令装置（統合管理装置）５の本体５Ａの内部に設けず、電力指令装置（統合管理装置）５と別個の装置として構成しても良い。例えば、寝具２１の側に固定して設置し、電力指令装置５の制御部３６との間で指令信号を無線で授受し、また睡眠時間データを供給できるような無線通信機能を具備したもので良い。
【０３６６】
実施の形態２．
図３２〜図３６は、本発明の実施の形態２を示すもので、図３２は、本発明の実施の形態２に係る保湿用空気供給機に使用される通信アダプターと、電力指令装置５の全体構成を示すブロック図である。図３３は、図３２の保湿用空気供給機の操作部と表示画面を示す正面図１。図３４は、図３２の保湿用空気供給機の操作部と表示画面を示す正面図２。図３５は、図３２の保湿用空気供給機の操作部と表示画面を示す正面図３。図３６は、図３２の保湿用空気供給機の操作部と表示画面を示す正面図４である。図中、前記実施の形態１のものと同一又は相当部分には同一符号を付してある。
【０３６７】
図３２における電力指令装置５は、実施の形態１のものと基本的構成は同じである。但し、電力指令装置５の制御部３６と、保湿用空気供給機２０含む家電機器ＥＥとの間は、直接情報の授受ができず、介在物として別個の通信アダプターを使用している点が異なっている。また、保湿用空気供給機２０は、「第１の家電機器」と定義されており、電力指令装置５から電力削減指令信号ＡＳ３等を受ける可能性がある点で、実施の形態１とは大きく異なっている、
【０３６８】
前記「通信アダプター」とは、個々の家電機器とその電源との間に設けられる通信制御機器をいう。例えばここでいう通信アダプターとは、特開２０１０−２８８３８８号公報に示されるような通信アダプターをいい、電源プラグとコンセントを有し、そのコンセントに通電を制御すべき電気機器を接続する。そして電力指令信号を通信アダプターが無線や有線通信手段によって受け取ると、制御すべき家電機器の電源供給を制限し、又は遮断する。このように既存の家電機器に通信アダプターを接続し、その通信アダプターに電力制御装置５から電力指令信号を送り、その信号によって通信アダプターが家電機器を制御するので、既存の家電機器にも通信アダプターを電源側に介在させることで、電力指令装置５によって電力を集中制御できる利点が得られる。
【０３６９】
２０１は、通信アダプターである。この通信アダプターは、電力指令装置５の入出力部３０Ａに無線で接続される入出力部２０２と、通信アダプター２０１自身の制御を行う制御部２０３と、通信アダプター２０１が制御対象とする保湿用空気供給機２０の通電制御を行うための制御プログラム及び制御用データを格納したプログラム格納部２０４と、保湿用空気供給機２０の制御装置３３に所定の信号ケーブルで接続された入出力部（インターフェース部）２０５と、により構成されている。
【０３７０】
前記通信アダプター２０１は、保湿用空気供給機２０とは別に直接電源線（主幹線）１に接続され、その電源線から電力を得る方式で良いが、保湿用空気供給機２０の電源回路９２に、コネクタ等の接続手段で接続し、電力を得る方式でも良い。電源線１に直接接続したものでは、保湿用空気供給機２０の主電源を切断しても、常に通信アダプター２０１には電力が供給されるから、保湿用空気供給機２０の運転中、主電源切断中の何れにあっても電力指令装置５との通信を実行することができる。
【０３７１】
この図３２の実施の形態２では、保湿用空気供給機２０以外の家電機器ＥＥにも、それぞれ前記通信アダプター２０１と同様な構成のアダプター（図示せず）が設置されている。このため、１つの家庭内、居住空間等で複数の通信アダプター２０１が同時に使用されることから、各通信アダプター２０１には、各通信アダプター固有の識別番号（通信アダプターＩＤ）が付けられており、電力指令装置５の側から見て、通信相手の特定の通信アダプター２０１だけを識別できるようになっている。
【０３７２】
１つの通信アダプター２０１は、保湿用空気供給機２０の本体２０Ａの外郭となる本体ケース（箱体）に直接固定し、又はそのような本体と信号用ケーブル等で接続し、その本体の近傍に設置されて使用されるようになっている。またこの通信アダプター２０１があることから、実施の形態１における保湿用空気供給機２０で備えていた無線通信用の入出力部６８は不要となっている。
【０３７３】
実施の形態２においては、実施の形態１のように、保湿用空気供給機２０に異常が発生したことが制御装置３３によって判定されると、直ちに保湿用空気供給機２０の動作を緊急停止し、電熱源９０の緊急停止を示す信号を、前記通信アダプター２０１から電力指令装置５に送信し、その後、制御装置３３で保湿運転中に連続的に取得していた監視データが、通信アダプター２０１から電力指令装置５に送信される。
【０３７４】
この実施の形態２によれば、通信アダプター２０１が、電力指令装置５との間で各種信号を授受できる。
しかも、保湿用空気供給機２０の中に、前記した通信アダプター２０１のような機能を組み込んで製造する必要がないので、保湿用空気供給機２０自体のコストを低く抑えることができる。つまり、この通信アダプター２０１は、保湿用空気供給機２０の特定モデル専用に設計されたものでなくとも良く、他の家電機器ＥＥにも（前記プログラム格納部２０４の記憶内容を入れ替えること等で）広く利用することができるので、多数の家電機器ＥＥを使用する１つの家庭でも、全体の設置費用を抑制できるという効果もある。
【０３７５】
次に図３３について説明する。主電源スイッチ７０をＯＮさせた場合、最初に図３３の画面が表示される。この図は、実施の形態１における図２３に相当する。
図３３において、２０６は、保湿用空気供給機２０の運転条件を迅速にできるようにした「クイック設定」と表示されたアイコンである。このアイコンをタッチして運転モードを選ぶと、図３４〜図３６のように表示画面が切り替わって、肌の水分量データの中で、良いデータが得られたときの保湿運転時間を推奨する。
【０３７６】
図３３において、２１０は、情報通信端末機器２５を誘導する文字情報である。これは、実施の形態１の図２８に示した文字情報１８１と同じ目的で設けたものである。つまり、情報通信端末機器２５に（既に、情報サーバー２７によって解析され、それを受信した）肌の水分量データがあり、それを情報通信端末機器２５から保湿用空気供給機２０に移すことを希望する場合において、情報通信端末機器２５を誘導するための表示情報である。これにより外部機器である情報通信端末機器２５から、肌の水分量の計測データを取り込む作業を簡単にすることができる。
【０３７７】
図３４において、２０９は、肌の水分量を計測したデータが電力指令装置５にある場合、その電力指令装置５から水分量データを読み込むように操作を誘導する文字情報である。電力指令装置５に肌の水分量を計測したデータがある場合とは、２つの場合が考えられる。１つは、肌の水分量を計測する計測機器が居住空間ＨＡ内部にあり、それで取得したデータを、電力指令装置５に有線又は無線通信で送信した場合である。もう１つは、居住空間の外部、例えば職場や公共機関、商店、医院等で計測したデータを、一旦情報サーバー２７に送り、それを帰宅後に電力指令装置５から広域通信回路網１６経由して入手した場合である。２０８はアイコンである。
【０３７８】
図３４において、アイコン２０８にタッチした場合、保湿用空気供給機２０から電力指令装置５に対してデータ送信の要求信号が送信され、これに応じて電力指令装置５から通信アダプター２０１を経由して、保湿用空気供給機２０に肌の水分量の計測データが送信される。
【０３７９】
保湿用空気供給機２０に肌の水分量の計測データが届くと、表示画面１０１の表示内容は大きく変化し、図３５に示すように、肌の水分量の計測データや保湿運転の推奨時間等の情報が表示画面１０１に一覧状態で表示される。
【０３８０】
一方、保湿用空気供給機２０の表示部６３（図３４参照）に、情報通信端末機器２５を接近させて通信状態を確立させ、情報通信端末機器２５に一時的に記憶されている（既に、情報サーバー２７によって解析されたもの）肌の水分量データを、ＮＦＣ記憶部３１に読み込ませると、制御装置３３はこのような入力を検知し、表示画面１０１の表示内容は、同じく図３５に示すように、肌の水分量の計測データや保湿運転の推奨時間等の情報が表示画面１０１に一覧状態で表示される。
【０３８１】
図３５において、２１１は、保湿用空気供給機２０の運転条件を設定する画面であることを示す文字情報、２１２は、運転時間の入力を促す文字情報である。
２１３は、今回の（保湿運転開始前の時点での）肌の水分計測データを示した文字情報、２１４は、昨日の保湿運転終了直後の計測データとの比較結果を示す参考情報、２１５は、昨日の保湿運転時の湿度計測データとの比較結果を示す参考情報である。
【０３８２】
図３５において、２１７は、保湿用空気供給機２０の標準的な運転時間を示す文字情報、２１８は、肌の水分量の計測結果が標準値よりも悪いため、保湿用空気供給機２０の運転時間を、標準的な運転時間（３時間）よりも長く（４時間に）設定するように推奨した推奨時間情報であり、ここで表示された時間を使用者が長くしたい場合には、時間加算用のタッチキー（アイコン）２１９を押す。１回タッチすると１０分間増える。逆に時間を短くする場合には、減算用のタッチキー（アイコン）２２０にタッチする。１回タッチすると１０分間減算される。
【０３８３】
図３５において、２２１は、一定の期間（例えば１０日間）における肌の水分量計測データ（但し、保湿運転の終了直後に計測した結果）の良いものを表示させるアイコンである。このアイコン２２１を選択すると、図３６に示すような表示画面１０１に切り替わる。
【０３８４】
図３６において、２２２は、過去１０日間のデータを参考情報として示し、運転時間の入力を促す文字情報である。２２３は、過去１０日間で最も良かった肌の水分量計測データを示した文字情報で、この図３６では水分量４５％であることが分かる。但し、ここでいう水分量は、保湿運転が終了した後（終了後から３０分以内に計測したもの）計測した結果である。２２４は、そのような（保湿運転終了後の中で）最も良かった肌の水分量計測データが取得された時の運転時間を示す参考情報である。つまり４時間の保湿運転を行った後で計測された肌の水分計測値の４５％という実績が、過去１０日間の最も良いデータであることが分かる。言い換えると、良好な水分量が得られると期待される「適正運転時間」はこの図３５の例では４時間であることが分かる。
【０３８５】
図３６において、２２５は、過去１０日間で最も良かった肌の水分計測データが取得された時の入眠時刻を示す参考情報である。この場合は、２２時１０分に入眠した場合であることが分かるので、これら情報から使用者は、今回保湿用空気供給機２０を使用する場合の運転時間や就寝時間等を保湿運転開始前に把握できる。
【０３８６】
なお、この実施の形態２のように、図３６において、保湿運転開始前に、過去の（保湿運転終了後（終了時点から３０分以内に計測したもの）を、保湿運転の終了後に取得する必要がある。この取得を忘れると、次回の保湿運転開始前に、図３５に示したような、前回（２日間連続して使用する場合は、昨日）の保湿運転終了直後の計測データが欠落してしまい、過去のデータとの比較結果を示す参考情報２１４は表示されない。仮に、肌の水分量の取得を怠った場合は、制御装置３３によって、保湿運転後の水分量の計測データがあるところまで過去分を遡って比較データが抽出される。
【０３８７】
なお、この実施の形態２においても、保湿運転終了後に、使用者が肌の水分量の計測を忘れることがないように、その都度自動的に注意喚起され、利便性を向上させることができる。しかも、使用者が情報通信端末機器２５で取得した肌の水分量データを保湿運転の条件に利用させることができ、保湿用空気供給機の使い勝手を向上させることが期待できる。
【０３８８】
（実施の形態２の総括）
以上説明した通り、実施の形態２における保湿用空気供給機２０でも実施の形態１と同様に、表示画面１０１を操作して保湿運転を行う前の最新の肌の水分量と睡眠時間の長短を一挙に確認できる。これにより肌の水分量の改善のために、保湿運転の時間や保湿用空気の供給量（強弱）を設定する際に、参考になり、利便性が向上する。
【０３８９】
更に、実施の形態２における保湿用空気供給機２０でも実施の形態１と同様に、保湿運転の開始前の段階で、「第１の睡眠時間」の情報を表示することを指令する推奨睡眠時間確認キー１９０を具備しているから、過去の肌の水分量と睡眠時間の記憶データの中から、肌の水分量が推奨基準（例えば、４０％以上）を満たした日の睡眠時間を表示させることができ、保湿運転の時間を設定する際に、参考にでき、利便性が向上する。
【０３９０】
更に、実施の形態２における保湿用空気供給機２０でも実施の形態１と同様に、過去の保湿運転時に取得された所定期間における複数回分の肌水分量の中で、最も良いレベルの水分量が取得されたときの運転時間の情報を抽出する機能を有している。
【０３９１】
この実施の形態２における保湿用空気供給機２０は、以下の特徴的な構成を具備している。
すなわち、空気流を発生させる電動送風機５５を内蔵し、高湿度空気の吹出口５２を形成した本体２０Ａと、
水蒸気又は水の微粒子を電気的エネルギーで発生させる気化手段としての電熱源９０と、
使用者が運転条件を入力する操作部７１と、
前記操作部の入力結果を表示する表示画面１０１と、
保湿運転を１回終えた後の使用者の肌水分量の情報を取得する肌情報部４６と、
情報通信端末機器２５が計測したデータに基づいて外部の情報サーバーから取得した肌の水分量データを近距離無線通信（ＮＦＣ）で読み込ませるための入出力部６３と、
前記肌情報部４６と情報通信端末機器２５とから、それぞれ取得した肌の水分量データを記憶する記憶部３３Ｒと、
現在時刻情報を発信する時計回路９３と、
前記操作部７１と前記記憶部３３Ｒからの情報に従って前記送風機５５と前記電熱源９０を制御する制御装置３３と、を備え、
前記制御装置３３は、前記記憶部３３Ｒに記憶した過去の所定期間における複数回分の肌の水分量データの中で、最良のレベルを取得した水分量データと、その水分量データが得られた時の保湿運転時の運転時間である「適正運転時間」の組合せとなる情報を抽出する機能を有し、
前記操作部には、保湿運転の開始前の段階で、前記「適正運転時間」の情報を、保湿運転の推奨時間として表示することを指令するアイコン２２１を具備したことを特徴とするものである。
【０３９２】
この構成の保湿用空気供給機２０によれば、過去の肌の水分量と睡眠時間、運転時間の記憶データの中から、肌の水分量の良かった日（例えば４０％以上の日）の水分量と、運転時間との組み合わせからピックアップした「適正運転時間」を表示させることができるため、保湿運転の時間を設定する際に、参考にでき、利便性が大幅に向上することを期待できる。
また使用者が情報通信端末機器２５で取得した肌の水分量データを保湿運転の条件に利用させることができ、保湿用空気供給機の使い勝手を向上させることが期待できる。
【０３９３】
実施の形態３．
図３７〜図３８は、本発明の実施の形態３を示すもので、図３７は、保湿用空気供給機の内部構成を示すブロック図、図３８は、その保湿用空気供給機の制御装置の動作を示すフローチャート図である。図中、前記実施の形態１のものと同一又は相当部分には同一符号を付してある。
【０３９４】
この実施の形態３の特徴とするところは、保湿運転を終えた後の使用者の睡眠防止や肌の水分量計測の動作の簡略化等を図ったところにある。
次に図３７について説明する。図３７は、保湿用空気供給機２０の内部構成を示すブロック図であり、実施の形態１（図６）の構成と異なるところは、照度センサー２３０を設けた点にある。この照度センサーは、保湿用空気供給機２０の本体２０Ａを構成する本体ケース４９から外側の室内の明るさを検知するものであり、本体２０Ａの天井面等に設置してある。
【０３９５】
照度センサー２３０は、室内の明るさを検知して、所定の明るさ（閾値）以上の明るさである場合と、その閾値未満の明るさである場合に、異なる検知信号を制御装置３３に送る動作をする。そのため、検知信号を受けた制御装置３３側では、寝室等の居住空間ＨＡの中が明るいかどうかを判定できるとともに、明るい状態から暗い状態になったこと、逆に暗い状態から明るい状態になったことが判定できる。後者の状態は、通常は居住者が就寝状態から起床したことを推定できる。
【０３９６】
図３７において、２３１は、睡眠判定部である。この睡眠判定部は、実施の形態１における睡眠判定部２３と同様に、睡眠センサー（図示せず）から、保湿用空気供給機２０の使用者（就寝者）の生体情報を受信して睡眠状態を判定する機能がある。入眠状態を検知した場合、及び覚醒状態を検知した場合に、所定の検知信号を制御装置３３に送る。
【０３９７】
次に図３８について説明する。
図３８は、実施の形態１における図２１のフローチャート図に関連している。すなわち、この実施の形態３では、図２１のフローチャート図のステップを一部改良している。
【０３９８】
具体的には、図３８において、覚醒信号があったかどうかの判断ステップ（Ｓ４０）から後のステップ（Ｓ４０ａ、Ｓ４０ｂ、Ｓ４０ｃ、Ｓ４０ｄ、Ｓ４０ｅ）が異なっている。
【０３９９】
覚醒信号があったかどうかの判断ステップ（Ｓ４０）で、「Ｙｅｓ」となった場合には次のステップ（Ｓ４０ａ）に進む。このステップでは、入眠情報を取得した時点（図２０のステップＳ３２参照）からの経過時間が、５時間以内かどうかの判定を行う。入眠時点から３時間で覚醒した場合には、本来の覚醒ではなく、トイレに行くため等の生理的理由で一時的に覚醒した場合が濃厚である。５時間経過した場合は、使用者の意思に従った本来の起床であることが想定されるので、５時間経過している場合には「Ｎｏ」判定となり、ステップ（Ｓ４０）に進む。
【０４００】
ステップ（Ｓ４０ａ）で、「Ｙｅｓ」となった場合には次のステップ（Ｓ４０ｂ）に進む。このステップでは、保湿運転の開始前に使用者が入力した睡眠時間（例えば７時間）から、入眠時点（ステップＳ３２）の時刻からの経過時間を計算し、すでに２時間経過していれば、入眠から５時間以内であるので「Ｙｅｓ」となる。つまり、使用者が就寝してから使用者が希望した睡眠時間よりも１時間以上も前で覚醒した場合には、これもステップ（Ｓ４０ａ）と同じで、本来の覚醒ではなく、使用者（就寝者）の意思に反した覚醒である可能性が高い。そこで、このステップ（Ｓ４０ｂ）で「Ｙｅｓ」の場合には、次のステップ（Ｓ４０ｃ）に進む。
【０４０１】
このステップ（Ｓ４０ｃ）では、入眠状態を示す信号が得られたかどうか判断し、当該信号がない場合には、次のステップ（Ｓ４０ｄ）で３０分間待つ。この３０分間の待機時間は、使用者（就寝者）が、トイレに行くため等の生理的理由で一時的に覚醒した場合ならば、３０分以内に再び就寝しているであろうとの判断から設定している。なお、３０分の起点は、前記ステップ（Ｓ４０）での覚醒信号の到着時点からである。
【０４０２】
このステップ（Ｓ４０ｄ）で、３０分間間の間に入眠状態の信号がなかった場合には、次のステップ（Ｓ４０ｅ）に進む。このステップでは、前記照度センサー２３０から検知信号の状態で、使用者（就寝者）が本格的に起きている状態になったのかどうかを判定する。
【０４０３】
照度センサー２３０は、例えば、覚醒信号があったかどうかの判断ステップ（Ｓ４０）の前の室内の明るさと、ステップ（Ｓ４０ｄ）の明るさを比較し、後者の方が明るい場合には、制御装置３３において、そのような２つの時点での明るさの変化を検知できる。つまり、通常の場合であれば、夜間に就寝しているので、居住者が就寝状態から起床したことが、明るさの変化で推定できる。なお、この照度変化の判断ステップ（Ｓ４０ｄ）は、省略しても良い。例えば、時計回路９３からの時刻情報を利用し、既に明るい朝や昼になっている場合には、照度変化の判断ステップ（Ｓ４０ｄ）をスキップさせることで良い。
【０４０４】
前記ステップ（Ｓ４０ｅ）で「Ｙｅｓ」の判断になった場合に、図２１のフローチャート図で説明したように、記憶モードを設定するかどうか判断を求めるステップ（Ｓ４０Ａ）に進む。以後は、図２１で説明した動作ステップと同じである。
【０４０５】
この図３８の動作フローチャートから明らかなように、この実施の形態３の保湿用空気供給機２０は、覚醒信号があったかどうかの判断ステップ（Ｓ４０）で、「Ｙｅｓ」となった場合でも、そのままステップ（Ｓ４１）には進まない。
ステップ（Ｓ４１）は、前述したように、保湿運転終了してからの保湿効果を確かめる意味で、肌の水分量の取得を表示画面１０１で推奨するため、表示画面１０１を起動して所定の表示を行い、使用者に肌の水分量の計測やデータ保存の操作を推奨するものである。しかしながら、上記したように覚醒信号があったという事実だけで完全に起きたと断定すると、使用者の就寝を妨げ、また本来の睡眠に戻ることを妨げるおそれがある。
これに対してこの実施の形態３では、そのような本来の使用者の意思に反した覚醒、意図しない覚醒等の、いわゆるノイズを除去して、使用者の睡眠を妨げることを抑制できるという効果が期待できる。
【０４０６】
この実施の形態３において説明した保湿用空気供給機２０は、以下の特徴的な構成を具備している。
すなわち。空気流を発生させる電動送風機５５を内蔵し、高湿度空気の吹出口５２を形成した本体２０Ａと、
水蒸気又は水の微粒子を電気的エネルギーで発生させる気化手段である電熱源９０と、
使用者が運転条件を入力する操作部７１と、
前記操作部の入力結果を表示する表示画面１０１と、
保湿運転の開始前に使用者の肌水分量の情報を取得する肌情報部４６と、
情報通信端末機器２５が計測したデータに基づいて外部の情報サーバーから取得した肌の水分量データを近距離無線通信（ＮＦＣ）で読み込ませるための入出力部６３と、
使用者の睡眠状態を判定する睡眠判定部２３１と、
使用者の睡眠時間情報を取得し、前記肌情報部４６と前記情報通信端末機器２５とからそれぞれ取得した肌の水分量情報とともに憶する記憶部３３Ｒと、
前記操作部７１と前記記憶部３３Ｒからの情報に従って前記電動送風機５５と前記電熱源９０とを制御する制御装置３３と、
使用者によって閉じられ、閉じられた場合に前記制御装置３３に対して電源が供給される主電源スイッチ７０と、を備え、
前記操作部７１には、保湿運転の開始前に前記操作部７１から所定の操作入力がされた場合、前記制御装置３３は、前記記憶部３３Ｒに記憶させた肌の水分量データと過去の保湿運転時に取得した睡眠時間情報とを、前記表示画面１０１に同時に表示し、
前記制御装置３３は、睡眠判定部２３１から使用者の覚醒信号を受けた場合、所定の判定条件（図３７の５つのステップＳ４０ａ、Ｓ４０ｂ、Ｓ４０ｃ、Ｓ４０ｄ、Ｓ４０ｅの１つ又は複数の組み合わせで良い）を満たした場合に、保湿運転が終了した後で前記主電源スイッチ７０が開放されるまでの間に、使用者に肌の水分量の計測を推奨する報知（図３７のステップＳ４１参照）を自動的に行う構成である。
【０４０７】
この構成であるから、保湿運転後にその保湿効果を確認する意味で、あまり時間を置かずに使用者の肌の水分量を計測することを使用者に促すことができる。しかも単純に覚醒状態を検知しただけでは、そのような計測動作を使用者へ報知せず、使用者の睡眠を妨げず、使用者へ報知するので、利便性を向上させることができる。
【０４０８】
実施の形態４．
図３９は、本発明の実施の形態４を示す保湿用空気供給機の運転管理システムに関するものであり、図４０は、そのシステムに利用される業務用の保湿空気供給機の構成を示すブロック図である。これら図中、前記実施の形態１のものと同一又は相当部分には同一符号を付してある。
【０４０９】
この実施の形態４の特徴とするところは、美容サロン、エステティックサロン、化粧品メーカ、美容関連製品の販売店等（以下、これらを総称して「美容関係施設」という）の屋外空間ＨＵと一般家庭の屋内空間ＨＡの双方において、１つの情報通信端末機器２５で取得した肌の水分量のデータを利用して保湿運転ができるシステムに構成したところである。
【０４１０】
図３９に示している通り、実施の形態１で示した１つの家庭の居住空間ＨＡには、実施の形態１で示したものと同様の保湿用空気供給機（第２の保湿用空気供給機）２０と、その保湿用空気供給機２０に対して電源スイッチ７０のＯＮ（閉）指令信号とＯＦＦ（開）指令信号を与える統合管理装置５と、を具備している。
【０４１１】
前記統合管理装置５は、例えばキッチン内家電機器ＫＰ３と空気調和機３に対しては、この居住空間ＨＡで許容されている家庭内の総電力量を超えないよう、電力の総量規制を行う機能を有し、それらキッチン内家電機器ＫＰ３と空気調和機３に対して、個々に供給電力の遮断や供給量の抑制をし、実施の形態１で説明したような電力指令装置５としての機能も発揮している。
【０４１２】
３６Ｃは、前記統合管理装置５の内部に設けた保湿用空気供給機専用の記憶部であり、不揮発性の記憶媒体である。この記憶部に対する肌の水分量のデータや睡眠時間データ、保湿運転データ等の各種情報の書き込みは、制御部３６で行われる。なお、この他に、電力量制御関係で専用の「第１の記憶部」となる第１のメモリー３６Ａ（図示せず）を保有しており、ブレーカーＢＫに設定された総電力量上限値の情報や、各種家電機器ＥＥの消費電力量を制限するための電力量上限値のデータ、さらには居住者毎に設定された電力上限値等の情報が、それぞれ記憶されている。
【０４１３】
また制御部３６には、保湿用空気供給機２０専用の「第２の記憶部」となる第２のメモリー３６Ｂ（図示せず）を保有しており、睡眠判定部２３によって取得された睡眠時間、時刻等の各種データやその解析結果の情報が、それを実際に取得した日付や時刻等の詳細情報と対になって時系列に記憶されている。
【０４１４】
図３９において、２７は、インターネット上の空間に設置された情報サーバーである。  この情報サーバー２７は、広域通信回路網１６を介して前記保湿用空気供給機２０と、業務用保湿用空気供給機３００とに接続可能となっている。またこの情報サーバーは、保湿用空気供給機２０と業務用保湿用空気供給機３００に対して、肌の状態分析結果を閲覧したり、その分析結果データを保存したりできるようなアプリケーション・プログラムを提供する機能があり、実施の形態１で説明したように、アプリケーション・サービス・プロバイダーの機能がある。
【０４１５】
図３９において、２５は、情報通信端末機器であるが、実施の形態１のように、肌状態計測部８８を内蔵したものではない。しかし、広域通信回路網１６を介して情報サーバー２７にアクセスでき、肌の状態分析結果を閲覧したり、その分析結果データを保存したりできるようなアプリケーション・プログラムをダウンロードできる必要がある。
【０４１６】
図３９、図４０において、３００は、屋外空間ＨＵにて使用されるような業務用の保湿用空気供給機（第１の保湿用空気供給機）である。この業務用の保湿用空気供給機は、実施の形態１で示した保湿用空気供給機２０と（保湿用空気の供給に関して）基本的な構成は同じであるが、肌水分計測部６７と肌情報部４６に相当する構成は内蔵していない。それら肌水分計測部６７と肌情報部４６に相当する構成は、別個に形成された肌状態計測用カメラ３０１に内蔵されている。つまり、使用者が自由に手に持って希望の位置で肌の状態を計測できるようにアダプターとして構成されており、業務用の保湿用空気供給機３００に装着された状態では、その保湿用空気供給機３００に内蔵された無線通信用の入出力部６８と、無線通信で信号授受できるように接続される。あるいは、図４０に示しているように、保湿用空気供給機３００の制御装置３３に対して計測情報を入力できるように有線で接続されている。
【０４１７】
図４０において、前記肌状態計測用カメラ３０１には、実施の形態１で説明したような、使用者の肌の状態を撮影する専用の肌状態計測部３８８として、レンズ３８８Ａ（図示せず）、発光ダイオード３８８Ｂ（図示せず）、撮影部３８８Ｃ（図示せず）、受光素子３８８Ｄ（図示せず）、及び記憶部３８８Ｅ（図示せず）を、それぞれ具備している。
【０４１８】
美容関係施設によっては、顧客が利用するための一時的な休憩（睡眠）場所が無い場合があるので、その場合には、業務用の保湿用空気供給機３００に、睡眠判定部２３と睡眠センサー２４（図示せず）を具備しなくても良い。
【０４１９】
次に、これら図３９と図４０を参照しながら、美容関係施設において、顧客が業務用の保湿用空気供給機３００のサービスを受ける場合について説明する。
業務用の保湿用空気供給機３００において、肌状態計測用カメラ３０１を利用して顧客（以下、この実施の形態４においては、居住空間ＨＡの「居住者」を兼ねている場合で説明する）が肌の撮影サービスを受けると、肌状態計測用カメラ３０１で取得された撮影データは、制御装置３３によって、記憶部３３Ｒに一時的に保存され、無線通信用の入出力部４１Ａを介して広域通信回路網１６を経由して前記情報サーバー２７に送信される（図３９の通信＃１）。
【０４２０】
次に、情報サーバー２７の判定部では、肌状態計測用カメラ３０１で撮影された肌の表面の情報と、近赤外光の光の照射の反射によって取得した皮膚の下層の情報とを、個々に分離し、データ解析することにより、肌の水分量のデータ解析結果を求める。なお、肌の「キメ」と呼ばれる表面の画像や、毛穴や肌の色調、周囲の肌との色の濃淡、明度等も解析する。そして、このような解析結果のデータを、広域通信回路網１６を経由して前記業務用の保湿用空気供給機３００に返信する（図３９の通信＃１）。なお、このような撮影作業は、美容関係施設の専門のスタッフによって行われるので、顧客が自ら撮影のために業務用の保湿用空気供給機３００を操作することはない。
【０４２１】
次に、業務用の保湿用空気供給機３００では、受信した肌の水分量のデータを、制御装置３３が、表示画面１０１にグラフや図形等で表示し、顧客に計測結果情報を開示する。
そして制御装置３３では、受信した肌の水分量の数値に応じて、保湿用空気の（単位時間あたりの）供給量や供給累積時間等の適当な運転条件を、内部の制御条件マトリックスから選択し、顧客に対する保湿運転時間等の運転条件を決定し、保湿運転開始する。なお、その保湿運転の開始時から、その美容関係施設の業務用の保湿用空気供給機３００周辺の気温や湿度の計測情報も環境検知部４５で取得して、前記運転条件とセットにして記憶部３３Ｒに一時的に保存する。また業務用の保湿用空気供給機３００の保湿運転を終了したあとで、再び肌状態計測用カメラ３０１で撮影された肌の表面の情報を情報サーバー２７に送信すれば（図３９の通信＃１）、顧客は保湿運転の効果が確認できる。
【０４２２】
情報通信端末機器２５は、情報サーバー２７から、肌の状態分析結果を閲覧したり、その分析結果データを保存したりできるようなアプリケーション・プログラムを事前にダウンロードしておくと、業務用の保湿用空気供給機３００の保湿運転を終了したあとで、その情報通信端末機器２５を前記業務用の保湿用空気供給機３００の入出力部（ＮＦＣ通信部）に接近させると（図３９の通信＃３に相当）、実施の形態１で説明したように、業務用の保湿用空気供給機３００の記憶部３３Ｒに保存されているデータを取得できる。つまり、保湿運転の条件と、保湿運転の開始前及び終了後の肌の水分量の数値等のデータと、その保湿運転時の気温や湿度の計測情報も一括にしてデータを読み出して、情報通信端末機器２５側に一時的に記憶させることができる。
【０４２３】
次に顧客は、自宅に帰り、持参していた情報通信端末機器２５の中の肌の水分量の解析データ等を、自宅にある保湿用空気供給機２０の入出力部６３からＮＦＣ記憶部３１に読み込ませる（図３９の通信＃４）。また統合管理装置５の内部に設けた保湿用空気供給機専用の記憶部３６Ｃにも、業務用の保湿用空気供給機３００の保湿運転の結果のデータを記憶させる（図３９の通信＃５）。これにより、統合管理装置５の側では、美容関係施設の業務用の保湿用空気供給機３００で保湿サービスを受けた際の、保湿用空気供給機３００周辺の気温や湿度の計測情報も取得できる。なお、統合管理装置５の制御部３６では、美容関係施設の業務用の保湿用空気供給機３００で保湿サービスを受けた際の、保湿用空気供給機３００周辺の気温や湿度の計測データを、情報通信端末機器２５経由で受け取った場合、つまり保湿用空気供給機２０の入出力部６８からの無線通信や制御装置３３からの有線接続での信号として受信した場合ではない場合には、それ以後、保湿用空気供給機２０から、使用者によって主電源のＯＮ（主電源スイッチ７０を閉じたことを示す）信号（運転情報信号）Ｌ１が発せられたことを制御部３６が検知した場合には、情報通信端末機器２５から事前に受け取り、記憶部３６Ｃに記憶したデータ（肌の保湿量の解析結果を示すデータと、気温や湿度の環境計測データ）の内、最も新しいものを読み出して、保湿用空気供給機２０に送信する動作を行う。
【０４２４】
このように、仮に、情報通信端末機器２５の中の肌の水分量の解析データ等を、保湿用空気供給機２０の入出力部６３からＮＦＣ記憶部３１に読み込ませること（図３９の通信＃４）を忘れても、当該保湿用空気供給機２０の主電源ＯＮの後で保湿運転開始前の段階で、統合管理装置５が該当データを保湿用空気供給機２０に送信する動作を行う。
【０４２５】
このように、顧客は、一旦帰宅した後で、自宅の保湿用空気供給機２０を使用したいと思って、主電源スイッチ７０をＯＮにすると、美容関係施設で業務用の保湿用空気供給機３００を利用して保湿サービスを受けた際の、肌の水分量データや保湿サービス受けた空間（部屋）の気温や湿度の計測データが、統合管理装置５から送信されていないかどうかをチェックし、記憶部３３ＲやＮＦＣ記憶部３１に該当データがあった場合、そのデータを顧客（居住者）が確認できるように表示画面１０１に表示し、この表示の後で、保湿運転の開始指令を待つ状態（待機状態）に自動的に移行する。従って、美容関係施設において業務用の保湿用空気供給機３００で受けた保湿サービスの結果を、情報通信端末機器２５で自宅に持ち帰り、それを自宅で保存したり、自宅の保湿用空気供給機２０の運転開始時において、運転条件を決めたりする場合に参考にすること等ができる。
【０４２６】
この実施の形態４における保湿用空気供給機の運転管理システムは、第７の発明を実施したものであり、以下の特徴的な構成を具備している。
すなわち、この実施の形態４では、
１つの家庭の外部の美容関係施設等に設置された第１の保湿用空気供給機３００と、
前記第１の保湿用空気供給機３００から、肌の計測結果データを受け取り、当該データを解析して肌の水分量を示すデータを前記第１の保湿用空気供給機３００へ提供する情報サーバー２７と、
前記第１の保湿用空気供給機３００が取得した肌の水分量を示すデータを、当該保湿用空気供給機３００から直接取得する情報通信端末機器２５と、
前記家庭の内部に設置された第２の保湿用空気供給機２０と、
前記第２の保湿用空気供給機２０から送られる運転開始信号Ｌ１を受信して、当該保湿用空気供給機２０が運転開始前にあることを把握する統合管理装置５と、を備え、
前記第２の保湿用空気供給機２０には、前記第１の保湿用空気供給機３００が取得した肌の水分量を示すデータを、前記情報通信端末機器２５から直接取得する入出力部６３を備え、
前記第２の保湿用空気供給機２０の制御装置３３は、前記情報通信端末機器２５又は統合管理装置５から提供された肌の水分量を示すデータに応じて、保湿運転の条件を決定することを特徴とする保湿用空気供給機の運転管理システムを開示している。
【０４２７】
この構成であるから、家庭の外部に設置された第１の保湿用空気供給機３００で保湿サービスを受けた時に、情報サーバーの専門的な分析による肌の水分量を示すデータを情報通信端末機器２５で取得でき、その後その水分量を示すデータを自宅等にある第２の保湿用空気供給機３０の保湿運転時にその第２の保湿用空気供給機３０の表示部１０１で表示させ、使用者に家庭での保湿運転の条件を設定する時の参考の用に供することができる。
なお、使用者によって主電源のＯＮ（主電源スイッチ７０を閉じたことを示す）信号（運転情報信号）Ｌ１が発せられたことを制御部３６が検知した場合には、情報通信端末機器２５から事前に受け取り、記憶部３６Ｃに記憶したデータ（肌の保湿量の解析結果を示すデータと、気温や湿度の環境計測データ）の内、最も新しいものを読み出して、保湿用空気供給機２０に送信する動作を行うように構成すれば、美容関係施設での保湿サービス時に取得した肌の水分量を示すデータが、情報通信端末機器２５から自宅の第２の保湿用空気供給機２０に移し忘れていた場合でも、該当の最新データを利用して自宅で第２の保湿用空気供給機２０を使って効果的な保湿運転ができる。
【０４２８】
また、美容関係施設で肌の水分量解析や保湿サービスを受けた際の、部屋の気温や湿度の計測データが、統合管理装置５にあるので、第２の保湿用空気供給機２０から主電源のＯＮ（主電源スイッチ７０を閉じたことを示す）信号（運転情報信号）Ｌ１が発せられた場合、その第２の保湿用空気供給機２０の周囲環境に近い環境を実現するため、例えば空気調和機３の強制的な運転開始によって第２の保湿用空気供給機２０の設置環境を改善しながら、保湿運転をすることができる。そのため、専門の美容関係施設での保湿サービスに近い環境を統合管理装置５で実現できる。
【０４２９】
実施の形態５．
図４１は、本発明の実施の形態５を示す保湿用空気供給機の運転管理システムに関するものであり、図４１は、情報通信端末機器２５と、それに任意に装着又は接近させて使用される肌状態計測用カメラ３０１の構成を示すブロック図である。これら図中、前記実施の形態１のものと同一又は相当部分には同一符号を付してある。
【０４３０】
この実施の形態５の特徴とするところは、アダプター形式の肌状態計測用カメラ３０１を利用することである。
【０４３１】
前記実施の形態４では、情報通信端末機器２５には、使用者の肌の状態を撮影するための計測機能がない。つまり実施の形態１で示した肌状態計測部８８が内蔵されていない。そのため、自宅において第２の保湿用空気供給機２０の使用者が、保湿運転の都度、肌の状態を計測できないという不便さがある。
【０４３２】
そこで、これを解消するため、この実施の形態５では、図４１に示したように、図３９と図４０に示したモジュール形式の肌状態計測用カメラ３０１用意し、このカメラと情報通信端末機器２５との間は、情報通信機能を持たせたものである。
【０４３３】
図４１に示しているように前記肌状態計測用カメラ３０１は、その内部に、使用者の肌の状態を撮影する専用の肌状態計測部３８８として、レンズ３８８Ａ、発光ダイオード３８８Ｂ、撮影部３８８Ｃ、受光素子３８８Ｄ、記憶部３８８Ｅ、使用者が撮影部３８８Ｃに対して撮影指令信号を発信する操作部３８８Ｆ、及び発光部３８８Ｂに所定の電力を供給する電源部（電池）とを、それぞれ具備している。
３０２は、情報通信端末機器２５の（近距離無線通信用）入出力部４１Ｂと接近した場合に、その情報通信端末機器２５と所定の通信状態を確立できる入出力部４１である。なお、この肌状態計測用カメラ３０１は、実施の形態４で説明した第１の第１の保湿用空気供給機３００にも使用できるものである。
【０４３４】
以上の構成であるから、前記肌状態計測用カメラ３０１を美容関係施設等から一時的に借用し、情報通信端末機器２５に接続して、数日間（数回分）を計測したデータを情報通信端末機器２５に蓄積しておき、美容関係施設を訪れた際に、その蓄積したデータを、第１の保湿用空気供給機３００の記憶部に一括して移し、その移動させたデータを情報サーバー２７に送信して肌の水分量の変化をデータ解析してもらうということができる。
【０４３５】
一般に、情報サーバー２７を利用した肌の水分量や健康状態の診断等の専門的な解析サービスは有料となる（課金される）場合が想定されるが、このような解析結果の提供を、美容関係施設側からは、サービスの１つに含めて、施設の専門家による助言（肌の手入れ方法や、部屋の乾燥度の維持・改善等について）と一緒に一般の顧客へ提供することが効果的である。そのため肌状態計測用カメラ３０１を貸し出すビジネスモデルが考えられる。
【０４３６】
なお、前記肌状態計測用カメラ３０１を、美容関係施設等から借用せず、顧客自身が購入して情報通信端末機器２５へ装着して使用することができる場合には、更に顧客側での水分量計測は便利になる。この場合は、数日間（数回分）を計測したデータを情報通信端末機器２５に蓄積しておき、その蓄積したデータを、実施の形態４に示した統合管理装置５の記憶部３６Ｃに一括して移し、統合管理装置５から情報サーバー２７に送信して肌の水分量の変化を確かめるため、データの解析を依頼しても良い。第２の保湿用空気供給機２０及び統合管理装置５の双方とも、第２の保湿用空気供給機２０を利用した保湿運転時の部屋の気温や室温のデータも取得できるので、それらを付属データとして肌の計測データ送信時に情報サーバー２７へ送信すれば、そのような周囲環境との相関関係も反映した更に正確な分析や改善の助言が情報サーバー２７から得られることが期待できる。
【０４３７】
なお、前記肌状態計測用カメラ３０１と情報通信端末機器２５との間の、肌の水分量データ等の情報授受は、実施の形態５で示したような近距離無線通信による手段に代えて、有線での通信でも良い。例えばＵＳＢケーブルやＵＳＢ延長ケーブル等で簡単に接続と切り離しができるものが望ましい。
【０４３８】
あるいは、前記肌状態計測用カメラ３０１で撮影した肌の撮影データを情報通信端末機器２５の内部記憶部に蓄積しておき、その蓄積したデータを、統合管理装置５を経由せずに、直接情報サーバー２７に送信して肌の水分量のデータの解析を依頼しても良い。こうして取得した肌の水分量のデータを情報通信端末機器２５の表示部７３で使用者が確認し、また保湿用空気供給機２０へ移して、次の保湿運転時の条件設定に活用することもできる。
【０４３９】
この実施の形態５に示した第８の発明に係る保湿用空気供給機の運転管理システムは、
保湿用空気供給機２０と、
肌の水分量を計測するためのアダプター形式のカメラ３０１との間で、無線通信又は有線通信によって信号を授受する情報通信端末機器２５と、
前記情報通信端末機器２５で取得した肌の計測結果データを受け取り、当該データを解析して肌の水分量を示すデータを当該情報通信端末機器２５へ提供する情報サーバー２７と、
前記保湿用空気供給機２０から送られる運転情報信号を受信して、当該保湿用空気供給機２０の運転状態を遠隔で把握する統合管理装置５と、を備え、
前記保湿用空気供給機２０には、情報通信端末機器２５が前記情報サーバー２７から取得した肌の水分量を示すデータを、当該情報通信端末機器２５から直接取得する入出力部４１Ｂを備え、
前記保湿用空気供給機２０の制御装置３３は、前記情報通信端末機器２５から提供された肌の水分量を示すデータに応じて、保湿運転の条件を決定することを特徴とする構成であった。
【０４４０】
この構成であるから、肌の水分量を計測するための肌水分計測部６７のような機能を有した情報通信端末機器２５を保有しない使用者であっても、肌状態計測用カメラ３０１を用いて情報通信端末機器２５側に肌の計測データを取得し、その計測データを情報サーバーに送信して、専門的なデータ解析により肌の水分量を示すデータを取得できる。そしてこの肌の水分量を示すデータを利用して自宅で保湿用空気供給機を効果的に使用することができる。
【０４４１】
前記した実施の形態１〜５では、居住空間ＨＡの快適性の具体的指標について述べなかったが、初期設定を、気温２６℃、湿度５０％未満に快適の範囲を、デフォルト値として設定しておく案がある。
【０４４２】
一般的に、快適な環境を絶対的な数値で表現することは難しい。例えば快適性とは、ＡＳＨＲＡＥ（アメリカ暖房冷凍空調学会  １９９６年）によると、「環境条件への満足度を表す知覚の状態」と定義している。つまり、今よりも暑くなっても寒くなっても不快感をもたらすような環境条件を意味していると言える。このため、居住者が受ける印象は、必ずしも常に環境から受ける感じに対応している訳ではなく、居住者の気分や、体験、体調等でも変化する。
【０４４３】
そこで一般に「快適な室内環境（気候）」とはどのような状態であるのか、定義を述べると、例えばＩＥＡ（国際エネルギー機関）では、室内（部屋）における状態を次のように定義している。
（１）室内気温：冬においては２０℃前後であること。
夏においては２８℃前後であること。
（２）部屋の水平温度：一様であること。
（３）部屋の上下の温度差：３℃〜４℃以下であること。
【０４４４】
一方、家庭内の部屋やオフィスの空気調和機での設定温度は夏の冷房時で２８℃、冬の暖房時で２０度が、省エネルギーの観点から日本では推奨されているが、実際に人が快適と感じる室温は２５℃前後であるとも一般に言われている。
【０４４５】
従って、図１８の表示画面１０１において、統合環境検知部９が取得した気温や室温から電力指令装置５の制御部３６が算出した快適度（快適性）の情報１３７を表示する場合には、家屋のある地域や居住者の年齢や性別等の種類のような、多様な前提条件で快適性の判断が変わる可能性があるので、居住者が例えば、快適性の「気温」を、適宜調整できるようにすると更に良い。また電力指令装置５に電波時計等を内蔵させ、季節に応じて前記気温を自動的に変化させるようにしても良い。さらには、具体的には、居住者が快適と感じた段階で、ＴＶ受像機２や電力指令装置５又は情報通信端末機器２５、保湿用空気供給機２０で、快適と感じた時点を特定する信号を電力指令装置５に入力し、電力指令装置５がその入力受付時の環境情報（気温や湿度など）を、以後の快適性判定の基礎データに用いるようにしても良い。このような居住者の快適性に関係する情報の蓄積で電力指令装置５による快適性判定は、更に居住者の認識、感覚にも近いものにできる。
【０４４６】
この実施の形態１〜５は、電熱源９０を用いて蒸気を発生させるタイプの保湿用空気供給機２０であったが、高湿度の空気を供給するものであれば、他の方式を採用しても良い。例えば、超音波発振器によって水の微粒子を発生させ、その水の微粒子に高温度に加熱された空気を供給して混合させ、高湿度で所定温度（例えば４０℃）以上の保湿用空気を生成する方式にした場合には、本発明でいう「気化手段」は、そのような超音波発振器と、高温度に加熱された空気を供給し混合させる（電熱源や送風機等の）手段が該当する。
【０４４７】
また以上の実施の形態１〜５は、大気中での放電により空気から生成する正イオンと負イオンを同時に肌表面に照射して肌表面の水分量を増加させる方式の保湿空気供給機にも同様に適用可能である。このような方式は、例えば、日本国特許公開２０１１−９８１８７号（特許第４７９００６８号）公報、同じく特許公開２０１１−２００７２２号（特許第５２８５７４９号）公報にて提案されている。
【０４４８】
それらの先行技術文献によれば、イオン発生素子を使用して発生させた正負イオンを、低速の気流に載せて使用者に照射するとともに、肌表面に照射するイオン濃度を所定値以上に高めることにより、正負イオンが反応して生成する水が肌に潤いを与えると共に、肌の弾力を向上させることが可能になる。また、イオン発生手段から供給されるイオンを吹出口から放出する際、イオン濃度が高くなるように吹出口イオン検出器を備えることにより、イオン濃度を高めながらも吹出し速度を低速に保つように制御している。具体的には、イオン吹出口から放出された空気は、距離が遠くなるに従って含有するイオン数は急激に減少する。また、吹出し風速にも影響されるので実験により吹出し風速を決定してあり、望ましい実験例として、人の顔表面で正イオン濃度と負イオン濃度を、それぞれ７，０００個以上（１立方センチメートルあたり）となるようにイオン発生量と風速とが調節されている。
【０４４９】
つまり、正イオンと負イオンを同時に肌表面に照射して肌表面の水分量を増加させる方式の保湿空気供給機（先行技術文献では「美容器具」と称している）でも、正イオンと負イオンを含む空気を、使用者の顔の位置まで、所定のイオン濃度維持したまま、低速度で吹き付けることが必須である。このため、本発明は、このような正・負イオン方式においても高い効果が期待できる。
【０４５０】
また以上の実施の形態１〜５については、睡眠者の睡眠時間帯（例えば連続６時間）の中で、保湿運転を連続的（例えば３時間）に行うことを説明したが、睡眠時間帯の中で、保湿運転を間欠的に行っても良い。例えば、入眠から１時間は、連続的に使用者の顔の周囲における雰囲気の（目標の）湿度が５５％〜６５％になるように、高湿度空気を供給し、その後３０分間は保湿運転休止し、その後また１時間は同様な目標湿度になるように運転する、という複数工程を数回繰り返すことでも良い。なお、このように肌に湿度を、目標６５％から５５％の間で、揺らぎ制御することで保湿効果が高まることは、日本国特許公開２００４−２９４０５８号公報の加湿器で提案されている。それによれば、目標湿度６５％で３０分間維持し、その後１５〜６０分加湿は休止し、この１５〜６０分間の間に湿度が５０％に下がった時点で、再び加湿開始し、目標湿度６５％になった時点でそのまま３０分維持するという実例が紹介されている。本発明の実施にあたり、このような技術を組み合わせることも有益である。
【０４５１】
今回開示された実施の形態はすべての点で例示であって制限的なものではないと考えられるべきである。本発明の実質的な範囲は、上記した説明ではなく、特許請求の範囲によって示され、特許請求の範囲と均等の意味および範囲内でのすべての変更が含まれることが意図されている。
【産業上の利用可能性】
【０４５２】
本発明に係る保湿用空気供給機は、一般家庭用だけではなく、集合住宅や介護施設、美容院等の業務用の施設（美容関係施設）でも広く利用することができる。
【符号の説明】
【０４５３】
ＡＳ１  報知信号
ＡＳ２  電力削減要請信号
ＡＳ３  電力削減指令信号
ＢＫ  ブレーカー
ＥＰ  商用電源
ＥＥ  家電機器
ＨＡ  居住空間
ＨＡ１  居住空間（寝室）
ＨＡ２  居住空間（キッチン）
ＨＭ  居住者
ＨＵ  屋外空間
ＫＰ  キッチン内家電機器  
Ｌ１〜Ｌ１１  運転情報信号
１  主幹線
２  ＴＶ受像機
３  空気調和機
４Ａ  照明器具
４Ｂ  照明器具  
５  電力指令装置
５Ａ  本体
６  複合センサー（温度・湿度センサー）
７  温度・湿度センサー
８  温度センサー
９  統合環境検知部
１０  人感知センサー
１１  人感知センサー
１２  人検知部
１３  屋外アンテナ
１４Ａ  ルーターＡ
１４Ｂ  ルーターＢ
１５Ａ  外部機関
１５Ｂ  外部機関
１６  広域通信回路網
２０  保湿用空気供給機
２０Ａ  本体
２１  寝具
２２  サイドテーブル（家具）
２３  睡眠判定部
２３Ａ  睡眠判定部入力部
２３Ｍ  睡眠判定部本体
２４  睡眠センサー
２５  情報通信端末機器
２６  中継サーバー
２７  情報サーバー
２７Ｂ  アプリケーションデータベース
２７Ｈ  判定部
２７Ｍ  メーカ側情報データベース
２７ＣＰ  中央演算処理装置  
２７ＩＦ  通信部  
２７Ｓ  改善ソフトウェア（対策プログラム）提供部  
２７Ｕ  利用者特定用データベース  
２８  ＮＦＣ制御回路
２９  アンテナ
３０Ａ  入出力部
３０Ｂ  入出力部
３０Ｃ  入出力部
３１  ＮＦＣ記憶部
３３  制御装置
３３Ｒ  記憶部
３４  施設
３５  基地局
３６  制御部
３６Ａ  第１の記憶部（第１のメモリー）
３６Ｂ  第２の記憶部（第２のメモリー）
３７  表示盤
３７Ａ  表示画面
３９  操作入力部
４０  ＮＦＣ入出力部
４１  入出力部
４１Ａ  無線入出力部
４１Ｂ  無線入出力部
４２  電子錠
４２  機器側環境検知部
４３  在宅検知手段（在宅検知部）
４４  温度検知器
４５  機器側環境検知部
４６  肌情報部
４９  本体ケース
５０  ダクト
５１  底板
５２  吹出口
５３  送風口
５４  ダクト
５５  電動送風機
５６  カートリッジタンク
５８  ボイラー
５９  高温空気生成部（ボイラー室：気化手段）
６０  水
６１  混合室
６３  表示部
６４  発光ダイオード素子（ＬＥＤ）
６７  センサー部（肌水分計測部）
６８  無線通信用の入出力部
６８Ａ  通信アンテナ部
６９  回路基板
７０  主電源スイッチ
７０Ａ  押しボタン
７１  入力操作部
７３  表示部
７３Ａ  表示画面
７４  操作入力部（操作部）
７５  姿勢検知部
７６  制御部
７７  中央演算処理装置（ＣＰＵ）
７８  記憶部
７９  ＲＯＭ、ＲＡＭ部
８０  アプリケーション・ソフトウェア部
８１  受信処理部
８２  送信処理部
８３  通信確立部
８４  表示制御部
８５  選択確定部    
８６  不揮発性メモリー
８７  報知部
８８  肌状態計測部
８８Ａ  レンズ
８８Ｂ  発光ダイオード
８８Ｃ  撮影部
８８Ｄ  受光素子
８８Ｅ  記憶部
９０  電熱（加熱）源（気化手段）
９１  駆動回路
９１Ａ  表示用メモリー
９１Ｂ  表示コントローラー
９１Ｃ  インターフェース
９１Ｄ  電源
９１Ｅ  コモンドライバー
９１Ｆ  セグメントドライバー
９２  電源回路
９３  時計回路
９５  液晶画面
１０１  表示画面
１０２  タッチキー（アイコン）
１０３  タッチキー（アイコン）
１１３  選択情報  
１１４Ｃ  選択キー
１０５  タッチキー（アイコン）
１１６  文字情報
１１７Ａ  文字情報
１１７Ｂ  文字情報
１１８  選択情報
１２１  文字情報
１２２Ａ  選択情報
１２２Ｂ  選択情報
１２２Ｃ  選択情報
１２４  文字情報
１２５Ａ  時刻を示した情報
１２５Ｂ  時刻を示した情報
１２６  助言内容を示した情報
１３０  選択表示部
１３１  ヘルプモードキー
１３２  インフォーメーション・キー
１３３  時間帯表示部
１３４  環境情報表示部
１３５  空調運転表示部
１３５Ａ  空調詳細情報
１３６  保湿運転の時間情報
１３７  快適度（快適性）情報
１３７Ａ  快適度マーク
１３８  タッチキー（アイコン）
１３９  タッチキー（アイコン）
１４０  タッチキー（アイコン）
１４１  タッチキー（アイコン）
１４２  文字情報
１４３  文字情報
１４４  文字情報
１４５  文字情報
１４６  タッチキー（アイコン）
１４７  文字情報
１４８  タッチキー（アイコン）
１４９  文字情報
１５０  文字情報
１５１  文字情報
１５２  文字情報
１５３  文字情報
１５４  文字情報
１５５  文字情報
１５６  文字情報
１５７  タッチキー（アイコン）
１５８  タッチキー（アイコン）
１５９  タッチキー（アイコン）
１６０  アドバイス部
１６１  文字情報
１６２  文字情報
１６３  文字情報
１６４  文字情報
１６５  文字情報
１６６  文字情報
１６７  文字情報
１６８  文字情報
１６９  タッチキー（アイコン）
１７０  タッチキー（アイコン）
１７１  文字情報
１７２  文字情報
１７３  文字情報
１７４  タッチキー（アイコン）
１７５  文字情報
１７６  文字情報
１７７  文字情報
１７８  文字情報
１７９  タッチキー（アイコン）
１８０  タッチキー（アイコン）
１８１  文字情報
１８２  運転履歴番号
１８３  運転開始日時のデータ格納欄
１８４  肌の水分量のデータの格納欄
１８５  睡眠時間のデータの格納欄
１８６  入眠時刻のデータの格納欄
１８７  保湿運転の終了後に取得した肌の水分量に関する計測データの格納欄
１８８  室内気温と湿度の計測データ格納部
１８９  識別マーク（ブックマーク）
１９０  操作キー
１９１  文字情報
１９２  文字情報
１９３  文字情報
１９４  文字情報
１９５  文字情報
１９６  文字情報
１９７  文字情報
１９８  長短調節用アイコン
１９９  アイコン
２００  アイコン
２０１  通信アダプター
２０２  入出力部
２０３  制御部
２０４  プログラム格納部
２０５  入出力部（インターフェース部）
２０６  アイコン
２０８  アイコン
２０９  文字情報
２１０  文字情報
２１１  文字情報
２１２  文字情報
２１３  文字情報
２１４  参考情報
２１５  参考情報
２１７  文字情報
２１８  推奨時間情報
２１９  タッチキー（アイコン）
２２０  タッチキー（アイコン）
２２１  タッチキー（アイコン）
２２２  文字情報
２２３  文字情報
２２４  参考情報
２２５  文字情報
２３０  照度センサー
２３１  睡眠判定部
３００  業務用保湿空気供給機
３０１  肌状態計測用カメラ（アダプター）
３０２  近距離無線通信用入出力部
３８８  肌状態計測部
３８８Ａ  レンズ
３８８Ｂ  発光ダイオード
３８８Ｃ  撮影部
３８８Ｄ  受光素子
３８８Ｅ  記憶部
３８８Ｆ  操作部
３８８Ｊ  電源部。
【図１】
0006409624.tif 000002
【図２】
0006409624.tif 000003
【図３】
0006409624.tif 000004
【図４】
0006409624.tif 000005
【図５】
0006409624.tif 000006
【図６】
0006409624.tif 000007
【図７】
0006409624.tif 000008
【図８】
0006409624.tif 000009
【図９】
0006409624.tif 000010
【図１０】
0006409624.tif 000011
【図１１】
0006409624.tif 000012
【図１２】
0006409624.tif 000013
【図１３】
0006409624.tif 000014
【図１４】
0006409624.tif 000015
【図１５】
0006409624.tif 000016
【図１６】
0006409624.tif 000017
【図１７】
0006409624.tif 000018
【図１８】
0006409624.tif 000019
【図１９】
0006409624.tif 000020
【図２０】
0006409624.tif 000021
【図２１】
0006409624.tif 000022
【図２２】
0006409624.tif 000023
【図２３】
0006409624.tif 000024
【図２４】
0006409624.tif 000025
【図２５】
0006409624.tif 000026
【図２６】
0006409624.tif 000027
【図２７】
0006409624.tif 000028
【図２８】
0006409624.tif 000029
【図２９】
0006409624.tif 000030
【図３０】
0006409624.tif 000031
【図３１】
0006409624.tif 000032
【図３２】
0006409624.tif 000033
【図３３】
0006409624.tif 000034
【図３４】
0006409624.tif 000035
【図３５】
0006409624.tif 000036
【図３６】
0006409624.tif 000037
【図３７】
0006409624.tif 000038
【図３８】
0006409624.tif 000039
【図３９】
0006409624.tif 000040
【図４０】
0006409624.tif 000041
【図４１】
0006409624.tif 000042